(57)【要約】  本発明の実施形態は、データ受信方法、関連するデバイス、およびシステムを開示する。この方法は、端末により、第1の指示情報を受信するステップであって、第1の指示情報が、ターゲット周波数ドメイン位置を示すために使用される、ステップと、端末により、制御リソースセットの時間ドメイン位置およびターゲット周波数ドメイン位置に基づいて第1の時間周波数リソースを決定するステップであって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または制御リソースセットの時間ドメイン位置にN個のシンボルを追加することによって取得される時間ドメイン位置と同じである、ステップと、端末により、ターゲット時間周波数リソースにおいてデータを受信するステップであって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、ステップと、を含み、Nは正の整数である。本発明の実施形態は、時間周波数リソース利用を向上させることができる。
2020523927.tif 000002
【特許請求の範囲】
【請求項１】
データ受信方法であって、
第1の指示情報を受信するステップであって、前記第1の指示情報が、ターゲット周波数ドメイン位置を示すために使用される、ステップと、
制御リソースセットの時間ドメイン位置および前記ターゲット周波数ドメイン位置に基づいて第1の時間周波数リソースを決定するステップであって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じであるか、または前記第1の時間周波数リソースの時間ドメイン位置が、前記制御リソースセットの前記時間ドメイン位置およびN個のシンボルの時間ドメイン位置の合計と同じであり、Nが正の整数である、ステップと、
ターゲット時間周波数リソースにおいてデータを受信するステップであって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、ステップと、
を含むデータ受信方法。
【請求項２】
前記第1の時間周波数リソース内のターゲット時間周波数リソースにおいてデータを受信する前記ステップの前に、前記方法が、
ネットワークデバイスによって送信された第1のメッセージを受信するステップであって、前記第1のメッセージが、第3の指示情報を含み、前記第3の指示情報の第1のステータスが、前記第1の時間周波数リソース内のリソースの前記一部を示すか、または前記第3の指示情報の第2のステータスが、前記ターゲット時間周波数リソースが前記第1の時間周波数リソースを含まないことを示す、ステップをさらに含む、請求項1に記載の方法。
【請求項３】
前記第1のメッセージが、第2の指示情報をさらに含み、前記第2の指示情報が、前記第2の時間周波数リソースを示すために使用される、請求項2に記載の方法。
【請求項４】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記制御リソースセットと重複する領域以外の前記第1の時間周波数リソース内の時間周波数リソースを含み、または
前記第1の時間周波数リソース内のリソースの前記一部が、サーチスペースと重複する領域以外の前記第1の時間周波数リソース内の時間周波数リソースを含み、または
前記第1の時間周波数リソース内のリソースの前記一部が、端末によって既にデコードされた物理ダウンリンク制御チャネルと重複する領域以外の前記第1の時間周波数リソース内の時間周波数リソースを含み、または
前記第1の時間周波数リソース内のリソースの前記一部が、端末によって既にデコードされた物理ダウンリンク制御チャネル以外の前記制御リソースセット内の時間周波数リソースを含み、または
前記第1の時間周波数リソース内のリソースの前記一部が、端末によって既にデコードされた物理ダウンリンク制御チャネル以外の前記サーチスペース内の時間周波数リソースを含み、または
前記第1の時間周波数リソース内のリソースの前記一部が、前記サーチスペース以外の前記制御リソースセット内の時間周波数リソースを含む、請求項1、2、または3に記載の方法。
【請求項５】
制御リソースセットの時間ドメイン位置および前記ターゲット周波数ドメイン位置に基づいて第1の時間周波数リソースを決定する前記ステップの前に、前記方法が、
基地局によって送信された第4の指示情報を受信するステップであって、前記第4の指示情報が、前記第1の時間周波数リソースの前記時間ドメイン位置が前記制御リソースセットの前記時間ドメイン位置と同じであることを示すために使用されるか、または前記第4の指示情報が、前記第1の時間周波数リソースの前記時間ドメイン位置が前記制御リソースセットの前記時間ドメイン位置および前記N個のシンボルの前記時間ドメイン位置の前記合計と同じであることを示すために使用される、ステップをさらに含む、請求項1から4のいずれか一項に記載の方法。
【請求項６】
前記制御リソースセットが、複数の制御リソースセットを含み、
前記制御リソースセットの前記時間ドメイン位置の開始点が、第1の制御リソースセットの時間ドメイン位置の開始点と同じであり、前記制御リソースセットの前記時間ドメイン位置の終了点が、第2の制御リソースセットの時間ドメイン位置の終了点と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項1から5のいずれか一項に記載の方法。
【請求項７】
前記ターゲット周波数ドメイン位置が、前記第2の時間周波数リソースの周波数ドメイン位置であり、前記第1の指示情報が、前記第2の時間周波数リソースを示すことによって前記ターゲット周波数ドメイン位置を示す、請求項1または2または4から6のいずれか一項に記載の方法。
【請求項８】
前記第1の時間周波数リソースおよび前記第2の時間周波数リソースが、時間ドメインにおいて不連続である、請求項1から7のいずれか一項に記載の方法。
【請求項９】
データ受信方法であって、
第1の指示情報を端末に送信するステップであって、前記第1の指示情報が、ターゲット周波数ドメイン位置を示すために使用される、ステップと、
デバイスにより、制御リソースセットの時間ドメイン位置および前記ターゲット周波数ドメイン位置に基づいて第1の時間周波数リソースを決定するステップであって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じであるか、または前記第1の時間周波数リソースの時間ドメイン位置が、前記制御リソースセットの前記時間ドメイン位置およびN個のシンボルの時間ドメイン位置の合計と同じであり、Nが正の整数である、ステップと、
ターゲット時間周波数リソースにおいてデータを受信するステップであって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、ステップと、
を含むデータ受信方法。
【請求項１０】
ターゲット時間周波数リソースにおいてデータを受信する前記ステップの前に、前記方法が、
第1のメッセージを前記端末に送信するステップであって、前記第1のメッセージが、第3の指示情報を含み、前記第3の指示情報の第1のステータスが、前記第1の時間周波数リソース内のリソースの前記一部を示すか、または前記第3の指示情報の第2のステータスが、前記ターゲット時間周波数リソースが前記第1の時間周波数リソースを含まないことを示す、ステップをさらに含む、請求項9に記載の方法。
【請求項１１】
前記第1のメッセージが、第2の指示情報をさらに含み、前記第2の指示情報が、前記第2の時間周波数リソースを示すために使用される、請求項10に記載の方法。
【請求項１２】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記制御リソースセットと重複する領域以外の前記第1の時間周波数リソース内の時間周波数リソースを含み、または
前記第1の時間周波数リソース内のリソースの前記一部が、サーチスペースと重複する領域以外の前記第1の時間周波数リソース内の時間周波数リソースを含み、または
前記第1の時間周波数リソース内のリソースの前記一部が、前記端末によって既にデコードされた物理ダウンリンク制御チャネルと重複する領域以外の前記第1の時間周波数リソース内の時間周波数リソースを含み、または
前記第1の時間周波数リソース内のリソースの前記一部が、前記端末によって既にデコードされた物理ダウンリンク制御チャネル以外の前記制御リソースセット内の時間周波数リソースを含み、または
前記第1の時間周波数リソース内のリソースの前記一部が、前記端末によって既にデコードされた物理ダウンリンク制御チャネル以外の前記サーチスペース内の時間周波数リソースを含み、または
前記第1の時間周波数リソース内のリソースの前記一部が、前記サーチスペース以外の前記制御リソースセット内の時間周波数リソースを含む、請求項9から11のいずれか一項に記載の方法。
【請求項１３】
ターゲット時間周波数リソースにおいてデータを受信する前記ステップの前に、前記方法が、
第4の指示情報を前記端末に送信するステップであって、前記第4の指示情報が、前記第1の時間周波数リソースの前記時間ドメイン位置が前記制御リソースセットの前記時間ドメイン位置と同じであることを示すために使用されるか、または前記第4の指示情報が、前記第1の時間周波数リソースの前記時間ドメイン位置が前記制御リソースセットの前記時間ドメイン位置および前記N個のシンボルの前記時間ドメイン位置の前記合計と同じであることを示すために使用される、ステップをさらに含む、請求項9から12のいずれか一項に記載の方法。
【請求項１４】
前記制御リソースセットが、複数の制御リソースセットを含み、
前記制御リソースセットの前記時間ドメイン位置の開始点が、第1の制御リソースセットの時間ドメイン位置の開始点と同じであり、前記制御リソースセットの前記時間ドメイン位置の終了点が、第2の制御リソースセットの時間ドメイン位置の終了点と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項9から13のいずれか一項に記載の方法。
【請求項１５】
前記ターゲット周波数ドメイン位置が、前記第2の時間周波数リソースの周波数ドメイン位置であり、前記第1の指示情報が、前記第2の時間周波数リソースを示すことによって前記ターゲット周波数ドメイン位置を示す、請求項9または10または12から14のいずれか一項に記載の方法。
【請求項１６】
前記第1の時間周波数リソースおよび前記第2の時間周波数リソースが、時間ドメインにおいて不連続である、請求項9から15のいずれか一項に記載の方法。
【請求項１７】
プロセッサおよびメモリを含むデータ受信装置であって、前記メモリが、命令を記憶するように構成され、前記プロセッサが、前記メモリ内の前記命令を呼び出して、以下の動作、すなわち、
第1の指示情報を受信する動作であって、前記第1の指示情報が、ターゲット周波数ドメイン位置を示すために使用される、動作と、
制御リソースセットの時間ドメイン位置および前記ターゲット周波数ドメイン位置に基づいて第1の時間周波数リソースを決定する動作であって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じであるか、または前記第1の時間周波数リソースの時間ドメイン位置が、前記制御リソースセットの前記時間ドメイン位置およびN個のシンボルの時間ドメイン位置の合計と同じであり、Nが正の整数である、動作と、
ターゲット時間周波数リソースにおいてデータを受信する動作であって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、動作と、
を実行する、データ受信装置。
【請求項１８】
前記プロセッサが、前記トランシーバを使用することによって前記第1の時間周波数リソース内の前記ターゲット時間周波数リソースにおいて前記データを受信する前に、前記プロセッサが、
ネットワークデバイスによって送信された第1のメッセージを受信するようにさらに構成され、前記第1のメッセージが、第3の指示情報を含み、前記第3の指示情報の第1のステータスが、前記第1の時間周波数リソース内のリソースの前記一部を示すか、または前記第3の指示情報の第2のステータスが、前記ターゲット時間周波数リソースが前記第1の時間周波数リソースを含まないことを示す、請求項17に記載の装置。
【請求項１９】
前記第1のメッセージが、第2の指示情報をさらに含み、前記第2の指示情報が、前記第2の時間周波数リソースを示すために使用される、請求項18に記載の装置。
【請求項２０】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記制御リソースセットと重複する領域以外の前記第1の時間周波数リソース内の時間周波数リソースを含み、または
前記第1の時間周波数リソース内のリソースの前記一部が、サーチスペースと重複する領域以外の前記第1の時間周波数リソース内の時間周波数リソースを含み、または
前記第1の時間周波数リソース内のリソースの前記一部が、前記装置によって既にデコードされた物理ダウンリンク制御チャネルと重複する領域以外の前記第1の時間周波数リソース内の時間周波数リソースを含み、または
前記第1の時間周波数リソース内のリソースの前記一部が、前記装置によって既にデコードされた物理ダウンリンク制御チャネル以外の前記制御リソースセット内の時間周波数リソースを含み、または
前記第1の時間周波数リソース内のリソースの前記一部が、前記装置によって既にデコードされた物理ダウンリンク制御チャネル以外の前記サーチスペース内の時間周波数リソースを含み、または
前記第1の時間周波数リソース内のリソースの前記一部が、前記サーチスペース以外の前記制御リソースセット内の時間周波数リソースを含む、請求項17、18、または19に記載の装置。
【請求項２１】
前記プロセッサが、前記制御リソースセットの前記時間ドメイン位置および前記ターゲット周波数ドメイン位置に基づいて前記第1の時間周波数リソースを決定する前に、前記プロセッサが、
基地局によって送信された第4の指示情報を、前記トランシーバを使用することによって受信するようにさらに構成され、前記第4の指示情報が、前記第1の時間周波数リソースの前記時間ドメイン位置が前記制御リソースセットの前記時間ドメイン位置と同じであることを示すために使用されるか、または前記第4の指示情報が、前記第1の時間周波数リソースの前記時間ドメイン位置が前記制御リソースセットの前記時間ドメイン位置および前記N個のシンボルの前記時間ドメイン位置の前記合計と同じであることを示すために使用される、請求項17から20のいずれか一項に記載の装置。
【請求項２２】
前記制御リソースセットが、複数の制御リソースセットを含み、
前記制御リソースセットの前記時間ドメイン位置の開始点が、第1の制御リソースセットの時間ドメイン位置の開始点と同じであり、前記制御リソースセットの前記時間ドメイン位置の終了点が、第2の制御リソースセットの時間ドメイン位置の終了点と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項17から21のいずれか一項に記載の装置。
【請求項２３】
ネットワークデバイスであって、前記ネットワークデバイスが、プロセッサ、メモリ、およびトランシーバを含み、前記メモリが、命令を記憶するように構成され、前記プロセッサが、前記メモリ内の前記命令を呼び出して、以下の動作、すなわち、
トランシーバを使用することによって第1の指示情報を端末に送信する動作であって、前記第1の指示情報が、ターゲット周波数ドメイン位置を示すために使用される、動作と、
制御リソースセットの時間ドメイン位置および前記ターゲット周波数ドメイン位置に基づいて第1の時間周波数リソースを決定する動作であって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じであるか、または前記第1の時間周波数リソースの時間ドメイン位置が、前記制御リソースセットの前記時間ドメイン位置およびN個のシンボルの時間ドメイン位置の合計と同じであり、Nが正の整数である、動作と、
前記トランシーバを使用することによってターゲット時間周波数リソースにおいてデータを受信する動作であって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、動作と、
を実行する、ネットワークデバイス。
【請求項２４】
前記プロセッサが、前記トランシーバを使用することによって前記ターゲット時間周波数リソースにおいて前記データを受信する前に、前記プロセッサが、
前記トランシーバを使用することによって第1のメッセージを前記端末に送信するようにさらに構成され、前記第1のメッセージが、第3の指示情報を含み、前記第3の指示情報の第1のステータスが、前記第1の時間周波数リソース内のリソースの前記一部を示すか、または前記第3の指示情報の第2のステータスが、前記ターゲット時間周波数リソースが前記第1の時間周波数リソースを含まないことを示す、請求項23に記載の装置。
【請求項２５】
前記第1のメッセージが、第2の指示情報をさらに含み、前記第2の指示情報が、前記第2の時間周波数リソースを示すために使用される、請求項24に記載の装置。
【請求項２６】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記制御リソースセットと重複する領域以外の前記第1の時間周波数リソース内の時間周波数リソースを含み、または
前記第1の時間周波数リソース内のリソースの前記一部が、サーチスペースと重複する領域以外の前記第1の時間周波数リソース内の時間周波数リソースを含み、または
前記第1の時間周波数リソース内のリソースの前記一部が、前記端末によって既にデコードされた物理ダウンリンク制御チャネルと重複する領域以外の前記第1の時間周波数リソース内の時間周波数リソースを含み、または
前記第1の時間周波数リソース内のリソースの前記一部が、前記端末によって既にデコードされた物理ダウンリンク制御チャネル以外の前記制御リソースセット内の時間周波数リソースを含み、または
前記第1の時間周波数リソース内のリソースの前記一部が、前記端末によって既にデコードされた物理ダウンリンク制御チャネル以外の前記サーチスペース内の時間周波数リソースを含み、または
前記第1の時間周波数リソース内のリソースの前記一部が、前記サーチスペース以外の前記制御リソースセット内の時間周波数リソースを含む、請求項23から25のいずれか一項に記載の装置。
【請求項２７】
前記プロセッサが、前記トランシーバを使用することによって前記ターゲット時間周波数リソースにおいて前記データを受信する前に、前記プロセッサが、
前記トランシーバを使用することによって第4の指示情報を前記端末に送信するようにさらに構成され、前記第4の指示情報が、前記第1の時間周波数リソースの前記時間ドメイン位置が前記制御リソースセットの前記時間ドメイン位置と同じであることを示すために使用されるか、または前記第4の指示情報が、前記第1の時間周波数リソースの前記時間ドメイン位置が前記制御リソースセットの前記時間ドメイン位置および前記N個のシンボルの前記時間ドメイン位置の前記合計と同じであることを示すために使用される、請求項23から26のいずれか一項に記載の装置。
【請求項２８】
前記制御リソースセットが、複数の制御リソースセットを含み、
前記制御リソースセットの前記時間ドメイン位置の開始点が、第1の制御リソースセットの時間ドメイン位置の開始点と同じであり、前記制御リソースセットの前記時間ドメイン位置の終了点が、第2の制御リソースセットの時間ドメイン位置の終了点と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項23から27のいずれか一項に記載の装置。
【請求項２９】
記憶媒体であって、前記記憶媒体が、命令を記憶するように構成され、前記命令が端末のプロセッサにおいて実行されるとき、前記端末は請求項1から9のいずれか一項に記載の方法を実行するか、または前記命令がネットワークデバイスのプロセッサにおいて実行されるとき、前記ネットワークデバイスは請求項10から16のいずれか一項に記載の方法を実行する、記憶媒体。
【請求項３０】
命令を含むコンピュータプログラム製品であって、前記命令がコンピュータにおいて実行されるとき、前記コンピュータが請求項1から16のいずれか一項に記載の方法を実行することが可能にされる、コンピュータプログラム製品。
【発明の詳細な説明】
【技術分野】
【０００１】
本発明は、通信技術の分野、詳細には、データ受信方法、関連するデバイス、およびシステムに関する。
【背景技術】
【０００２】
ロング・ターム・エボリューション（Long Term Evolution、LTE）システムでは、制御チャネル領域はサブフレーム内の最初の1つから3つのシンボル内に配置され、物理制御形式インジケータチャネル（physical control format indicator channel、PCFICH）を使用することによって、制御チャネル領域によって占有されるシンボルの特定の数が通知され得る。第5世代のモバイル通信技術（5th Generation、5G）の新しい無線（new radio、NR）では、制御リソースセット（control resource set、CORESET）が制御情報を送信するために定義され、各端末は1つ以上のCORESETを有し得る。端末のCORESETは、共通のCORESET（複数の端末によって共有される）および端末に固有のCORESETを含むことが可能であり、端末の制御チャネルは送信のために端末のCORESET内に含まれる。このケースでは、どのようにリソース利用を向上させ、端末によって受信されたデータが汚染されるのを防ぐかは、この技術分野の当業者によって研究されている技術的課題である。
【発明の概要】
【課題を解決するための手段】
【０００３】
本発明の実施形態によって解決されるべき技術的課題は、リソース利用を向上させ、データ汚染を防止するために、データ受信方法、関連するデバイス、およびシステムを提供することである。
【０００４】
第1の態様によれば、本発明の一実施形態は、データ受信方法を提供する。この方法は、端末により、第1の指示情報を受信するステップであって、第1の指示情報が、ターゲット周波数ドメイン位置を示すために使用される、ステップと、端末により、制御リソースセットの時間ドメイン位置およびターゲット周波数ドメイン位置に基づいて第1の時間周波数リソースを決定するステップであって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または第1の時間周波数リソースの時間ドメイン位置が、制御リソースセットの時間ドメイン位置およびN個のシンボルの時間ドメイン位置の合計と同じであり、Nが正の整数である、ステップと、端末により、ターゲット時間周波数リソースにおいてデータを受信するステップであって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、ステップと、を含む。
【０００５】
第2の態様によれば、本発明の一実施形態は、データ受信方法を提供する。この方法は、ネットワークデバイスにより、第1の指示情報を端末に送信するステップであって、第1の指示情報が、ターゲット周波数ドメイン位置を示すために使用される、ステップと、ネットワークデバイスにより、制御リソースセットの時間ドメイン位置およびターゲット周波数ドメイン位置に基づいて第1の時間周波数リソースを決定するステップであって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、第1の時間周波数リソースの時間ドメイン位置が、制御リソースセットの時間ドメイン位置およびN個のシンボルの時間ドメイン位置の合計と同じであり、Nが正の整数である、ステップと、ネットワークデバイスにより、ターゲット時間周波数リソースにおいてデータを受信するステップであって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、ステップと、を含む。
【０００６】
前述のステップの実装を通じて、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用されることが可能であり、それによりリソース利用を向上させる。
【０００７】
任意選択で、端末により、第1の時間周波数リソース内のターゲット時間周波数リソースにおいてデータを受信するステップの前に、この方法は、端末により、ネットワークデバイスによって送信された第1のメッセージを受信するステップ、およびそれに応じて、ネットワークデバイスにより、第1のメッセージを端末に送信するステップをさらに含む。第1のメッセージは、第3の指示情報を含むことが可能であり、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０００８】
任意選択で、端末により、制御リソースセットの時間ドメイン位置およびターゲット周波数ドメイン位置に基づいて第1の時間周波数リソースを決定するステップの前に、この方法は、端末により、ネットワークデバイスによって送信された第4の指示情報を受信するステップをさらに含み、それに応じて、ネットワークデバイスにより、ターゲット時間周波数リソースにおいてデータを受信するステップの前に、この方法は、ネットワークデバイスにより、端末に第4の指示情報を送信するステップをさらに含む。第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が制御リソースセットの時間ドメイン位置と同じであることを示すために使用されるか、または第4の指示情報は、第1の時間周波数リソースの時間ドメイン位置が制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示され得る。このようにして、端末のためにスケジュールされたターゲット時間周波数リソースは、より大きな範囲を有することが可能であり、それによりリソース利用を効果的に向上させる。
【０００９】
第3の態様によれば、本発明の一実施形態は端末を提供する。端末は、プロセッサ、メモリ、およびトランシーバを含む。メモリは、命令を記憶するように構成され、プロセッサは、メモリ内の命令を呼び出して、第1の態様および第1の態様の実装による方法を実行する。
【００１０】
第4の態様によれば、本発明の一実施形態はネットワークデバイスを提供する。ネットワークデバイスは、プロセッサ、メモリ、およびトランシーバを含む。メモリは、命令を記憶するように構成され、プロセッサは、メモリ内の命令を呼び出して、第2の態様および第2の態様の実装による方法を実行する。
【００１１】
第5の態様によれば、本発明の一実施形態は端末を提供する。端末は、受信ユニットおよび処理ユニットを含み、第1の態様および第1の態様の実装によるステップを実行するように構成される。
【００１２】
第6の態様によれば、本発明の一実施形態はネットワークデバイスを提供する。ネットワークデバイスは、送信ユニット、処理ユニット、および受信ユニットを含み、第2の態様および第2の態様の実装によるステップを実行するように構成される。
【００１３】
任意選択で、第1のメッセージは、第2の指示情報をさらに含み、第2の指示情報は、第2の時間周波数リソースを示すために使用される。このようにして、制御情報によって占有されるリソースのオーバーヘッドが減らされることが可能である。任意選択で、第1のメッセージが第3の指示情報を含むかどうかは、より高いレイヤのシグナリング（RRCシグナリングなど）を使用することによって示されてもよく、またはダウンリンク制御情報DCI内の情報を使用することによって示されてもよく、またはDCI形式を使用することによって示されてもよい。いくつかのDCI形式について第3の指示情報が存在する場合があり、他のDCI形式について第3の指示情報が存在しない場合がある。代替として、異なるタイプのユーザについて異なる構成があり得る。いくつかのタイプのユーザについて第3の指示情報が存在する場合があり、他のタイプのユーザについて第3の指示情報が存在しない場合がある。端末は1つのタイプのユーザである。
【００１４】
任意選択で、ターゲット時間周波数リソースは、第2の時間周波数リソースおよび第1の時間周波数リソース内のリソースの一部を含み、第1の時間周波数リソース内のリソースの一部は、制御リソースセットと重複する領域以外の第1の時間周波数リソース内の時間周波数リソースを含み、または第1の時間周波数リソース内のリソースの一部は、サーチスペースと重複する領域以外の第1の時間周波数リソース内の時間周波数リソースを含み、または第1の時間周波数リソース内のリソースの一部は、端末によって既にデコードされた物理ダウンリンク制御チャネルPDCCHと重複する領域以外の第1の時間周波数リソース内の時間周波数リソースを含み、または第1の時間周波数リソース内のリソースの一部は、端末によって既にデコードされたPDCCH以外の制御リソースセット内の時間周波数リソースを含み、または第1の時間周波数リソース内のリソースの一部は、端末によって既にデコードされたPDCCH以外のサーチスペース内の時間周波数リソースを含み、または第1の時間周波数リソース内のリソースの一部は、サーチスペース以外の制御リソースセット内の時間周波数リソースを含む。第1の時間周波数リソース内のいくつかの特定のリソースは、端末デバイスおよびネットワークデバイス内に事前構成されてもよく、またはネットワークデバイスによって端末に送信された第1のメッセージ内に含まれる第3の指示情報の第1のステータスを使用することによって端末に通知されてもよいことが理解され得る。任意選択で、第3の指示情報はM個の情報ビットを含み、Mは正の整数である。M個の情報ビットの第1のステータスは、第1の時間周波数リソース内のリソースの一部の一ケースに対応する。Mの値は、端末によってサポートされる第1の時間周波数リソース内のリソースの一部のケースの数に関連する。任意選択で、端末によってサポートされる第1の時間周波数リソース内のリソースの一部のすべてのケースは、より高いレイヤのシグナリングを使用することによって構成されるか、または端末内に事前設定される。
【００１５】
任意選択で、制御リソースセットは、複数の制御リソースセットを含み、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。
【００１６】
任意選択で、ターゲット周波数ドメイン位置は、第2の時間周波数リソースの周波数ドメイン位置であり、第1の指示情報は、第2の時間周波数リソースを示すことによってターゲット周波数ドメイン位置を示す。
【００１７】
任意選択で、第1の時間周波数リソースおよび第2の時間周波数リソースは時間ドメインにおいて不連続である。制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースは、別のデバイスによって使用される時間周波数リソースから分離され得るように、第1の時間周波数リソースが分割されることが理解され得る。このようにして、端末は、ネットワークデバイスによって別のデバイスに送信されたデータを受信することが防止されることが可能であり、すなわち、データ汚染が防止されることが可能である。
【００１８】
第7の態様によれば、本発明の一実施形態は通信システムを提供する。このシステムは、端末およびネットワークデバイスを含む。端末は、第3の態様または第3の態様の可能な実装のいずれか1つ、あるいは第5の態様または第5の態様の可能な実装のいずれか1つにより説明される端末である。ネットワークデバイスは、第4の態様または第4の態様の可能な実装のいずれか1つ、あるいは第6の態様または第6の態様の可能な実装のいずれか1つにより説明されるネットワークデバイスである。
【００１９】
第8の態様によれば、本発明の一実施形態は記憶媒体を提供する。この記憶媒体は、命令を記憶するように構成され、命令が端末のプロセッサにおいて実行されるとき、端末は、第1の態様または第1の態様の可能な実装のいずれか1つにより説明される方法を実行するか、あるいは命令がネットワークデバイスのプロセッサにおいて実行されるとき、ネットワークデバイスは、第2の態様または第2の態様の可能な実装のいずれか1つにより説明される方法を実行する。
【００２０】
第9の態様によれば、本発明の一実施形態は、命令を含むコンピュータプログラム製品を提供する。命令がコンピュータにおいて実行されるとき、コンピュータは、第1の態様、第2の態様、または可能な実装のいずれか1つにより説明される方法を実行することが可能にされる。
【００２１】
本発明の実施形態の実装を通じて、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【図面の簡単な説明】
【００２２】
【図１】本発明の一実施形態による通信システムの概略構造図である。
【図２】本発明の一実施形態によるデータ受信方法の概略フローチャートである。
【図３】本発明のこの実施形態による時間周波数リソースの概略図である。
【図４】本発明のこの実施形態による別の時間周波数リソースの概略図である。
【図５】本発明のこの実施形態による別の時間周波数リソースの概略図である。
【図６】本発明のこの実施形態による別の時間周波数リソースの概略図である。
【図７】本発明のこの実施形態による別の時間周波数リソースの概略図である。
【図８】本発明のこの実施形態による別の時間周波数リソースの概略図である。
【図９】本発明のこの実施形態による別の時間周波数リソースの概略図である。
【図１０】本発明のこの実施形態による別の時間周波数リソースの概略図である。
【図１１】本発明のこの実施形態による別の時間周波数リソースの概略図である。
【図１２】本発明のこの実施形態による別の時間周波数リソースの概略図である。
【図１３】本発明の一実施形態による別のデータ受信方法の概略フローチャートである。
【図１４】本発明のこの実施形態による別の時間周波数リソースの概略図である。
【図１５】本発明のこの実施形態による別の時間周波数リソースの概略図である。
【図１６】本発明のこの実施形態による別の時間周波数リソースの概略図である。
【図１７】本発明のこの実施形態による別の時間周波数リソースの概略図である。
【図１８】本発明のこの実施形態による別の時間周波数リソースの概略図である。
【図１９】本発明のこの実施形態による別の時間周波数リソースの概略図である。
【図２０】本発明のこの実施形態による別の時間周波数リソースの概略図である。
【図２１】本発明のこの実施形態による別の時間周波数リソースの概略図である。
【図２２】本発明のこの実施形態による別の時間周波数リソースの概略図である。
【図２３】本発明のこの実施形態による別の時間周波数リソースの概略図である。
【図２４】本発明の一実施形態による端末の概略構造図である。
【図２５】本発明の一実施形態によるネットワークデバイスの概略構造図である。
【図２６】本発明の一実施形態による別の端末の概略構造図である。
【図２７】本発明の一実施形態による別のネットワークデバイスの概略構造図である。
【発明を実施するための形態】
【００２３】
下記は、本発明の実施形態における添付図面を参照して、本発明の実施形態を説明する。
【００２４】
図1は、本発明の一実施形態による通信システム10の概略構造図である。通信システム10は、ネットワークデバイス101および端末102を含む。通信システム10は、ロング・ターム・エボリューション（long term evolution、LTE）、第5世代のモバイル通信技術（5th-Generation、5G）、別の既存の通信技術などの通信技術、または続いて研究される通信技術を使用する通信システムであってもよい。ネットワークデバイス101は、通信システムにおける無線アクセスノード、例えば、LTEにおける進化型NodeB（evolved Node B、eNB）または5Gにおける基地局（gNBなど）である。端末102は、携帯電話、タブレットコンピュータ、ノートブックコンピュータ、パームトップコンピュータ、モバイルインターネットデバイス（英語：mobile internet device、略してMID）、ウェアラブルデバイス（例えば、スマートウォッチ（iWatchなど）、スマートバンド、または歩数計）、あるいはオペレータのネットワークにアクセスすることができるデバイスであってもよい。代替として、端末102は、冷蔵庫、テレビ、エアコン、または電気メータなどのスマート家庭用デバイスであってもよい。代替として、端末102は、自動車、自転車、電気車両、飛行機、または船などの輸送デバイスであってもよい。代替として、端末102は、インテリジェントロボットまたはワークショップデバイスなど、無線通信を実行することができるデバイスであってもよい。
【００２５】
図2は、本発明の一実施形態によるデータ受信方法を表す。この方法は、図1に示される通信システム10に基づいて実現されてもよい。この方法は、下記のステップを含むが、これらに限定されない。
【００２６】
ステップS201：ネットワークデバイスは、第1の指示情報を端末に送信する。
【００２７】
具体的には、第1の指示情報は、ターゲット周波数ドメイン位置を示すために使用される。任意選択で、第1の指示情報は、ターゲット周波数ドメイン位置を示すために、ターゲット周波数ドメイン位置の周波数パラメータ（例えば、周波数ドメイン開始位置（または周波数ドメイン開始位置と呼ばれる）または周波数ドメインの長さ）を含み得る。任意選択で、第1の指示情報は、第1の周波数ドメインを示すために、ターゲット周波数ドメイン位置との対応関係を有する特定の情報を含み得る。例えば、ターゲット周波数ドメイン位置に対応する周波数ドメイン位置識別子は、ターゲット周波数ドメイン位置を示すために、第1の指示情報内にカプセル化される。
【００２８】
第1の任意選択の解決策では、第1の指示情報は、端末が動作する周波数ドメイン位置、すなわち、端末が動作する周波数帯域を示すことによって、ターゲット周波数ドメイン位置を示す。第1の指示情報は、より高いレイヤのシグナリング（無線リソース制御（radio resource control、RRC）シグナリングなど）内で搬送されてもよく、またはダウンリンク制御情報（downlink control information、DCI）内で搬送されてもよい。第1の指示情報は、ターゲット周波数ドメイン位置を明示的に示し、例えば、ターゲット周波数ドメイン位置の周波数ドメイン開始位置および周波数ドメイン終了位置を示すことによってターゲット周波数ドメイン位置を示してもよく、またはターゲット周波数ドメインを暗黙的に示し、例えば、周波数ドメインの範囲を示す識別子を使用することによって、ターゲット周波数ドメイン位置を示してもよい。
【００２９】
それに応じて、端末は第1の指示情報を受信する。
【００３０】
具体的には、第1の指示情報を受信した後、端末は、ターゲット周波数ドメイン位置を決定するために、デコードを通じて第1の指示情報の内容を取得する。例えば、第1の指示情報は、ターゲット周波数ドメイン位置を示し、第1の指示情報は、ターゲット周波数ドメイン位置に対応する周波数ドメイン位置識別子を含み、端末は、周波数ドメイン位置識別子に基づいてターゲット周波数ドメイン位置を決定してもよい。別の例では、第1の指示情報は、ターゲット周波数ドメイン位置を示し、第1の指示情報は、ターゲット周波数ドメイン位置の周波数ドメイン開始位置および周波数ドメインの長さを含み、端末は、第1の指示情報に含まれる周波数ドメイン開始位置および周波数ドメインの長さに基づいてターゲット周波数ドメイン位置を決定してもよい。もちろん、代替として、指示は別の方式で実現されてもよい。例えば、第1の指示情報は、ターゲット周波数ドメイン位置の周波数ドメイン開始位置および周波数ドメイン終了位置を含む。
【００３１】
ステップS202：端末は、制御リソースセットの時間ドメイン位置およびターゲット周波数ドメイン位置に基づいて第1の時間周波数リソースを決定する。
【００３２】
具体的には、第1の時間周波数リソースの周波数ドメイン位置は、ターゲット周波数ドメイン位置と同じである。加えて、第1の時間周波数リソースの時間ドメイン位置は、制御リソースセットの時間ドメイン位置と同じであるか、または制御リソースセットの時間ドメイン位置にN個のシンボルを追加することによって取得される時間ドメイン位置と同じであり、Nは正の整数である。制御リソースセットは、control resource set（CORESET）であってもよく、制御リソースセットに関する情報は、端末デバイスおよびネットワークデバイス内に事前設定されてもよく、またはシグナリングを使用することによって事前にネットワークデバイスによって端末に通知されてもよい。シグナリングは、RRCシグナリングなどのより高いレイヤのシグナリングであってもよく、またはDCIでもあってもよい。従って、端末は、制御リソースセットの時間ドメイン位置を知り、従って、ここでは、制御リソースセットの時間ドメイン位置に基づいて第1の時間周波数リソースの周波数ドメイン位置を決定し得る。
【００３３】
本発明のこの実施形態では、制御リソースセットは、1つの制御リソースセットであってもよく、または複数の制御リソースセットの集合であってもよい。制御リソースセットが、複数の制御リソースセットの集合であるとき、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。下記は、図を参照して、第1の時間周波数リソースのいくつかの可能なケースをリストする。各図内の座標において、横軸は時間ドメインを示し、縦軸は周波数ドメインを示す。各図は、第1の時間周波数リソース、「使用不可」領域、第2の時間周波数リソース、制御リソースセット、サーチスペース（search space、SS）、およびダウンリンク物理制御チャネル（physical downlink control channel、PDCCH）（端末の制御情報、例えば、第1の指示情報を搬送するために使用される）を示す。「使用不可」領域は、端末以外のデバイスのために予約された時間周波数リソースである。いくつかのケースは、具体的には下記のとおりである。
【００３４】
ケース1：制御リソースセットは、1つの制御リソースセットであり、第1の時間周波数リソースの時間ドメイン位置は、制御リソースセットの時間ドメイン位置と同じである。第1の時間周波数リソースの周波数ドメイン位置がターゲット周波数ドメイン位置と同じであるならば、第1の時間周波数リソースは図3に表される。
【００３５】
ケース2：制御リソースセットは、1つの制御リソースセットであり、第1の時間周波数リソースの時間ドメイン位置は、制御リソースセットの時間ドメイン位置にN個のシンボルを追加することによって取得される時間ドメイン位置と同じであり、Nは正の整数である。第1の時間周波数リソースの周波数ドメイン位置がターゲット周波数ドメイン位置と同じであるならば、第1の時間周波数リソースは図4に表される。
【００３６】
ケース3：制御リソースセットは、複数の制御リソースセットである。複数の制御リソースセットの時間ドメイン位置は、包含関係にあっても、部分的に重複しても、または全く重複しなくてもよい。どのケースであるかにかかわらず、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットであることが決定され得る。第1の時間周波数リソースの周波数ドメインがターゲット周波数ドメイン位置と同じであるならば、第1の時間周波数リソースは図5に表される。
【００３７】
ケース4：制御リソースセットは、複数の制御リソースセットである。複数の制御リソースセットの時間ドメインは、包含関係にあっても、部分的に重複しても、または全く重複しなくてもよい。どのケースであるかにかかわらず、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点にN個のシンボルを追加することによって取得される時間ドメイン位置と同じであることが決定され得る。第1の時間周波数リソースの周波数ドメイン位置がターゲット周波数ドメイン位置と同じであるならば、第1の時間周波数リソースは図6に表される。
【００３８】
第1の任意選択の解決策では、制御リソースセットの時間ドメイン位置およびターゲット周波数ドメイン位置に基づいて、端末が第1の時間周波数リソースを具体的にどのように決定するかを指定するために、ルールが端末内に事前構成される。任意選択で、ルールは、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を指定する。例えば、ルールは、第1の時間周波数リソースの時間ドメイン位置が、制御リソースセットの時間ドメイン位置と同じであることを指定する。このようにして、端末は、このルールに従ってケース1の方式で第1の時間周波数リソースを決定してもよい。
【００３９】
第2の任意選択の解決策では、端末が第1の時間周波数リソースを決定する前に、ネットワークデバイスは、第4の指示情報を端末に送信し、それに応じて、端末はネットワークデバイスによって送信された第4の指示情報を受信する。第4の指示情報は、RRCシグナリングなどのより高いレイヤのシグナリングであってもよく、または第4の指示情報はDCIであってもよい。第4の指示情報は、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を示すために使用される。例えば、第4の指示情報は、第1の時間周波数リソースの時間ドメイン位置が、制御リソースセットの時間ドメイン位置にN個のシンボルを追加することによって取得される時間ドメイン位置と同じであることを示す。別の例では、第4の指示情報は、第1の時間周波数リソースの時間ドメイン位置が、制御リソースセットの時間ドメイン位置と同じであることを示す。このようにして、端末は、第4の指示情報の指示に従ってケース2の方式で第1の時間周波数リソースを決定してもよい。任意選択で、第4の指示および第1の指示情報は同じ指示情報内で搬送されてもよく、および／または第4の指示および第3の指示情報は同じ指示情報内で搬送されてもよい。
【００４０】
第1の時間周波数リソースは上記で説明され、ターゲット時間周波数リソースは以下で説明される。ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、端末のためにネットワークデバイスによってスケジュールされた時間周波数リソース、例えば、第2の指示情報を使用することによって端末のためにネットワークデバイスによってスケジュールされた時間周波数リソースであり得る。
【００４１】
ターゲット時間周波数リソースが、第2の時間周波数リソースおよび第1の時間周波数リソース内のリソースの一部を含むとき、第1の時間周波数リソース内のリソースの一部について、次のいくつかの可能な解決策がある。
【００４２】
第1の解決策では、第1の時間周波数リソース内のリソースの一部は、制御リソースセットと重複する領域以外の第1の時間周波数リソース内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。制御リソースセットが第1の時間周波数リソース内にあるとき、「制御リソースセットと重複する領域」は、制御リソースセットによって占有される領域のすべてである。制御リソースセットが第1の時間ドメインリソースの外側にあるとき、「制御リソースセットと重複する領域」は存在しない。このケースでは、「制御リソースセットと重複する領域以外の第1の時間周波数リソース内の時間周波数リソース」が、第1の時間周波数リソースである。制御リソースセットが第1の時間周波数リソース内にある一例が、第1の時間周波数リソース内のリソースの一部を説明するために以下で使用される。図7を参照すると、第1の時間周波数リソースの時間ドメイン位置が、「ケース1」を満たすとき、第1の時間周波数リソース内のリソースの一部が図7の部分aに表される。第1の時間周波数リソースの時間ドメイン位置が、「ケース2」を満たすとき、第1の時間周波数リソース内のリソースの一部が図7の部分bに表される。第1の時間周波数リソースの時間ドメイン位置が、「ケース3」を満たすとき、第1の時間周波数リソース内のリソースの一部が図7の部分cに表される。第1の時間周波数リソースの時間ドメインが、「ケース4」を満たすとき、第1の時間周波数リソース内のリソースの一部が図7の部分dに表される。図7のグリッド部分は、第1の時間周波数リソース内のリソースの一部である。任意選択で、ネットワークデバイスは、第1の時間周波数リソース内のリソースの一部において別のデバイスの制御リソースセットを送信することを可能な限り回避してもよい。しかしながら、これはネットワークデバイスによって実行されるスケジューリングに特有の制限をもたらす。そのような制限を減らすために、任意選択で、ネットワークデバイスは、シグナリングを使用することによって、別のデバイスの制御リソースセットの時間周波数リソース位置を端末に通知してもよい。このケースでは、第1の時間周波数リソース内のリソースの一部は、端末の制御リソースセットも別のデバイスの制御リソースセットも含まない。言い換えると、「制御リソースセットと重複する領域」は、端末の制御リソースセットと重複する領域と、別のデバイスの制御リソースセットと重複する領域の両方を含み、すなわち、端末のすべての既知の制御リソースセットと重複する領域を含む。
【００４３】
第2の解決策では、第1の時間周波数リソース内のリソースの一部は、サーチスペースと重複する領域以外の第1の時間周波数リソース内の時間周波数リソースを含む。サーチスペースは、第1の時間周波数リソース内にあってもよく、または第1の時間ドメインリソースの外側にあってもよく、さらに第1の時間周波数リソースと部分的に重複してもよい。サーチスペースが第1の時間周波数リソース内にあるとき、「サーチスペースと重複する領域」は、サーチスペースによって占有される領域のすべてである。サーチスペースが第1の時間ドメインリソースの外側にあるとき、「サーチスペースと重複する領域」は存在しない。このケースでは、「サーチスペースと重複する領域以外の第1の時間周波数リソース内の時間周波数リソース」が、第1の時間周波数リソースである。サーチスペースが第1の時間周波数リソース内にある一例が、第1の時間周波数リソース内のリソースの一部を説明するために以下で使用される。図8を参照すると、第1の時間周波数リソースの時間ドメイン位置が、「ケース1」を満たすとき、第1の時間周波数リソース内のリソースの一部が図8の部分aに表される。第1の時間周波数リソースの時間ドメイン位置が、「ケース2」を満たすとき、第1の時間周波数リソース内のリソースの一部が図8の部分bに表される。第1の時間周波数リソースの時間ドメイン位置が、「ケース3」を満たすとき、第1の時間周波数リソース内のリソースの一部が図8の部分cに表される。第1の時間周波数リソースの時間ドメイン位置が、「ケース4」を満たすとき、第1の時間周波数リソース内のリソースの一部が図8の部分dに表される。図8のグリッド部分は、第1の時間周波数リソース内のリソースの一部である。任意選択で、ネットワークデバイスは、別のデバイスのサーチスペースを第1の時間周波数リソース内のリソースの一部にマッピングすることを可能な限り回避してもよい。しかしながら、これはネットワークデバイスによって実行されるスケジューリングに特有の制限をもたらす。そのような制限を減らすために、任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペースを端末に通知してもよい。このケースでは、第1の時間周波数リソース内のリソースの一部は、端末のサーチスペースも、別のデバイスのサーチスペースによって占有される時間周波数リソース位置も含まない。言い換えると、「サーチスペースと重複する領域」は、端末のサーチスペースと重複する領域と、別のデバイスのサーチスペースと重複する領域の両方を含み、すなわち、端末のすべての既知のサーチスペースと重複する領域を含む。
【００４４】
第3の解決策では、第1の時間周波数リソース内のリソースの一部は、端末によって既にデコードされた物理ダウンリンク制御チャネルPDCCHと重複する領域以外の第1の時間周波数リソース内の時間周波数リソースを含む。端末によって既にデコードされたPDCCHは、第1の時間周波数リソース内にあってもよく、または第1の時間ドメインリソースの外側にあってもよく、さらに第1の時間周波数リソースと部分的に重複してもよい。端末によって既にデコードされたPDCCHが第1の時間周波数リソース内にあるとき、「端末によって既にデコードされたPDCCHと重複する領域」は、端末によって既にデコードされたPDCCHによって占有される領域のすべてである。端末によって既にデコードされたPDCCHが第1の時間ドメインリソースの外側にあるとき、「端末によって既にデコードされたPDCCHと重複する領域」は存在しない。このケースでは、「端末によって既にデコードされたPDCCHと重複する領域以外の第1の時間周波数リソース内の時間周波数リソース」が、第1の時間周波数リソースである。本発明のこの実施形態では、前述の第1の指示情報および第3の指示情報、ならびに続いて言及される第4の指示情報および第2の指示情報などの言及されたすべての指示情報について、端末によって既にデコードされたPDCCHは、指示情報がDCI内で搬送され、デコードされるという条件で、指示情報を含む。
【００４５】
端末によって既にデコードされたPDCCHが第1の時間周波数リソース内にある一例が、第1の時間周波数リソース内のリソースの一部を説明するために以下で使用される。図9を参照すると、第1の時間周波数リソースの時間ドメイン位置が、「ケース1」を満たすとき、第1の時間周波数リソース内のリソースの一部が図9の部分aに表される。第1の時間周波数リソースの時間ドメイン位置が、「ケース2」を満たすとき、第1の時間周波数リソース内のリソースの一部が図9の部分bに表される。第1の時間周波数リソースの時間ドメイン位置が、「ケース3」を満たすとき、第1の時間周波数リソース内のリソースの一部が図9の部分cに表される。第1の時間周波数リソースの時間ドメイン位置が、「ケース4」を満たすとき、第1の時間周波数リソース内のリソースの一部が図9の部分dに表される。図9のグリッド部分は、第1の時間周波数リソース内のリソースの一部である。任意選択で、ネットワークデバイスは、別のデバイスのPDCCHを第1の時間周波数リソース内のリソースの一部にマッピングすることを可能な限り回避してもよい。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００４６】
第4の解決策では、第1の時間周波数リソース内のリソースの一部は、端末によって既にデコードされたPDCCH以外の制御リソースセットの領域内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「端末によって既にデコードされたPDCCH以外の制御リソースセットの領域内の時間周波数リソース」は、端末によって既にデコードされたPDCCH以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図10を参照すると、第1の時間周波数リソースの時間ドメイン位置が、「ケース1」を満たすとき、第1の時間周波数リソース内のリソースの一部が図10の部分aに表される。第1の時間周波数リソースの時間ドメイン位置が、「ケース2」を満たすとき、第1の時間周波数リソース内のリソースの一部が図10の部分bに表される。第1の時間周波数リソースの時間ドメイン位置が、「ケース3」を満たすとき、第1の時間周波数リソース内のリソースの一部が図10の部分cに表される。第1の時間周波数リソースの時間ドメイン位置が、「ケース4」を満たすとき、第1の時間周波数リソース内のリソースの一部が図10の部分dに表される。図10のグリッド部分は、第1の時間周波数リソース内のリソースの一部である。任意選択で、ネットワークデバイスは、別のデバイスのPDCCHを制御リソースセットにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００４７】
第5の解決策では、第1の時間周波数リソース内のリソースの一部は、端末によって既にデコードされたPDCCH以外のサーチスペースの領域内の時間周波数リソースを含む。サーチスペースは、第1の時間周波数リソース内にあってもよく、または第1の時間ドメインリソースの外側にあってもよく、第1の時間周波数リソースと部分的に重複してもよい。「端末によって既にデコードされたPDCCH以外のサーチスペースの領域内の時間周波数リソース」は、端末によって既にデコードされたPDCCH以外で、第1の時間周波数リソースがサーチスペースと重複する領域内の残りの時間周波数リソースである。サーチスペースが第1の時間周波数リソース内にある一例が、第1の時間周波数リソース内のリソースの一部を説明するために以下で使用される。図11を参照すると、第1の時間周波数リソースの時間ドメイン位置が、「ケース1」を満たすとき、第1の時間周波数リソース内のリソースの一部が図11の部分aに表される。第1の時間周波数リソースの時間ドメイン位置が、「ケース2」を満たすとき、第1の時間周波数リソース内のリソースの一部が図11の部分bに表される。第1の時間周波数リソースの時間ドメイン位置が、「ケース3」を満たすとき、第1の時間周波数リソース内のリソースの一部が図11の部分cに表される。第1の時間周波数リソースの時間ドメイン位置が、「ケース4」を満たすとき、第1の時間周波数リソース内のリソースの一部が図11の部分dに表される。図11のグリッド部分は、第1の時間周波数リソース内のリソースの一部である。任意選択で、ネットワークデバイスは、別のデバイスのPDCCHをサーチスペースにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００４８】
第6の解決策では、第1の時間周波数リソース内のリソースの一部は、サーチスペース以外の制御リソースセット内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「サーチスペース以外の制御リソースセット内の時間周波数リソース」は、サーチスペース以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図12を参照すると、第1の時間周波数リソースの時間ドメイン位置が、「ケース1」を満たすとき、第1の時間周波数リソース内のリソースの一部が図12の部分aに表される。第1の時間周波数リソースの時間ドメイン位置が、「ケース2」を満たすとき、第1の時間周波数リソース内のリソースの一部が図12の部分bに表される。第1の時間周波数リソースの時間ドメイン位置が、「ケース3」を満たすとき、第1の時間周波数リソース内のリソースの一部が図12の部分cに表される。第1の時間周波数リソースの時間ドメイン位置が、「ケース4」を満たすとき、第1の時間周波数リソース内のリソースの一部が図12の部分dに表される。図12のグリッド部分は、第1の時間周波数リソース内のリソースの一部である。任意選択で、ネットワークデバイスは、別のデバイスのサーチスペースをサーチスペースにマッピングすることを可能な限り回避する必要がある。任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペース内の時間周波数リソース位置を端末に通知してもよい。
【００４９】
本発明のこの実施形態では、端末は、前述のケースの1つのみをサポートしてもよく、または前述のケースの少なくとも2つの任意の組み合わせをサポートしてもよい。端末は、事前構成に基づいて、第1の時間周波数リソース内のリソースの一部を直接決定してもよい。例えば、事前構成は、端末が「第2の」解決策を使用することによって第1の時間周波数リソース内のリソースの一部を決定することであり、それによって、端末は「第2の」解決策を使用することによって第1の時間周波数リソース内のリソースの一部を決定する。加えて、ネットワークデバイスは、端末に第1のメッセージを送信してもよく、端末は、ネットワークデバイスによって送信された第1のメッセージを受信し、第1のメッセージは、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。任意選択で、第3の指示情報は、第1の時間周波数リソース内のリソースの一部を決定するために使用される解決策を示す。従って、端末は、第3の指示情報によって示される解決策に従って、第1の時間周波数リソース内のリソースの一部を決定してもよい。第1のメッセージは、RRCシグナリングなどのより高いレイヤのシグナリングであってもよく、またはDCIであってもよい。任意選択で、第1メッセージが第3の指示情報を含むかどうかは、より高いレイヤのシグナリング（RRCシグナリングなど）を使用することによって通知される構成情報であってもよく、またはダウンリンク制御情報DCIを使用することによって通知されてもよく、またはDCI形式に結び付けられてもよい。いくつかのDCI形式は、第3の指示情報を含み、いくつかのDCI形式は含まない。異なるタイプのユーザについて異なる構成があり得る。いくつかのタイプのユーザについて第3の指示情報が存在し、他のタイプのユーザについて第3の指示情報が存在しない。端末は1つのタイプのユーザである。例えば、指示フィールドが第3の指示情報内に構成され、指示フィールドの1つのステータスが、第1の時間周波数リソース内のリソースの一部について異なる解決策に対応し、指示フィールドの別のステータスは、ターゲット時間周波数リソ
ースが第1の時間周波数リソースを含まないことを示すために使用される。例えば、指示フィールドはN個のビットを含み、Nは正の整数である。N＝3と仮定すると、001は、第1の時間周波数リソース内のリソースの一部が、「第1の」解決策で説明されている第1の時間周波数リソース内のリソースの一部であることを示すために使用されてもよく、010は、第1の時間周波数リソース内のリソースの一部が、「第2の」解決策で説明されている第1の時間周波数リソース内のリソースの一部であることを示すために使用されてもよく、011は、第1の時間周波数リソース内のリソースの一部が、「第3の」解決策で説明されている第1の時間周波数リソース内のリソースの一部であることを示すために使用されてもよく、100は、第1の時間周波数リソース内のリソースの一部が、「第4の」解決策で説明されている第1の時間周波数リソース内のリソースの一部であることを示すために使用されてもよく、101は、第1の時間周波数リソース内のリソースの一部が、「第5の」解決策で説明されている第1の時間周波数リソース内のリソースの一部であることを示すために使用されてもよく、110は、第1の時間周波数リソース内のリソースの一部が「第6の」解決策で説明されている第1の時間周波数リソース内のリソースの一部であることを示すために使用されてもよく、111は、データが第1の時間周波数リソースにおいて受信されないことを示すために使用されてもよい。それに応じて、第3の指示情報を受信した後、解析を通じて、第3の指示情報内の指示フィールドの値が001であることを取得するならば、端末は、「第1の」解決策を使用することによって第1の時間周波数リソース内のリソースの一部を決定し、解析を通じて、第3の指示情報内の指示フィールドの値が010であることを取得するならば、端末は、「第2の」解決策を使用することによって第1の時間周波数リソース内のリソースの一部を決定し、解析を通じて、第3の指示情報内の指示フィールドの値が011であることを取得するならば、端末は、「第3の」解決策を使用することによって第1の時間周波数リソース内のリソースの一部を決定し、解析を通じて、第3の指示情報内の指示フィールドの値が100であることを取得するならば、端末は、「第4の」解決策を使用することによって第1の時
間周波数リソース内のリソースの一部を決定し、解析を通じて、第3の指示情報内の指示フィールドの値が101であることを取得するならば、端末は、「第5の」解決策を使用することによって第1の時間周波数リソース内のリソースの一部を決定し、解析を通じて、第3の指示情報内の指示フィールドの値が110であることを取得するならば、端末は、「第6の」解決策を使用することによって第1の時間周波数リソース内のリソースの一部を決定し、または解析を通じて、第3の指示情報内の指示フィールドの値が111であることを取得するならば、端末は、データが第1の時間周波数リソースにおいて受信されないことを知る。同様に、Nは2に等しくてもよく、従って、最大4つの解決策のみが示され得る。例えば、00は、第1の時間周波数リソース内のリソースの一部が、「第1の」解決策で説明されている第1の時間周波数リソース内のリソースの一部であることを示すために使用されてもよく、01は、第1時間周波数リソース内のリソースの一部が、「第2の」解決策で説明されている第1の時間周波数リソース内のリソースの一部であることを示すために使用されてもよく、10は、第1の時間周波数リソース内のリソースの一部が、「第3の」解決策で説明されている第1の時間周波数リソース内のリソースの一部であることを示すために使用されてもよく、11は、データが第1の時間周波数リソースにおいて受信されないことを示すために使用されてもよい。データを受信するために使用され得るすべての第1の時間周波数リソース内のリソースの一部は、前述の6つの解決策の任意の組み合わせを含んでもよく、または別の同様の解決策を含んでもよい。第3の指示情報内の情報フィールド内のビットの数は、サポートされる解決策の数に基づいて決定されてもよく、第3の指示情報の情報フィールドの1つのステータスは、データが第1の時間周波数リソースにおいて受信されないことを示すために使用されてもよい。
【００５０】
端末によって受信された第1のメッセージが第3の指示情報を含まないならば、端末は第1の時間周波数リソースにおいてデータを受信する必要はない。言い換えれば、端末は、第1の時間周波数リソースを決定する必要はない。
【００５１】
第1の時間周波数リソース内のリソースの一部についてのいくつかの任意選択の解決策が、上記で説明されている。任意選択で、異なる条件が満たされるとき、第1の時間周波数リソース内のリソースの一部を決定するための解決策が異なってもよい。例えば、条件1が満たされるならば、第1の時間周波数リソース内のリソースの一部は、「解決策1」で説明されている第1の時間周波数リソース内のリソースの一部であり、条件2が満たされるならば、第1の時間周波数リソース内のリソースの一部は、「解決策2」で説明されている第1の時間周波数リソース内のリソースの一部であり、条件3が満たされるならば、第1の時間周波数リソース内のリソースの一部は、「解決策3」で説明されている第1の時間周波数リソース内のリソースの一部であり、条件4が満たされるならば、第1の時間周波数リソース内のリソースの一部は、「解決策4」で説明されている第1の時間周波数リソース内のリソースの一部であり、または条件5が満たされるならば、第1の時間周波数リソース内のリソースの一部は、「解決策5」で説明されている第1の時間周波数リソース内のリソースの一部である。条件1、条件2、条件3、条件4、および条件5は異なる条件である。これらの条件の具体的な内容は、ここで限定されない。
【００５２】
ステップS203：ネットワークデバイスは、制御リソースセットの時間ドメイン位置およびターゲット周波数ドメイン位置に基づいて第1の時間周波数リソースを決定する。
【００５３】
具体的には、ネットワークデバイスが第1の時間周波数リソースを決定する方式は、端末が第1の時間周波数リソースを決定する方式と同じであり、ネットワークデバイスによって決定された第1の時間周波数リソースおよび端末によって決定された第1の時間周波数リソースは同じ時間周波数リソースでもある。ネットワークデバイスは、ネットワークデバイスにアクセスする各デバイスの制御リソースセットを知っており、従って、ステップS202で端末によって使用される制御リソースセットもネットワークデバイスによって知られていることが理解され得る。加えて、ステップS202で端末によって使用されるターゲット周波数ドメイン位置も、第1の指示情報を使用することによって、ネットワークデバイスによって端末に示される。言い換えれば、ネットワークデバイスは、ターゲット周波数ドメイン位置に関する情報も有する。従って、ネットワークデバイスは、制御リソースセットおよびターゲット周波数ドメイン位置に基づいて第1の時間周波数リソースを決定してもよく、決定された第1の時間周波数リソースは、端末によって決定された第1の時間周波数リソースと同じである。第1の時間周波数リソースの特徴は、ステップS202において既に詳細に説明されており、詳細はここで再び説明されない。ステップS203とステップS202およびS201の順序は、ここで限定されないことが理解され得る。実現可能な解決策では、ステップS203は、S201の前、S201の後かつS202の前、またはS202の後に実行される。
【００５４】
ステップS204：ネットワークデバイスは、ターゲット時間周波数リソースにおいてデータを端末に送信する。
【００５５】
具体的には、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、端末のためにネットワークデバイスによってスケジュールされた時間周波数リソース、例えば、第2の指示情報を使用することによって端末のためにネットワークデバイスによってスケジュールされた時間周波数リソースであってもよい。任意選択で、第2の指示情報および第3の指示情報は、同じ指示情報内の異なるビットフィールドであってもよい。ターゲット時間周波数リソースが、第2の時間周波数リソースおよび第1の時間周波数リソース内のリソースの一部を含むとき、第1の時間周波数リソース内のリソースの一部について複数の可能な解決策があり得る。複数の可能な解決策は、ステップS202で詳細に説明されており、詳細はここで再び説明されない。ターゲット時間周波数リソースに具体的に含まれる部分は、端末デバイスおよびネットワークデバイス内に事前定義されることが理解され得る。このようにして、ネットワークデバイスおよび端末は、同じ設定に基づいて同じターゲット時間周波数リソースを決定してもよい。代替として、ターゲット時間周波数リソースに含まれる特定の部分は、ネットワークデバイスによって端末に示されてもよい。このようにして、ネットワークデバイスおよび端末が同じターゲット時間周波数リソースを使用することが保証されることも可能である。任意選択で、ここでの「データ」は、シグナリング（または制御情報）以外のデータである。
【００５６】
任意選択で、同じデータブロックの異なる部分が、ターゲット時間周波数リソースに含まれる第2の時間周波数リソースおよび第1の時間周波数リソース内のリソースの一部にマッピングされる。すなわち、リソースの2つの部分についてのデータは共同で完全なデータブロックを形成し、データブロックはトランスポートブロック（transport block、TB）、コードブロックグループ（code block group、CBG）、またはコードブロック（code block、CB）であってもよい。
【００５７】
それに応じて、端末は、ターゲット時間周波数リソースにおいて、ネットワークデバイスによって送信されたデータを受信する。
【００５８】
本発明のこの実施形態では、端末が第2の指示情報に基づいて第2の時間周波数リソースを決定するならば、制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースは分割される。このようにして、端末は、ネットワークデバイスによって別のデバイスに送信されたデータを受信することが防止されることが可能であり、すなわち、データ汚染が防止されることが可能である。
【００５９】
図2で説明された方法では、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【００６０】
図13は、本発明の一実施形態によるデータ受信方法を表す。この方法は、図1に表される通信システム10に基づいて実現されてもよい。この方法は、下記のステップを含むが、これらに限定されない。
【００６１】
ステップS1301：ネットワークデバイスは、第1の指示情報を端末に送信する。
【００６２】
具体的には、第1の指示情報は、ターゲット周波数ドメイン位置を示すために使用される。任意選択で、第1の指示情報は、代替として、第2の時間周波数リソースを示すことによって、ターゲット周波数ドメイン位置を示してもよい。例えば、第1の指示情報が1つの時間周波数リソースを示すならば、時間周波数リソースの周波数ドメイン位置は、ターゲット周波数ドメイン位置である。続く説明の容易さのために、第1の指示情報によって示される時間周波数リソースは、第2の時間周波数リソースと呼ばれる場合がある。第1の指示情報は、第2の時間周波数リソースの周波数パラメータ（例えば、周波数ドメイン開始位置および周波数ドメインの長さ）および時間ドメインパラメータ（例えば、時間ドメイン開始位置および時間ドメインの長さ）を搬送することによって、第2の時間周波数リソースを示してもよく、または第2の時間周波数リソースとの対応関係を有する事前設定された識別子を搬送することによって、第2の時間周波数リソースを示してもよい。代替として、第1の指示情報は、別の方式で第2の時間周波数リソースを示してもよく、第1の指示情報は、送信のためにより高いレイヤのシグナリング内で搬送されてもよく、または送信のためにダウンリンク制御情報DCI内で搬送されてもよい。
【００６３】
本発明のこの実施形態では、第2の時間周波数リソースは、端末がダウンリンクデータを受信するためにネットワークデバイスによってスケジュールされる時間周波数リソースであり得る。通常、第2の時間周波数リソースは、スケジューリング時間単位の最初のT個のシンボルにはない（例えば、スケジューリング時間単位の長さは、1つのサブフレーム、複数のサブフレーム、1つのスロット（slot）、複数のスロット、または複数のシンボルに等しくてもよい）。通常、最初のいくつかのシンボルにおけるリソースが制御情報を搬送し得るので、通常、スケジューリング時間単位は、ネットワークデバイスがスケジューリング情報を1回送信する時間の長さである。Tは正の整数である。例えば、先行技術のDCIと同様に、先行技術のDCIは、データを受信するために端末によって使用される時間周波数リソースを示す。例えば、DCIは、データ部分の時間ドメイン開始位置および時間ドメインの長さならびに周波数ドメイン開始位置および周波数ドメインの長さを示すことによって、時間周波数リソースのセグメントを示してもよい。本発明のこの実施形態における第2の時間周波数リソースは、時間周波数リソースのセグメントであってもよい。
【００６４】
それに応じて、端末は第1の指示情報を受信する。
【００６５】
具体的には、第1の指示情報を受信した後、端末は、ターゲット周波数ドメイン位置を決定するために、解析を通じて第1の指示情報の内容を取得する。例えば、第1の指示情報は、第2の時間周波数リソースを示し、第1の指示情報は、第2の時間周波数リソースの時間ドメインパラメータおよび周波数パラメータを含む。従って、端末は、第2の時間周波数リソースの周波数ドメインパラメータに基づいてターゲット周波数ドメイン位置を決定してもよい。別の例では、第1の指示情報は、第2の時間周波数リソースとの対応関係を有する時間周波数リソース識別子を含み、端末は、第2の時間周波数リソースの周波数ドメイン位置が、ターゲット周波数ドメイン位置であることを決定するために、時間周波数リソース識別子に基づいて第2の時間周波数リソースを決定してもよい。
【００６６】
ステップS1302：端末は、制御リソースセットの時間ドメイン位置およびターゲット周波数ドメイン位置に基づいて第1の時間周波数リソースを決定する。
【００６７】
具体的には、第1の時間周波数リソースの周波数ドメイン位置は、ターゲット周波数ドメイン位置と同じである。加えて、第1の時間周波数リソースの時間ドメイン位置は、制御リソースセットの時間ドメイン位置と同じであるか、または制御リソースセットの時間ドメイン位置にN個のシンボルを追加することによって取得される時間ドメイン位置と同じであり、Nは正の整数である。制御リソースセットは、CORESETであってもよく、制御リソースセットに関する情報は、端末デバイスおよびネットワークデバイス内に事前定義されてもよく、またはシグナリングを使用することによって事前にネットワークデバイスによって端末に通知されてもよい。シグナリングは、RRCシグナリングなどのより高いレイヤのシグナリングであってもよく、またはDCIでもあってもよい。従って、端末は、制御リソースセットの時間ドメイン位置を知っており、従って、ここで、制御リソースセットの時間ドメイン位置に基づいて第1の時間周波数リソースの周波数ドメイン位置を決定し得る。本発明のこの実施形態では、制御リソースセットは、1つの制御リソースセットであってもよく、または複数の制御リソースセットの集合であってもよい。制御リソースセットが、複数の制御リソースセットの集合であるとき、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。下記は、図を参照して、第1の時間周波数リソースのいくつかの可能なケースをリストする。各図の座標において、横軸は時間ドメインを示し、縦軸は周波数ドメインを示す。各図は、第1の時間周波数リソース、「使用不可」領域、第2の時間周波数リソース、制御リソースセット、サーチスペースSS、およびPDCCHを表す。「使用不可」領域は、端末以外のデバイスのために予約された時間周波数リソースである。いくつかのケースは、具体的には下記のとおりである。
【００６８】
ケース1：制御リソースセットは、1つの制御リソースセットであり、第1の時間周波数リソースの時間ドメイン位置は、制御リソースセットの時間ドメイン位置と同じである。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図14に表される。
【００６９】
ケース2：制御リソースセットは、1つの制御リソースセットであり、第1の時間周波数リソースの時間ドメイン位置は、制御リソースセットの時間ドメイン位置にN個のシンボルを追加することによって取得される時間ドメイン位置と同じであり、Nは正の整数である。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図15に表される。
【００７０】
ケース3：制御リソースセットは、複数の制御リソースセットである。複数の制御リソースセットの時間ドメイン位置は、包含関係にあっても、部分的に重複しても、または全く重複しなくてもよい。どのケースであるかにかかわらず、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットであることが決定され得る。第1の時間周波数リソースの周波数ドメインが、第2の時間周波数リソースの周波数ドメイン位置（すなわち、ターゲット周波数ドメイン位置）と同じであるならば、第1の時間周波数リソースは図16に表される。
【００７１】
ケース4：制御リソースセットは、複数の制御リソースセットである。複数の制御リソースセットの時間ドメインは、包含関係にあっても、部分的に重複しても、または全く重複しなくてもよい。どのケースであるかにかかわらず、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点にN個のシンボルを追加することによって取得される時間ドメイン位置と同じであることが決定され得る。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図17に表される。
【００７２】
第1の任意選択の解決策では、制御リソースセットの時間ドメイン位置およびターゲット周波数ドメイン位置に基づいて、端末が第1の時間周波数リソースを具体的にどのように決定するかを指定するために、ルールが端末内に事前構成される。任意選択で、ルールは、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を指定する。例えば、ルールは、第1の時間周波数リソースの時間ドメイン位置が、制御リソースセットの時間ドメイン位置と同じであることを指定する。このようにして、端末は、このルールに従ってケース1の方式で第1の時間周波数リソースを決定してもよい。
【００７３】
第2の任意選択の解決策では、端末が第1の時間周波数リソースを決定する前に、ネットワークデバイスは、第4の指示情報を端末に送信し、それに応じて、端末はネットワークデバイスによって送信された第4の指示情報を受信する。第4の指示情報は、RRCシグナリングなどのより高いレイヤのシグナリングであってもよく、または第4の指示情報はDCIであってもよい。第4の指示情報は、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を示すために使用される。例えば、第4の指示情報は、第1の時間周波数リソースの時間ドメイン位置が、制御リソースセットの時間ドメイン位置にN個のシンボルを追加することによって取得される時間ドメイン位置と同じであることを示す。別の例では、第4の指示情報は、第1の時間周波数リソースの時間ドメイン位置が、制御リソースセットの時間ドメイン位置と同じであることを示す。このようにして、端末は、第4の指示情報の指示に従ってケース2の方式で第2の時間ドメインリソースを決定してもよい。任意選択で、第4の指示および第1の指示情報は同じ指示情報内で搬送されてもよく、および／または第4の指示および第3の指示情報は同じ指示情報内で搬送されてもよい。
【００７４】
第1の時間周波数リソースは上記で説明され、ターゲット時間周波数リソースは以下で説明される。ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、端末のためにネットワークデバイスによってスケジュールされた時間周波数リソース、例えば、第2の指示情報を使用することによって端末のためにネットワークデバイスによってスケジュールされた時間周波数リソースであり得る。
【００７５】
ターゲット時間周波数リソースが、第2の時間周波数リソースおよび第1の時間周波数リソース内のリソースの一部を含むとき、第1の時間周波数リソース内のリソースの一部について下記のいくつかの可能な解決策がある。
【００７６】
第1の解決策では、第1の時間周波数リソース内のリソースの一部は、制御リソースセットと重複する領域以外の第1の時間周波数リソース内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。制御リソースセットが第1の時間周波数リソース内にあるとき、「制御リソースセットと重複する領域」は、制御リソースセットによって占有される領域のすべてである。制御リソースセットが第1の時間ドメインリソースの外側にあるとき、「制御リソースセットと重複する領域」は存在しない。このケースでは、「制御リソースセットと重複する領域以外の第1の時間周波数リソース内の時間周波数リソース」が、第1の時間周波数リソースである。制御リソースセットが第1の時間周波数リソース内にある一例が、第1の時間周波数リソース内のリソースの一部を説明するために以下で使用される。図18を参照すると、第1の時間周波数リソースの時間ドメイン位置が、「ケース1」を満たすとき、第1の時間周波数リソース内のリソースの一部が図18の部分aに表される。第1の時間周波数リソースの時間ドメイン位置が、「ケース2」を満たすとき、第1の時間周波数リソース内のリソースの一部が図18の部分bに表される。第1の時間周波数リソースの時間ドメイン位置が、「ケース3」を満たすとき、第1の時間周波数リソース内のリソースの一部が図18の部分cに表される。第1の時間周波数リソースの時間ドメインが、「ケース4」を満たすとき、第1の時間周波数リソース内のリソースの一部が図18の部分dに表される。図18のグリッド部分は、第1の時間周波数リソース内のリソースの一部である。任意選択で、ネットワークデバイスは、第1の時間周波数リソース内のリソースの一部において別のデバイスの制御リソースセットを送信することを可能な限り回避してもよい。しかしながら、これはネットワークデバイスによって実行されるスケジューリングに特有の制限をもたらす。そのような制限を減らすために、任意選択で、ネットワークデバイスは、シグナリングを使用することによって、別のデバイスの制御リソースセットの時間周波数リソース位置を端末に通知してもよい。このケースでは、第1の時間周波数リソース内のリソースの一部は、端末の制御リソースセットも別のデバイスの制御リソースセットも含まない。言い換えると、「制御リソースセットと重複する領域」は、端末の制御リソースセットと重複する領域と、別のデバイスの制御リソースセットと重複する領域の両方を含み、すなわち、端末のすべての既知の制御リソースセットと重複する領域を含む。
【００７７】
第2の解決策では、第1の時間周波数リソース内のリソースの一部は、サーチスペースと重複する領域以外の第1の時間周波数リソース内の時間周波数リソースを含む。サーチスペースは、第1の時間周波数リソース内にあってもよく、または第1の時間ドメインリソースの外側にあってもよく、さらに第1の時間周波数リソースと部分的に重複してもよい。サーチスペースが第1の時間周波数リソース内にあるとき、「サーチスペースと重複する領域」は、サーチスペースによって占有される領域のすべてである。サーチスペースが第1の時間ドメインリソースの外側にあるとき、「サーチスペースと重複する領域」は存在しない。このケースでは、「サーチスペースと重複する領域以外の第1の時間周波数リソース内の時間周波数リソース」が、第1の時間周波数リソースである。サーチスペースが第1の時間周波数リソース内にある一例が、第1の時間周波数リソース内のリソースの一部を説明するために以下で使用される。図19を参照すると、第1の時間周波数リソースの時間ドメイン位置が、「ケース1」を満たすとき、第1の時間周波数リソース内のリソースの一部が図19の部分aに表される。第1の時間周波数リソースの時間ドメイン位置が、「ケース2」を満たすとき、第1の時間周波数リソース内のリソースの一部が図19の部分bに表される。第1の時間周波数リソースの時間ドメイン位置が、「ケース3」を満たすとき、第1の時間周波数リソース内のリソースの一部が図19の部分cに表される。第1の時間周波数リソースの時間ドメイン位置が、「ケース4」を満たすとき、第1の時間周波数リソース内のリソースの一部が図19の部分dに表される。図19のグリッド部分は、第1の時間周波数リソース内のリソースの一部である。任意選択で、ネットワークデバイスは、別のデバイスのサーチスペースを第1の時間周波数リソース内のリソースの一部にマッピングすることを可能な限り回避してもよい。しかしながら、これはネットワークデバイスによって実行されるスケジューリングに特有の制限をもたらす。そのような制限を減らすために、任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペースを端末に通知してもよい。このケースでは、第1の時間周波数リソース内のリソースの一部は、端末のサーチスペースも、別のデバイスのサーチスペースによって占有される時間周波数リソース位置も含まない。言い換えると、「サーチスペースと重複する領域」は、端末のサーチスペースと重複する領域と、別のデバイスのサーチスペースと重複する領域の両方を含み、すなわち、端末のすべての既知のサーチスペースと重複する領域を含む。
【００７８】
第3の解決策では、第1の時間周波数リソース内のリソースの一部は、端末によって既にデコードされた物理ダウンリンク制御チャネルPDCCHと重複する領域以外の第1の時間周波数リソース内の時間周波数リソースを含む。端末によって既にデコードされたPDCCHは、第1の時間周波数リソース内にあってもよく、または第1の時間ドメインリソースの外側にあってもよく、さらに第1の時間周波数リソースと部分的に重複してもよい。端末によって既にデコードされたPDCCHが第1の時間周波数リソース内にあるとき、「端末によって既にデコードされたPDCCHと重複する領域」は、端末によって既にデコードされたPDCCHによって占有される領域のすべてである。端末によって既にデコードされたPDCCHが第1の時間ドメインリソースの外側にあるとき、「端末によって既にデコードされたPDCCHと重複する領域」は存在しない。このケースでは、「端末によって既にデコードされたPDCCHと重複する領域以外の第1の時間周波数リソース内の時間周波数リソース」が、第1の時間周波数リソースである。本発明のこの実施形態では、前述の第1の指示情報および第3の指示情報、ならびに続いて言及される第4の指示情報および第2の指示情報などの言及されたすべての指示情報について、端末によって既にデコードされたPDCCHは、指示情報がDCI内で搬送され、デコードされるという条件で、指示情報を含む。
【００７９】
端末によって既にデコードされたPDCCHが第1の時間周波数リソース内にある一例が、第1の時間周波数リソース内のリソースの一部を説明するために以下で使用される。図20を参照すると、第1の時間周波数リソースの時間ドメイン位置が、「ケース1」を満たすとき、第1の時間周波数リソース内のリソースの一部が図20の部分aに表される。第1の時間周波数リソースの時間ドメイン位置が、「ケース2」を満たすとき、第1の時間周波数リソース内のリソースの一部が図20の部分bに表される。第1の時間周波数リソースの時間ドメイン位置が、「ケース3」を満たすとき、第1の時間周波数リソース内のリソースの一部が図20の部分cに表される。第1の時間周波数リソースの時間ドメイン位置が、「ケース4」を満たすとき、第1の時間周波数リソース内のリソースの一部が図20の部分dに表される。図20のグリッド部分は、第1の時間周波数リソース内のリソースの一部である。任意選択で、ネットワークデバイスは、別のデバイスのPDCCHを第1の時間周波数リソース内のリソースの一部にマッピングすることを可能な限り回避してもよい。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００８０】
第4の解決策では、第1の時間周波数リソース内のリソースの一部は、端末によって既にデコードされたPDCCH以外の制御リソースセットの領域内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「端末によって既にデコードされたPDCCH以外の制御リソースセットの領域内の時間周波数リソース」は、端末によって既にデコードされたPDCCH以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図21を参照すると、第1の時間周波数リソースの時間ドメイン位置が、「ケース1」を満たすとき、第1の時間周波数リソース内のリソースの一部が図21の部分aに表される。第1の時間周波数リソースの時間ドメイン位置が、「ケース2」を満たすとき、第1の時間周波数リソース内のリソースの一部が図21の部分bに表される。第1の時間周波数リソースの時間ドメイン位置が、「ケース3」を満たすとき、第1の時間周波数リソース内のリソースの一部が図21の部分cに表される。第1の時間周波数リソースの時間ドメイン位置が、「ケース4」を満たすとき、第1の時間周波数リソース内のリソースの一部が図21の部分dに表される。図21のグリッド部分は、第1の時間周波数リソース内のリソースの一部である。任意選択で、ネットワークデバイスは、別のデバイスのPDCCHを制御リソースセットにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００８１】
第5の解決策では、第1の時間周波数リソース内のリソースの一部は、端末によって既にデコードされたPDCCH以外のサーチスペースの領域内の時間周波数リソースを含む。サーチスペースは、第1の時間周波数リソース内にあってもよく、または第1の時間ドメインリソースの外側にあってもよく、第1の時間周波数リソースと部分的に重複してもよい。「端末によって既にデコードされたPDCCH以外のサーチスペースの領域内の時間周波数リソース」は、端末によって既にデコードされたPDCCH以外で、第1の時間周波数リソースがサーチスペースと重複する領域内の残りの時間周波数リソースである。サーチスペースが第1の時間周波数リソース内にある一例が、第1の時間周波数リソース内のリソースの一部を説明するために以下で使用される。図11を参照すると、第1の時間周波数リソースの時間ドメイン位置が、「ケース1」を満たすとき、第1の時間周波数リソース内のリソースの一部が図22の部分aに表される。第1の時間周波数リソースの時間ドメイン位置が、「ケース2」を満たすとき、第1の時間周波数リソース内のリソースの一部が図22の部分bに表される。第1の時間周波数リソースの時間ドメイン位置が、「ケース3」を満たすとき、第1の時間周波数リソース内のリソースの一部が図22の部分cに表される。第1の時間周波数リソースの時間ドメイン位置が、「ケース4」を満たすとき、第1の時間周波数リソース内のリソースの一部が図22の部分dに表される。図22のグリッド部分は、第1の時間周波数リソース内のリソースの一部である。任意選択で、ネットワークデバイスは、別のデバイスのPDCCHをサーチスペースにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００８２】
第6の解決策では、第1の時間周波数リソース内のリソースの一部は、サーチスペース以外の制御リソースセット内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「サーチスペース以外の制御リソースセット内の時間周波数リソース」は、サーチスペース以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図23を参照すると、第1の時間周波数リソースの時間ドメイン位置が、「ケース1」を満たすとき、第1の時間周波数リソース内のリソースの一部が図23の部分aに表される。第1の時間周波数リソースの時間ドメイン位置が、「ケース2」を満たすとき、第1の時間周波数リソース内のリソースの一部が図23の部分bに表される。第1の時間周波数リソースの時間ドメイン位置が、「ケース3」を満たすとき、第1の時間周波数リソース内のリソースの一部が図23の部分cに表される。第1の時間周波数リソースの時間ドメイン位置が、「ケース4」を満たすとき、第1の時間周波数リソース内のリソースの一部が図23の部分dに表される。図23のグリッド部分は、第1の時間周波数リソース内のリソースの一部である。任意選択で、ネットワークデバイスは、別のデバイスのサーチスペースをサーチスペースにマッピングすることを可能な限り回避する必要がある。任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペースの時間周波数リソース位置を端末に通知してもよい。
【００８３】
本発明のこの実施形態では、第1の時間周波数リソース内のリソースの一部を決定するために、使用されるべき1つ以上の解決策が端末デバイスおよびネットワークデバイス内に事前構成され得る。このようにして、端末は、構成に基づいて第1の時間周波数リソース内のリソースの一部を直接決定してもよい。例えば、端末の構成が、「第2の」解決策を使用することによって第1の時間周波数リソース内のリソースの一部を決定することであるならば、端末は「第2の」解決策を使用することによって第1の時間周波数リソース内のリソースの一部を決定する。加えて、ネットワークデバイスは、端末に第1のメッセージを送信してもよく、端末は、ネットワークデバイスによって送信された第1のメッセージを受信し、第1のメッセージは、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。任意選択で、第3の指示情報は、第1の時間周波数リソース内のリソースの一部を決定するために使用される解決策を示す。従って、端末は、第3の指示情報によって示される解決策に従って、第1の時間周波数リソース内のリソースの一部を決定してもよい。第1のメッセージは、RRCシグナリングなどのより高いレイヤのシグナリングであってもよく、またはDCIであってもよい。任意選択で、第1メッセージが第3の指示情報を含むかどうかは、より高いレイヤのシグナリング（RRCシグナリングなど）を使用することによって通知される構成情報であってもよく、またはダウンリンク制御情報DCIを使用することによって通知されてもよく、またはDCI形式に結び付けられてもよい。いくつかのDCI形式は使用可能であり、いくつかのDCI形式は使用不可である。異なるタイプのユーザについて異なる構成があり得る。いくつかのタイプのユーザについて第3の指示情報が存在し、他のタイプのユーザについて第3の指示情報が存在しない。端末は1つのタイプのユーザである。例えば、指示フィールドが第3の指示情報内に構成され、指示フィールドの異なるステータスが、第1の時間周波数リソース内のリソースの一部について異なる解決策に対応し、指示フィールドの1つのステータスは、
ターゲット時間周波数リソースが第1の時間周波数リソースを含まないことを示すために使用される。例えば、指示フィールドはN個のビットを含み、Nは正の整数である。N＝3と仮定すると、001は、第1の時間周波数リソース内のリソースの一部が、「第1の」解決策で説明されている第1の時間周波数リソース内のリソースの一部であることを示すために使用されてもよく、010は、第1の時間周波数リソース内のリソースの一部が、「第2の」解決策で説明されている第1の時間周波数リソース内のリソースの一部であることを示すために使用されてもよく、011は、第1の時間周波数リソース内のリソースの一部が、「第3の」解決策で説明されている第1の時間周波数リソース内のリソースの一部であることを示すために使用されてもよく、100は、第1の時間周波数リソース内のリソースの一部が、「第4の」解決策で説明されている第1の時間周波数リソース内のリソースの一部であることを示すために使用されてもよく、101は、第1の時間周波数リソース内のリソースの一部が、「第5の」解決策で説明されている第1の時間周波数リソース内のリソースの一部であることを示すために使用されてもよく、110は、第1の時間周波数リソース内のリソースの一部が「第6の」解決策で説明されている第1の時間周波数リソース内のリソースの一部であることを示すために使用されてもよく、111は、データが第1の時間周波数リソースにおいて受信されないことを示すために使用されてもよい。それに応じて、第3の指示情報を受信した後、解析を通じて、第3の指示情報内の指示フィールドの値が001であることを取得するならば、端末は、「第1の」解決策を使用することによって第1の時間周波数リソース内のリソースの一部を決定し、解析を通じて、第3の指示情報内の指示フィールドの値が010であることを取得するならば、端末は、「第2の」解決策を使用することによって第1の時間周波数リソース内のリソースの一部を決定し、解析を通じて、第3の指示情報内の指示フィールドの値が011であることを取得するならば、端末は、「第3の」解決策を使用することによって第1の時間周波数リソース内のリソースの一部を決定し、解析を通じて、第3の指示情報内の指示フィールドの値が100であることを取得するならば、端末は、「第4の」解決策を使用
することによって第1の時間周波数リソース内のリソースの一部を決定し、解析を通じて、第3の指示情報内の指示フィールドの値が101であることを取得するならば、端末は、「第5の」解決策を使用することによって第1の時間周波数リソース内のリソースの一部を決定し、解析を通じて、第3の指示情報内の指示フィールドの値が110であることを取得するならば、端末は、「第6の」解決策を使用することによって第1の時間周波数リソース内のリソースの一部を決定し、または解析を通じて、第3の指示情報内の指示フィールドの値が111であることを取得するならば、端末は、データが第1の時間周波数リソースにおいて受信されないことを知る。同様に、Nは2に等しくてもよく、従って、最大4つの解決策のみが示され得る。例えば、00は、第1の時間周波数リソース内のリソースの一部が、「第1の」解決策で説明されている第1の時間周波数リソース内のリソースの一部であることを示すために使用されてもよく、01は、第1時間周波数リソース内のリソースの一部が、「第2の」解決策で説明されている第1の時間周波数リソース内のリソースの一部であることを示すために使用されてもよく、10は、第1の時間周波数リソース内のリソースの一部が、「第3の」解決策で説明されている第1の時間周波数リソース内のリソースの一部であることを示すために使用されてもよく、11は、データが第1の時間周波数リソースにおいて受信されないことを示すために使用されてもよい。データを受信するために使用され得るすべての第1の時間周波数リソース内のリソースの一部は、前述の6つの解決策の任意の組み合わせを含んでもよく、または別の同様の解決策を含んでもよい。第3の指示情報内の情報フィールド内のビットの数は、サポートされる解決策の数に基づいて決定されてもよく、第3の指示情報内の情報フィールド内の1つのステータスは、データが第1の時間周波数リソースにおいて受信されないことを示すために使用されてもよい。
【００８４】
端末によって受信された第1のメッセージが第3の指示情報を含まないならば、端末は第1の時間周波数リソースにおいてデータを受信する必要はない。言い換えれば、ユーザが、第1の時間周波数リソースを決定する必要はない。
【００８５】
第1の時間周波数リソース内のリソースの一部についてのいくつかの任意選択の解決策が、上記で説明されている。任意選択で、異なる条件が満たされるとき、第1の時間周波数リソース内のリソースの一部を決定するための解決策が異なってもよい。例えば、条件1が満たされるならば、第1の時間周波数リソース内のリソースの一部は、「解決策1」で説明されている第1の時間周波数リソース内のリソースの一部であり、条件2が満たされるならば、第1の時間周波数リソース内のリソースの一部は、「解決策2」で説明されている第1の時間周波数リソース内のリソースの一部であり、条件3が満たされるならば、第1の時間周波数リソース内のリソースの一部は、「解決策3」で説明されている第1の時間周波数リソース内のリソースの一部であり、条件4が満たされるならば、第1の時間周波数リソース内のリソースの一部は、「解決策4」で説明されている第1の時間周波数リソース内のリソースの一部であり、または条件5が満たされるならば、第1の時間周波数リソース内のリソースの一部は、「解決策5」で説明されている第1の時間周波数リソース内のリソースの一部である。条件1、条件2、条件3、条件4、および条件5は異なる条件である。これらの条件の具体的な内容は、ここで限定されない。
【００８６】
ステップS1303：ネットワークデバイスは、制御リソースセットの時間ドメイン位置およびターゲット周波数ドメイン位置に基づいて第1の時間周波数リソースを決定する。
【００８７】
具体的には、ネットワークデバイスが第1の時間周波数リソースを決定する方式は、端末が第1の時間周波数リソースを決定する方式と同じであり、ネットワークデバイスによって決定された第1の時間周波数リソースおよび端末によって決定された第1の時間周波数リソースは同じ時間周波数リソースでもある。ネットワークデバイスは、ネットワークデバイスにアクセスする各デバイスの制御リソースセットを知っており、従って、ステップS1302で端末によって使用される制御リソースセットもネットワークデバイスによって知られていることが理解され得る。加えて、ステップS1302で端末によって使用されるターゲット周波数ドメイン位置も、第1の指示情報を使用することによって、ネットワークデバイスによって端末に示される。言い換えれば、ネットワークデバイスは、ターゲット周波数ドメイン位置に関する情報も有する。従って、ネットワークデバイスは、制御リソースセットおよびターゲット周波数ドメイン位置に基づいて第1の時間周波数リソースを決定してもよく、決定された第1の時間周波数リソースは、端末によって決定された第1の時間周波数リソースと同じである。第1の時間周波数リソースの特徴は、ステップS1302において既に詳細に説明されており、詳細はここで再び説明されない。ステップS1303とステップS1302およびS1301の順序は、ここで限定されないことが理解され得る。実現可能な解決策では、ステップS1303は、S1301の前、S1301の後かつS1302の前、またはS1302の後に実行される。
【００８８】
ステップS1304：ネットワークデバイスは、ターゲット時間周波数リソースにおいてデータを端末に送信する。
【００８９】
具体的には、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、ステップS1301において既に説明されており、詳細はここで再び説明されない。ターゲット時間周波数リソースが、第2の時間周波数リソースおよび第1の時間周波数リソース内のリソースの一部を含むとき、第1の時間周波数リソース内のリソースの一部について複数の可能な解決策があり得る。複数の可能な解決策は、ステップS1302で詳細に説明されており、詳細はここで再び説明されない。ターゲット時間周波数リソースに具体的に含まれる部分は、端末デバイスおよびネットワークデバイス内に事前定義されることが理解され得る。このようにして、ネットワークデバイスおよび端末は、同じ構成に基づいて同じターゲット時間周波数リソースを決定してもよい。代替として、ターゲット時間周波数リソースに含まれる特定の部分は、ネットワークデバイスによって端末に示されてもよい。このようにして、ネットワークデバイスおよび端末が同じターゲット時間周波数リソースを使用することが保証されることも可能である。任意選択で、ここでの「データ」は、シグナリング（または制御情報）以外のデータである。
【００９０】
任意選択で、同じデータブロックの異なる部分が、ターゲット時間周波数リソースに含まれる第2の時間周波数リソースおよび第1の時間周波数リソース内のリソースの一部にマッピングされる。すなわち、リソースの2つの部分についてのデータは共同で完全なデータブロックを形成し、データブロックはトランスポートブロックTB、コードブロックグループCBG、またはコードブロックCBであってもよい。それに応じて、端末は、ターゲット時間周波数リソースにおいて、ネットワークデバイスによって送信されたデータを受信する。
【００９１】
本発明のこの実施形態では、第1の指示情報が、第2の時間周波数リソースを示すことによってターゲット周波数ドメイン位置を示すとき、端末が解析を通じて第2の時間周波数リソースを取得した後、同じデータブロックの異なる部分は、ターゲット時間周波数リソースに含まれる第2の時間周波数リソースおよび第1の時間周波数リソース内のリソースの一部にマッピングされる。すなわち、リソースの2つの部分についてのデータは共同で完全なデータブロックを形成し、データブロックはトランスポートブロックTB、コードブロックグループCBG、またはコードブロックCBであってもよい。任意選択で、第3の指示情報および第1の指示情報は、同じ指示情報の異なるビットフィールド、例えば、同じDCI内の異なるビットフィールドである。このようにして、制御情報によって占有されるオーバーヘッドが減らされることが可能である。
【００９２】
加えて、制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースが分割され、端末は第1の時間周波数リソース内のターゲットリソースにおいてデータを受信する。このようにして、端末は、ネットワークデバイスによって別のデバイスに送信されたデータを受信することが防止されることが可能であり、すなわち、データ汚染が防止されることが可能である。
【００９３】
図13で説明された方法では、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【００９４】
図24は、本発明の一実施形態による端末240の概略構造図である。端末240は、受信ユニット2401および処理ユニット2402を含むことが可能であり、端末240は、前述の方法を実現することが可能である。
【００９５】
受信ユニット2401は、第1の指示情報を受信するように構成され、第1の指示情報は、ターゲット周波数ドメイン位置を示すために使用される。処理ユニット2402は、制御リソースセットの時間ドメイン位置およびターゲット周波数ドメイン位置に基づいて第1の時間周波数リソースを決定するように構成され、第1の時間周波数リソースの周波数ドメイン位置はターゲット周波数ドメイン位置と同じであり、第1の時間周波数リソースの時間ドメイン位置は制御リソースセットの時間ドメイン位置と同じであるか、または第1の時間周波数リソースの時間ドメイン位置は制御リソースセットの時間ドメイン位置およびN個のシンボルの時間ドメイン位置の合計と同じであり、Nは正の整数である。受信ユニット2401は、ターゲット時間周波数リソースにおいてデータを受信するようにさらに構成され、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。
【００９６】
任意選択の解決策では、第1の時間周波数リソース内のターゲット時間周波数リソースにおいてデータを受信する前に、受信ユニット2401は、ネットワークデバイスによって送信された第1のメッセージを受信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【００９７】
別の任意選択の解決策では、処理ユニット2402が制御リソースセットの時間ドメイン位置およびターゲット周波数ドメイン位置に基づいて第1の時間周波数リソースを決定する前に、受信ユニット2401は、ネットワークデバイスによって送信された第4の指示情報を受信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。
【００９８】
各ユニットの実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【００９９】
図25は、本発明の一実施形態によるネットワークデバイス250の概略構造図である。ネットワークデバイス250は、送信ユニット2501、処理ユニット2502、および受信ユニット2503を含むことが可能であり、ネットワークデバイス250は、前述の方法を実現することが可能である。
【０１００】
送信ユニット2501は、第1の指示情報を端末に送信するように構成され、第1の指示情報は、ターゲット周波数ドメイン位置を示すために使用される。処理ユニット2502は、制御リソースセットの時間ドメイン位置およびターゲット周波数ドメイン位置に基づいて第1の時間周波数リソースを決定するように構成され、第1の時間周波数リソースの周波数ドメイン位置はターゲット周波数ドメイン位置と同じであり、第1の時間周波数リソースの時間ドメイン位置は制御リソースセットの時間ドメイン位置と同じであるか、または第1の時間周波数リソースの時間ドメイン位置は制御リソースセットの時間ドメイン位置およびN個のシンボルの時間ドメイン位置の合計と同じであり、Nは正の整数である。受信ユニット2503は、ターゲット時間周波数リソースにおいてデータを受信するように構成され、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。
【０１０１】
任意選択の解決策では、受信ユニット2503がターゲット時間周波数リソースにおいてデータを受信する前に、送信ユニット2501は、第1のメッセージを端末に送信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０１０２】
別の任意選択の解決策では、受信ユニット2503がターゲット時間周波数リソースにおいてデータを受信する前に、送信ユニット2501は、第4の指示情報を端末に送信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示されてもよい。このようにして、端末のためにスケジュールされたターゲット時間周波数リソースは、より大きな範囲を有することが可能であり、それによりリソース利用を効果的に向上させる。
【０１０３】
各ユニットの実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【０１０４】
図26は、本発明の一実施形態による端末260を表す。端末260は、プロセッサ2601、メモリ2602、およびトランシーバ2603を含む。プロセッサ2601、メモリ2602、およびトランシーバ2603は、バスを使用することによって互いに接続されている。
【０１０５】
端末260のプロセッサ2601は、メモリ2602に記憶されたプログラムコードを読み取って、下記の動作、すなわち、
トランシーバ2603を使用することによって第1の指示情報を受信する動作であって、第1の指示情報が、ターゲット周波数ドメイン位置を示すために使用される、動作と、制御リソースセットの時間ドメイン位置およびターゲット周波数ドメイン位置に基づいて第1の時間周波数リソースを決定する動作であって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または第1の時間周波数リソースの時間ドメイン位置が、制御リソースセットの時間ドメイン位置およびN個のシンボルの時間ドメイン位置の合計と同じであり、Nが正の整数である、動作と、トランシーバ2603を使用することによってターゲット時間周波数リソースにおいてデータを受信する動作であって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、動作と、を実行するように構成される。
【０１０６】
任意選択の解決策では、プロセッサ2601が、トランシーバ2603を使用することによって第1の時間周波数リソース内のターゲット時間周波数リソースにおいてデータを受信する前に、プロセッサ2601は、トランシーバ2603を使用することによって、ネットワークデバイスによって送信された第1のメッセージを受信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０１０７】
別の任意選択の解決策では、第1のメッセージは、第2の指示情報をさらに含み、第2の指示情報は、第2の時間周波数リソースを示すために使用される。このようにして、制御情報によって占有されるリソースのオーバーヘッドが減らされることが可能である。任意選択で、第1のメッセージが第3の指示情報を含むかどうかは、より高いレイヤのシグナリング（RRCシグナリングなど）を使用することによって示されてもよく、またはダウンリンク制御情報DCIの情報を使用することによって示されてもよく、またはDCI形式を使用することによって示されてもよい。いくつかのDCI形式について第3の指示情報が存在する場合があり、他のDCI形式について第3の指示情報が存在しない場合がある。代替として、異なるタイプのユーザについて異なる構成があり得る。いくつかのタイプのユーザについて第3の指示情報が存在する場合があり、他のタイプのユーザについて第3の指示情報が存在しない場合がある。端末は1つのタイプのユーザである。
【０１０８】
別の任意選択の解決策では、ターゲット時間周波数リソースは、第2の時間周波数リソースおよび第1の時間周波数リソース内のリソースの一部を含み、第1の時間周波数リソース内のリソースの一部は、制御リソースセットと重複する領域以外の第1の時間周波数リソース内の時間周波数リソースを含み、または第1の時間周波数リソース内のリソースの一部は、サーチスペースと重複する領域以外の第1の時間周波数リソース内の時間周波数リソースを含み、または第1の時間周波数リソース内のリソースの一部は、端末によって既にデコードされた物理ダウンリンク制御チャネルPDCCHと重複する領域以外の第1の時間周波数リソース内の時間周波数リソースを含み、または第1の時間周波数リソース内のリソースの一部は、端末によって既にデコードされたPDCCH以外の制御リソースセット内の時間周波数リソースを含み、または第1の時間周波数リソース内のリソースの一部は、端末によって既にデコードされたPDCCH以外のサーチスペース内の時間周波数リソースを含み、または第1の時間周波数リソース内のリソースの一部は、サーチスペース以外の制御リソースセット内の時間周波数リソースを含む。第1の時間周波数リソース内のいくつかの特定のリソースは、端末デバイスおよびネットワークデバイス内に事前構成されてもよく、またはネットワークデバイスによって端末に送信された第1のメッセージに含まれる第3の指示情報の第1のステータスを使用することによって端末に通知されてもよいことが理解され得る。任意選択で、第3の指示情報はM個の情報ビットを含み、Mは正の整数である。M個の情報ビットの第1のステータスは、第1の時間周波数リソース内のリソースの一部の一ケースに対応する。Mの値は、端末によってサポートされる第1の時間周波数リソース内のリソースの一部のケースの数に関連する。任意選択で、端末によってサポートされる第1の時間周波数リソース内のリソースの一部のすべてのケースは、より高いレイヤのシグナリングを使用することによって構成されるか、または事前設定される。
【０１０９】
別の任意選択の解決策では、プロセッサ2601が制御リソースセットの時間ドメイン位置およびターゲット周波数ドメイン位置に基づいて第1の時間周波数リソースを決定する前に、プロセッサ2601は、ネットワークデバイスによって送信された第4の指示情報を、トランシーバ2603を使用することによって受信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示されてもよい。このようにして、端末のためにスケジュールされたターゲット時間周波数リソースは、より大きな範囲を有することが可能であり、それによりリソース利用を効果的に向上させる。
【０１１０】
別の任意選択の解決策では、制御リソースセットは、複数の制御リソースセットを含み、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。
【０１１１】
別の任意選択の解決策では、ターゲット周波数ドメイン位置は、第2の時間周波数リソースの周波数ドメイン位置であり、第1の指示情報は、第2の時間周波数リソースを示すことによってターゲット周波数ドメイン位置を示す。
【０１１２】
別の任意選択の解決策では、第1の時間周波数リソースおよび第2の時間周波数リソースは時間ドメインにおいて不連続である。制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースは分割されることが理解され得る。このようにして、端末は、ネットワークデバイスによって別のデバイスに送信されたデータを受信することが防止されることが可能であり、すなわち、データ汚染が防止されることが可能である。
【０１１３】
各動作の実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【０１１４】
さらに、本発明の一実施形態は装置をさらに提供する。装置は、前述の端末デバイスのチップ、例えばベースバンドプロセッサであってもよい。装置は、プロセッサおよびメモリを含む。プロセッサは、メモリに記憶されたプログラムコードを読み取って、前述の方法における動作を実行するように構成される。この実施形態におけるメモリは、チップ内の記憶コンポーネントであってもよいことが留意されるべきである。前述の端末260に含まれるメモリ2603は、プロセッサ2601内のメモリであってもよく、またはプロセッサ2601とは独立した記憶チップであってもよい。
【０１１５】
図27は、本発明の一実施形態によるネットワークデバイス270を表す。ネットワークデバイス270は、プロセッサ2701、メモリ2702、およびトランシーバ2703を含む。プロセッサ2701、メモリ2702、およびトランシーバ2703は、バスを使用することによって互いに接続される。
【０１１６】
ネットワークデバイス270内のプロセッサ2701は、メモリ2702に記憶されたプログラムコードを読み取って、下記の動作、すなわち、トランシーバ2703を使用することによって第1の指示情報を端末に送信する動作であって、第1の指示情報が、ターゲット周波数ドメイン位置を示すために使用される、動作と、制御リソースセットの時間ドメイン位置およびターゲット周波数ドメイン位置に基づいて第1の時間周波数リソースを決定する動作であって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または第1の時間周波数リソースの時間ドメイン位置が、制御リソースセットの時間ドメイン位置およびN個のシンボルの時間ドメイン位置の合計と同じであり、Nが正の整数である、動作と、トランシーバ2703を使用することによってターゲット時間周波数リソースにおいてデータを受信する動作であって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、動作と、を実行するように構成される。
【０１１７】
前述の動作を実行することによって、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【０１１８】
任意選択の解決策では、プロセッサ2701が、トランシーバ2703を使用することによってターゲット時間周波数リソースにおいてデータを受信する前に、プロセッサ2701は、トランシーバ2703を使用することによって、第1のメッセージを端末に送信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０１１９】
別の任意選択の解決策では、第1のメッセージは、第2の指示情報をさらに含み、第2の指示情報は、第2の時間周波数リソースを示すために使用される。このようにして、制御情報によって占有されるリソースのオーバーヘッドが減らされることが可能である。任意選択で、第1のメッセージが第3の指示情報を含むかどうかは、より高いレイヤのシグナリング（RRCシグナリングなど）を使用することによって示されてもよく、またはダウンリンク制御情報DCIの情報を使用することによって示されてもよく、またはDCI形式を使用することによって示されてもよい。いくつかのDCI形式について第3の指示情報が存在する場合があり、他のDCI形式について第3の指示情報が存在しない場合がある。代替として、異なるタイプのユーザについて異なる構成があり得る。いくつかのタイプのユーザについて第3の指示情報が存在する場合があり、他のタイプのユーザについて第3の指示情報が存在しない場合がある。端末は1つのタイプのユーザである。
【０１２０】
別の任意選択の解決策では、ターゲット時間周波数リソースは、第2の時間周波数リソースおよび第1の時間周波数リソース内のリソースの一部を含み、第1の時間周波数リソース内のリソースの一部は、制御リソースセットと重複する領域以外の第1の時間周波数リソース内の時間周波数リソースを含み、または第1の時間周波数リソース内のリソースの一部は、サーチスペースと重複する領域以外の第1の時間周波数リソース内の時間周波数リソースを含み、または第1の時間周波数リソース内のリソースの一部は、端末によって既にデコードされた物理ダウンリンク制御チャネルPDCCHと重複する領域以外の第1の時間周波数リソース内の時間周波数リソースを含み、または第1の時間周波数リソース内のリソースの一部は、端末によって既にデコードされたPDCCH以外の制御リソースセット内の時間周波数リソースを含み、または第1の時間周波数リソース内のリソースの一部は、端末によって既にデコードされたPDCCH以外のサーチスペース内の時間周波数リソースを含み、または第1の時間周波数リソース内のリソースの一部は、サーチスペース以外の制御リソースセット内の時間周波数リソースを含む。第1の時間周波数リソース内のいくつかの特定のリソースは、事前構成されてもよく、またはネットワークデバイスによって端末に送信された第1のメッセージに含まれる第3の指示情報の第1のステータスを使用することによって端末に通知されてもよいことが理解され得る。任意選択で、第3の指示情報はM個の情報ビットを含み、Mは正の整数である。M個の情報ビットの第1のステータスは、第1の時間周波数リソース内のリソースの一部の一ケースに対応する。Mの値は、端末によってサポートされる第1の時間周波数リソース内のリソースの一部のケースの数に関連する。任意選択で、端末によってサポートされる第1の時間周波数リソース内のリソースの一部のすべてのケースは、より高いレイヤのシグナリングを使用することによって構成されるか、または事前設定される。
【０１２１】
別の任意選択の解決策では、プロセッサ2701がトランシーバ2703を使用することによってターゲット時間周波数リソースにおいてデータを受信する前に、プロセッサ2701は、トランシーバ2703を使用することによって第4の指示情報を端末に送信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示されてもよい。このようにして、端末のためにスケジュールされたターゲット時間周波数リソースは、より大きな範囲を有することが可能であり、それによりリソース利用を効果的に向上させる。
【０１２２】
別の任意選択の解決策では、制御リソースセットは、複数の制御リソースセットを含み、制御リソースセットの時間ドメイン位置の開始点は、第1の制御リソースセットの時間ドメイン位置の開始点と同じであり、制御リソースセットの時間ドメイン位置の終了点は、第2の制御リソースセットの時間ドメイン位置の終了点と同じであり、第1の制御リソースセットは、複数の制御リソースセット内の先頭の開始時間ドメイン位置を有する制御リソースセットであり、第2の制御リソースセットは、複数の制御リソースセット内の末尾の時間ドメイン位置を有する制御リソースセットである。
【０１２３】
別の任意選択の解決策では、ターゲット周波数ドメイン位置は、第2の時間周波数リソースの周波数ドメイン位置であり、第1の指示情報は、第2の時間周波数リソースを示すことによってターゲット周波数ドメイン位置を示す。
【０１２４】
別の任意選択の解決策では、第1の時間周波数リソースおよび第2の時間周波数リソースは時間ドメインにおいて不連続である。制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースは分割されることが理解され得る。このようにして、端末は、ネットワークデバイスによって別のデバイスに送信されたデータを受信することが防止されることが可能であり、すなわち、データ汚染が防止されることが可能である。
【０１２５】
各ユニットの実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【０１２６】
メモリ2602およびメモリ2702はそれぞれ、ランダムアクセスメモリ（英語：Random Access Memory、略してRAM）、リードオンリメモリ（英語：Read-Only Memory、略してROM）、消去可能プログラマブル・リードオンリメモリ（英語：Erasable Programmable Read Only Memory、略してEPROM）、またはコンパクトディスク・リードオンリメモリ（英語：Compact Disc Read-Only Memory、略してCD-ROM）を含むが、これらに限定されない。メモリ2302は、関連する命令および関連するデータを記憶するように構成される。トランシーバ2603およびトランシーバ2703は、データを受信および送信するように構成される。
【０１２７】
プロセッサ2601およびプロセッサ2701はそれぞれ、1つ以上の中央処理ユニット（英語：Central Processing Unit、略してCPU）であってもよい。プロセッサ2601が1つのCPUであるとき、CPUはシングルコアCPUまたはマルチコアCPUであってもよい。
【０１２８】
結論として、本発明の実施形態の実装を通じて、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【０１２９】
この技術分野の当業者は、実施形態における方法のプロセスのすべてまたはいくつかが、関連するハードウェアに命令するコンピュータプログラムによって実現され得ることを理解し得る。プログラムは、コンピュータ読み取り可能な記憶媒体に記憶されてもよい。プログラムが実行されるとき、実施形態における方法のプロセスが実行される。前述の記憶媒体は、ROM、またはランダムアクセスメモリRAM、磁気ディスク、または光ディスクなどの、プログラムコードを記憶することができる任意の媒体を含む。
【符号の説明】
【０１３０】
10  通信システム
101  ネットワークデバイス
102  端末
240  端末
250  ネットワークデバイス
260  端末
270  ネットワークデバイス
2401  受信ユニット
2402  処理ユニット
2501  送信ユニット
2502  処理ユニット
2503  受信ユニット
2601  プロセッサ
2602  メモリ
2603  トランシーバ
2701  プロセッサ
2702  メモリ
2703  トランシーバ
【図１】
2020523927.tif 000003
【図２】
2020523927.tif 000004
【図３】
2020523927.tif 000005
【図４】
2020523927.tif 000006
【図５】
2020523927.tif 000007
【図６】
2020523927.tif 000008
【図７】
2020523927.tif 000009
【図８】
2020523927.tif 000010
【図９】
2020523927.tif 000011
【図１０】
2020523927.tif 000012
【図１１】
2020523927.tif 000013
【図１２】
2020523927.tif 000014
【図１３】
2020523927.tif 000015
【図１４】
2020523927.tif 000016
【図１５】
2020523927.tif 000017
【図１６】
2020523927.tif 000018
【図１７】
2020523927.tif 000019
【図１８】
2020523927.tif 000020
【図１９】
2020523927.tif 000021
【図２０】
2020523927.tif 000022
【図２１】
2020523927.tif 000023
【図２２】
2020523927.tif 000024
【図２３】
2020523927.tif 000025
【図２４】
2020523927.tif 000026
【図２５】
2020523927.tif 000027
【図２６】
2020523927.tif 000028
【図２７】
2020523927.tif 000029
【手続補正書】
【提出日】令和2年1月24日(2020.1.24)
【手続補正１】
【補正対象書類名】明細書
【補正対象項目名】全文
【補正方法】変更
【補正の内容】
【発明の詳細な説明】
【技術分野】
【０００１】
本発明は、通信技術の分野、詳細には、データ受信方法、関連するデバイス、およびシステムに関する。
【背景技術】
【０００２】
ロング・ターム・エボリューション（Long Term Evolution、LTE）システムでは、制御チャネル領域はサブフレーム内の最初の1つから3つのシンボル内に配置され、物理制御形式インジケータチャネル（physical control format indicator channel、PCFICH）を使用することによって、制御チャネル領域によって占有されるシンボルの特定の数が通知され得る。第5世代のモバイル通信技術（5th Generation、5G）の新しい無線（new radio、NR）では、制御リソースセット（control resource set、CORESET）が制御情報を送信するために定義され、各端末は1つ以上のCORESETを有し得る。端末のCORESETは、共通のCORESET（複数の端末によって共有される）および端末に固有のCORESETを含むことが可能であり、端末の制御チャネルは送信のために端末のCORESET内に含まれる。このケースでは、どのようにリソース利用を向上させ、端末によって受信されたデータが汚染されるのを防ぐかは、この技術分野の当業者によって研究されている技術的課題である。
【発明の概要】
【課題を解決するための手段】
【０００３】
本発明の実施形態によって解決されるべき技術的課題は、リソース利用を向上させ、データ汚染を防止するために、データ受信方法、関連するデバイス、およびシステムを提供することである。
【０００４】
第1の態様によれば、本発明の一実施形態は、データ受信方法を提供する。この方法は、端末により、第1の指示情報を受信するステップであって、第1の指示情報が、ターゲット周波数ドメイン位置を示すために使用される、ステップと、端末により、制御リソースセットの時間ドメイン位置およびターゲット周波数ドメイン位置に基づいて第1の時間周波数リソースを決定するステップであって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または第1の時間周波数リソースの時間ドメイン位置が、制御リソースセットの時間ドメイン位置およびN個のシンボルの時間ドメイン位置の合計と同じであり、Nが正の整数である、ステップと、端末により、ターゲット時間周波数リソースにおいてデータを受信するステップであって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、ステップと、を含む。
【０００５】
第2の態様によれば、本発明の一実施形態は、データ送信方法を提供する。この方法は、ネットワークデバイスにより、第1の指示情報を端末に送信するステップであって、第1の指示情報が、ターゲット周波数ドメイン位置を示すために使用される、ステップと、ネットワークデバイスにより、制御リソースセットの時間ドメイン位置およびターゲット周波数ドメイン位置に基づいて第1の時間周波数リソースを決定するステップであって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、第1の時間周波数リソースの時間ドメイン位置が、制御リソースセットの時間ドメイン位置およびN個のシンボルの時間ドメイン位置の合計と同じであり、Nが正の整数である、ステップと、ネットワークデバイスにより、ターゲット時間周波数リソースにおいてデータを送信するステップであって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、ステップと、を含む。
【０００６】
前述のステップの実装を通じて、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用されることが可能であり、それによりリソース利用を向上させる。
【０００７】
任意選択で、端末により、第1の時間周波数リソース内のターゲット時間周波数リソースにおいてデータを受信するステップの前に、この方法は、端末により、ネットワークデバイスによって送信された第1のメッセージを受信するステップ、およびそれに応じて、ネットワークデバイスにより、第1のメッセージを端末に送信するステップをさらに含む。第1のメッセージは、第3の指示情報を含むことが可能であり、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０００８】
任意選択で、端末により、制御リソースセットの時間ドメイン位置およびターゲット周波数ドメイン位置に基づいて第1の時間周波数リソースを決定するステップの前に、この方法は、端末により、ネットワークデバイスによって送信された第4の指示情報を受信するステップをさらに含み、それに応じて、ネットワークデバイスにより、ターゲット時間周波数リソースにおいてデータを送信するステップの前に、この方法は、ネットワークデバイスにより、端末に第4の指示情報を送信するステップをさらに含む。第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が制御リソースセットの時間ドメイン位置と同じであることを示すために使用されるか、または第4の指示情報は、第1の時間周波数リソースの時間ドメイン位置が制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示され得る。このようにして、端末のためにスケジュールされたターゲット時間周波数リソースは、より大きな範囲を有することが可能であり、それによりリソース利用を効果的に向上させる。
【０００９】
第3の態様によれば、本発明の一実施形態は端末を提供する。端末は、プロセッサ、メモリ、およびトランシーバを含む。メモリは、命令を記憶するように構成され、プロセッサは、メモリ内の命令を呼び出して、第1の態様および第1の態様の実装による方法を実行する。
【００１０】
第4の態様によれば、本発明の一実施形態はネットワークデバイスを提供する。ネットワークデバイスは、プロセッサ、メモリ、およびトランシーバを含む。メモリは、命令を記憶するように構成され、プロセッサは、メモリ内の命令を呼び出して、第2の態様および第2の態様の実装による方法を実行する。
【００１１】
第5の態様によれば、本発明の一実施形態は端末を提供する。端末は、受信ユニットおよび処理ユニットを含み、第1の態様および第1の態様の実装によるステップを実行するように構成される。
【００１２】
第6の態様によれば、本発明の一実施形態はネットワークデバイスを提供する。ネットワークデバイスは、送信ユニット、処理ユニット、および受信ユニットを含み、第2の態様および第2の態様の実装によるステップを実行するように構成される。
【００１３】
任意選択で、第1のメッセージは、第2の指示情報をさらに含み、第2の指示情報は、第2の時間周波数リソースを示すために使用される。このようにして、制御情報によって占有されるリソースのオーバーヘッドが減らされることが可能である。任意選択で、第1のメッセージが第3の指示情報を含むかどうかは、より高いレイヤのシグナリング（RRCシグナリングなど）を使用することによって示されてもよく、またはダウンリンク制御情報DCI内の情報を使用することによって示されてもよく、またはDCI形式を使用することによって示されてもよい。いくつかのDCI形式について第3の指示情報が存在する場合があり、他のDCI形式について第3の指示情報が存在しない場合がある。代替として、異なるタイプのユーザ機器について異なる構成があり得る。いくつかのタイプのユーザ機器について第3の指示情報が存在する場合があり、他のタイプのユーザ機器について第3の指示情報が存在しない場合がある。端末は1つのタイプのユーザ機器である。
【００１４】
任意選択で、ターゲット時間周波数リソースは、第2の時間周波数リソースおよび第1の時間周波数リソース内のリソースの一部を含み、第1の時間周波数リソース内のリソースの一部は、制御リソースセットと重複する領域以外の第1の時間周波数リソース内の時間周波数リソースを含み、または第1の時間周波数リソース内のリソースの一部は、サーチスペースと重複する領域以外の第1の時間周波数リソース内の時間周波数リソースを含み、または第1の時間周波数リソース内のリソースの一部は、端末によって既にデコードされた物理ダウンリンク制御チャネルPDCCHと重複する領域以外の第1の時間周波数リソース内の時間周波数リソースを含み、または第1の時間周波数リソース内のリソースの一部は、端末によって既にデコードされたPDCCH以外の制御リソースセット内の時間周波数リソースを含み、または第1の時間周波数リソース内のリソースの一部は、端末によって既にデコードされたPDCCH以外のサーチスペース内の時間周波数リソースを含み、または第1の時間周波数リソース内のリソースの一部は、サーチスペース以外の制御リソースセット内の時間周波数リソースを含む。第1の時間周波数リソース内のいくつかの特定のリソースは、端末およびネットワークデバイス内に事前構成されてもよく、またはネットワークデバイスによって端末に送信された第1のメッセージ内に含まれる第3の指示情報の第1のステータスを使用することによって端末に通知されてもよいことが理解され得る。任意選択で、第3の指示情報はM個の情報ビットを含み、Mは正の整数である。M個の情報ビットの第1のステータスは、第1の時間周波数リソース内のリソースの一部の一ケースに対応する。Mの値は、端末によってサポートされる第1の時間周波数リソース内のリソースの一部のケースの数に関連する。任意選択で、端末によってサポートされる第1の時間周波数リソース内のリソースの一部のすべてのケースは、より高いレイヤのシグナリングを使用することによって構成されるか、または端末内に事前設定される。
【００１５】
任意選択で、制御リソースセットは、複数の制御リソースセットを含み、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。
【００１６】
任意選択で、ターゲット周波数ドメイン位置は、第2の時間周波数リソースの周波数ドメイン位置であり、第1の指示情報は、第2の時間周波数リソースを示すことによってターゲット周波数ドメイン位置を示す。
【００１７】
任意選択で、第1の時間周波数リソースおよび第2の時間周波数リソースは時間ドメインにおいて不連続である。制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースは、別のデバイスによって使用される時間周波数リソースから分離され得るように、第1の時間周波数リソースが分割されることが理解され得る。このようにして、端末は、ネットワークデバイスによって別のデバイスに送信されたデータを受信することが防止されることが可能であり、すなわち、データ汚染が防止されることが可能である。
【００１８】
第7の態様によれば、本発明の一実施形態は通信システムを提供する。このシステムは、端末およびネットワークデバイスを含む。端末は、第3の態様または第3の態様の可能な実装のいずれか1つ、あるいは第5の態様または第5の態様の可能な実装のいずれか1つにより説明される端末である。ネットワークデバイスは、第4の態様または第4の態様の可能な実装のいずれか1つ、あるいは第6の態様または第6の態様の可能な実装のいずれか1つにより説明されるネットワークデバイスである。
【００１９】
第8の態様によれば、本発明の一実施形態は記憶媒体を提供する。この記憶媒体は、命令を記憶するように構成され、命令が端末のプロセッサにおいて実行されるとき、端末は、第1の態様または第1の態様の可能な実装のいずれか1つにより説明される方法を実行するか、あるいは命令がネットワークデバイスのプロセッサにおいて実行されるとき、ネットワークデバイスは、第2の態様または第2の態様の可能な実装のいずれか1つにより説明される方法を実行する。
【００２０】
第9の態様によれば、本発明の一実施形態は、命令を含むコンピュータプログラム製品を提供する。命令がコンピュータにおいて実行されるとき、コンピュータは、第1の態様、第2の態様、または可能な実装のいずれか1つにより説明される方法を実行することが可能にされる。
【００２１】
本発明の実施形態の実装を通じて、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【図面の簡単な説明】
【００２２】
【図１】本発明の一実施形態による通信システムの概略構造図である。
【図２】本発明の一実施形態によるデータ受信方法の概略フローチャートである。
【図３】本発明のこの実施形態による時間周波数リソースの概略図である。
【図４】本発明のこの実施形態による別の時間周波数リソースの概略図である。
【図５】本発明のこの実施形態による別の時間周波数リソースの概略図である。
【図６】本発明のこの実施形態による別の時間周波数リソースの概略図である。
【図７】本発明のこの実施形態による別の時間周波数リソースの概略図である。
【図８】本発明のこの実施形態による別の時間周波数リソースの概略図である。
【図９】本発明のこの実施形態による別の時間周波数リソースの概略図である。
【図１０】本発明のこの実施形態による別の時間周波数リソースの概略図である。
【図１１】本発明のこの実施形態による別の時間周波数リソースの概略図である。
【図１２】本発明のこの実施形態による別の時間周波数リソースの概略図である。
【図１３】本発明の一実施形態による別のデータ受信方法の概略フローチャートである。
【図１４】本発明のこの実施形態による別の時間周波数リソースの概略図である。
【図１５】本発明のこの実施形態による別の時間周波数リソースの概略図である。
【図１６】本発明のこの実施形態による別の時間周波数リソースの概略図である。
【図１７】本発明のこの実施形態による別の時間周波数リソースの概略図である。
【図１８】本発明のこの実施形態による別の時間周波数リソースの概略図である。
【図１９】本発明のこの実施形態による別の時間周波数リソースの概略図である。
【図２０】本発明のこの実施形態による別の時間周波数リソースの概略図である。
【図２１】本発明のこの実施形態による別の時間周波数リソースの概略図である。
【図２２】本発明のこの実施形態による別の時間周波数リソースの概略図である。
【図２３】本発明のこの実施形態による別の時間周波数リソースの概略図である。
【図２４】本発明の一実施形態による端末の概略構造図である。
【図２５】本発明の一実施形態によるネットワークデバイスの概略構造図である。
【図２６】本発明の一実施形態による別の端末の概略構造図である。
【図２７】本発明の一実施形態による別のネットワークデバイスの概略構造図である。
【発明を実施するための形態】
【００２３】
下記は、本発明の実施形態における添付図面を参照して、本発明の実施形態を説明する。
【００２４】
図1は、本発明の一実施形態による通信システム10の概略構造図である。通信システム10は、ネットワークデバイス101および端末102を含む。通信システム10は、ロング・ターム・エボリューション（long term evolution、LTE）、第5世代のモバイル通信技術（5th Generation、5G）、別の既存の通信技術などの通信技術、または続いて研究される通信技術を使用する通信システムであってもよい。ネットワークデバイス101は、通信システムにおける無線アクセスノード、例えば、LTEにおける進化型NodeB（evolved NodeB、eNB）または5Gにおける基地局（gNBなど）である。端末102は、携帯電話、タブレットコンピュータ、ノートブックコンピュータ、パームトップコンピュータ、モバイルインターネットデバイス（英語：mobile internet device、略してMID）、ウェアラブルデバイス（例えば、スマートウォッチ（iWatchなど）、スマートバンド、または歩数計）、あるいはオペレータのネットワークにアクセスすることができるデバイスであってもよい。代替として、端末102は、冷蔵庫、テレビ、エアコン、または電気メータなどのスマート家庭用デバイスであってもよい。代替として、端末102は、自動車、自転車、電気車両、飛行機、または船などの輸送デバイスであってもよい。代替として、端末102は、インテリジェントロボットまたはワークショップデバイスなど、無線通信を実行することができるデバイスであってもよい。
【００２５】
図2は、本発明の一実施形態によるデータ受信方法を表す。この方法は、図1に示される通信システム10に基づいて実現されてもよい。この方法は、下記のステップを含むが、これらに限定されない。
【００２６】
ステップS201：ネットワークデバイスは、第1の指示情報を端末に送信する。
【００２７】
具体的には、第1の指示情報は、ターゲット周波数ドメイン位置を示すために使用される。任意選択で、第1の指示情報は、ターゲット周波数ドメイン位置を示すために、ターゲット周波数ドメイン位置の周波数パラメータ（例えば、周波数ドメイン開始位置または周波数ドメインの長さ）を含み得る。任意選択で、第1の指示情報は、ターゲット周波数ドメイン位置を示すために、ターゲット周波数ドメイン位置との対応関係を有する特定の情報を含み得る。例えば、ターゲット周波数ドメイン位置に対応する周波数ドメイン位置識別子は、ターゲット周波数ドメイン位置を示すために、第1の指示情報内にカプセル化される。
【００２８】
第1の任意選択の解決策では、第1の指示情報は、端末が動作する周波数ドメイン位置、すなわち、端末が動作する周波数帯域を示すことによって、ターゲット周波数ドメイン位置を示す。第1の指示情報は、より高いレイヤのシグナリング（無線リソース制御（radio resource control、RRC）シグナリングなど）内で搬送されてもよく、またはダウンリンク制御情報（downlink control information、DCI）内で搬送されてもよい。第1の指示情報は、ターゲット周波数ドメイン位置を明示的に示し、例えば、ターゲット周波数ドメイン位置の周波数ドメイン開始位置および周波数ドメイン終了位置を示すことによってターゲット周波数ドメイン位置を示してもよく、またはターゲット周波数ドメインを暗黙的に示し、例えば、周波数ドメインの範囲を示す識別子を使用することによって、ターゲット周波数ドメイン位置を示してもよい。
【００２９】
それに応じて、端末は第1の指示情報を受信する。
【００３０】
具体的には、第1の指示情報を受信した後、端末は、ターゲット周波数ドメイン位置を決定するために、デコードを通じて第1の指示情報の内容を取得する。例えば、第1の指示情報は、ターゲット周波数ドメイン位置を示し、第1の指示情報は、ターゲット周波数ドメイン位置に対応する周波数ドメイン位置識別子を含み、端末は、周波数ドメイン位置識別子に基づいてターゲット周波数ドメイン位置を決定してもよい。別の例では、第1の指示情報は、ターゲット周波数ドメイン位置を示し、第1の指示情報は、ターゲット周波数ドメイン位置の周波数ドメイン開始位置および周波数ドメインの長さを含み、端末は、第1の指示情報に含まれる周波数ドメイン開始位置および周波数ドメインの長さに基づいてターゲット周波数ドメイン位置を決定してもよい。もちろん、代替として、指示は別の方式で実現されてもよい。例えば、第1の指示情報は、ターゲット周波数ドメイン位置の周波数ドメイン開始位置および周波数ドメイン終了位置を含む。
【００３１】
ステップS202：端末は、制御リソースセットの時間ドメイン位置およびターゲット周波数ドメイン位置に基づいて第1の時間周波数リソースを決定する。
【００３２】
具体的には、第1の時間周波数リソースの周波数ドメイン位置は、ターゲット周波数ドメイン位置と同じである。加えて、第1の時間周波数リソースの時間ドメイン位置は、制御リソースセットの時間ドメイン位置と同じであるか、または制御リソースセットの時間ドメイン位置にN個のシンボルを追加することによって取得される時間ドメイン位置と同じであり、Nは正の整数である。制御リソースセットは、control resource set（CORESET）であってもよく、制御リソースセットに関する情報は、端末およびネットワークデバイス内に事前設定されてもよく、またはシグナリングを使用することによって事前にネットワークデバイスによって端末に通知されてもよい。シグナリングは、RRCシグナリングなどのより高いレイヤのシグナリングであってもよく、またはDCIでもあってもよい。従って、端末は、制御リソースセットの時間ドメイン位置を知り、従って、ここでは、制御リソースセットの時間ドメイン位置に基づいて第1の時間周波数リソースの周波数ドメイン位置を決定し得る。
【００３３】
本発明のこの実施形態では、制御リソースセットは、1つの制御リソースセットであってもよく、または複数の制御リソースセットの集合であってもよい。制御リソースセットが、複数の制御リソースセットの集合であるとき、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。下記は、図を参照して、第1の時間周波数リソースのいくつかの可能なケースをリストする。各図内の座標において、横軸は時間ドメインを示し、縦軸は周波数ドメインを示す。各図は、第1の時間周波数リソース、「使用不可」領域、第2の時間周波数リソース、制御リソースセット、サーチスペース（search space、SS）、およびダウンリンク物理制御チャネル（physical downlink control channel、PDCCH）（端末の制御情報、例えば、第1の指示情報を搬送するために使用される）を示す。「使用不可」領域は、端末以外のデバイスのために予約された時間周波数リソースである。いくつかのケースは、具体的には下記のとおりである。
【００３４】
ケース1：制御リソースセットは、1つの制御リソースセットであり、第1の時間周波数リソースの時間ドメイン位置は、制御リソースセットの時間ドメイン位置と同じである。第1の時間周波数リソースの周波数ドメイン位置がターゲット周波数ドメイン位置と同じであるならば、第1の時間周波数リソースは図3に表される。
【００３５】
ケース2：制御リソースセットは、1つの制御リソースセットであり、第1の時間周波数リソースの時間ドメイン位置は、制御リソースセットの時間ドメイン位置にN個のシンボルを追加することによって取得される時間ドメイン位置と同じであり、Nは正の整数である。第1の時間周波数リソースの周波数ドメイン位置がターゲット周波数ドメイン位置と同じであるならば、第1の時間周波数リソースは図4に表される。
【００３６】
ケース3：制御リソースセットは、複数の制御リソースセットである。複数の制御リソースセットの時間ドメイン位置は、包含関係にあっても、部分的に重複しても、または全く重複しなくてもよい。どのケースであるかにかかわらず、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットであることが決定され得る。第1の時間周波数リソースの周波数ドメイン位置がターゲット周波数ドメイン位置と同じであるならば、第1の時間周波数リソースは図5に表される。
【００３７】
ケース4：制御リソースセットは、複数の制御リソースセットである。複数の制御リソースセットの時間ドメイン位置は、包含関係にあっても、部分的に重複しても、または全く重複しなくてもよい。どのケースであるかにかかわらず、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置にN個のシンボルを追加することによって取得される時間ドメイン位置と同じであることが決定され得る。第1の時間周波数リソースの周波数ドメイン位置がターゲット周波数ドメイン位置と同じであるならば、第1の時間周波数リソースは図6に表される。
【００３８】
第1の任意選択の解決策では、制御リソースセットの時間ドメイン位置およびターゲット周波数ドメイン位置に基づいて、端末が第1の時間周波数リソースを具体的にどのように決定するかを指定するために、ルールが端末内に事前構成される。任意選択で、ルールは、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を指定する。例えば、ルールは、第1の時間周波数リソースの時間ドメイン位置が、制御リソースセットの時間ドメイン位置と同じであることを指定する。このようにして、端末は、このルールに従ってケース1の方式で第1の時間周波数リソースを決定してもよい。
【００３９】
第2の任意選択の解決策では、端末が第1の時間周波数リソースを決定する前に、ネットワークデバイスは、第4の指示情報を端末に送信し、それに応じて、端末はネットワークデバイスによって送信された第4の指示情報を受信する。第4の指示情報は、RRCシグナリングなどのより高いレイヤのシグナリングであってもよく、または第4の指示情報はDCIであってもよい。第4の指示情報は、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を示すために使用される。例えば、第4の指示情報は、第1の時間周波数リソースの時間ドメイン位置が、制御リソースセットの時間ドメイン位置にN個のシンボルを追加することによって取得される時間ドメイン位置と同じであることを示す。別の例では、第4の指示情報は、第1の時間周波数リソースの時間ドメイン位置が、制御リソースセットの時間ドメイン位置と同じであることを示す。このようにして、端末は、第4の指示情報の指示に従ってケース2の方式で第1の時間周波数リソースを決定してもよい。任意選択で、第4の指示情報および第1の指示情報は同じ指示情報内で搬送されてもよく、および／または第4の指示情報および第3の指示情報は同じ指示情報内で搬送されてもよい。
【００４０】
第1の時間周波数リソースは上記で説明され、ターゲット時間周波数リソースは以下で説明される。ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、端末のためにネットワークデバイスによってスケジュールされた時間周波数リソース、例えば、第2の指示情報を使用することによって端末のためにネットワークデバイスによってスケジュールされた時間周波数リソースであり得る。
【００４１】
ターゲット時間周波数リソースが、第2の時間周波数リソースおよび第1の時間周波数リソース内のリソースの一部を含むとき、第1の時間周波数リソース内のリソースの一部について、次のいくつかの可能な解決策がある。
【００４２】
第1の解決策では、第1の時間周波数リソース内のリソースの一部は、制御リソースセットと重複する領域以外の第1の時間周波数リソース内の時間周波数リソースを含む。制御リソースセットは、第1の時間周波数リソース内にあってもよく、または第1の時間周波数ドメインリソースの外側にあってもよく、さらに第1の時間周波数リソースと部分的に重複してもよい。制御リソースセットが第1の時間周波数リソース内にあるとき、「制御リソースセットと重複する領域」は、制御リソースセットによって占有される領域のすべてである。制御リソースセットが第1の時間ドメインリソースの外側にあるとき、「制御リソースセットと重複する領域」は存在しない。このケースでは、「制御リソースセットと重複する領域以外の第1の時間周波数リソース内の時間周波数リソース」が、第1の時間周波数リソースである。制御リソースセットが第1の時間周波数リソース内にある一例が、第1の時間周波数リソース内のリソースの一部を説明するために以下で使用される。図7を参照すると、第1の時間周波数リソースの時間ドメイン位置が、「ケース1」を満たすとき、第1の時間周波数リソース内のリソースの一部が図7の部分aに表される。第1の時間周波数リソースの時間ドメイン位置が、「ケース2」を満たすとき、第1の時間周波数リソース内のリソースの一部が図7の部分bに表される。第1の時間周波数リソースの時間ドメイン位置が、「ケース3」を満たすとき、第1の時間周波数リソース内のリソースの一部が図7の部分cに表される。第1の時間周波数リソースの時間ドメイン位置が、「ケース4」を満たすとき、第1の時間周波数リソース内のリソースの一部が図7の部分dに表される。図7のグリッド部分は、第1の時間周波数リソース内のリソースの一部である。任意選択で、ネットワークデバイスは、第1の時間周波数リソース内のリソースの一部において別のデバイスの制御リソースセットを送信することを可能な限り回避してもよい。しかしながら、これはネットワークデバイスによって実行されるスケジューリングに特有の制限をもたらす。そのような制限を減らすために、任意選択で、ネットワークデバイスは、シグナリングを使用することによって、別のデバイスの制御リソースセットの時間周波数リソース位置を端末に通知してもよい。このケースでは、第1の時間周波数リソース内のリソースの一部は、端末の制御リソースセットも別のデバイスの制御リソースセットも含まない。言い換えると、「制御リソースセットと重複する領域」は、端末の制御リソースセットと重複する領域と、別のデバイスの制御リソースセットと重複する領域の両方を含み、すなわち、端末のすべての既知の制御リソースセットと重複する領域を含む。
【００４３】
第2の解決策では、第1の時間周波数リソース内のリソースの一部は、サーチスペースと重複する領域以外の第1の時間周波数リソース内の時間周波数リソースを含む。サーチスペースは、第1の時間周波数リソース内にあってもよく、または第1の時間ドメインリソースの外側にあってもよく、さらに第1の時間周波数リソースと部分的に重複してもよい。サーチスペースが第1の時間周波数リソース内にあるとき、「サーチスペースと重複する領域」は、サーチスペースによって占有される領域のすべてである。サーチスペースが第1の時間ドメインリソースの外側にあるとき、「サーチスペースと重複する領域」は存在しない。このケースでは、「サーチスペースと重複する領域以外の第1の時間周波数リソース内の時間周波数リソース」が、第1の時間周波数リソースである。サーチスペースが第1の時間周波数リソース内にある一例が、第1の時間周波数リソース内のリソースの一部を説明するために以下で使用される。図8を参照すると、第1の時間周波数リソースの時間ドメイン位置が、「ケース1」を満たすとき、第1の時間周波数リソース内のリソースの一部が図8の部分aに表される。第1の時間周波数リソースの時間ドメイン位置が、「ケース2」を満たすとき、第1の時間周波数リソース内のリソースの一部が図8の部分bに表される。第1の時間周波数リソースの時間ドメイン位置が、「ケース3」を満たすとき、第1の時間周波数リソース内のリソースの一部が図8の部分cに表される。第1の時間周波数リソースの時間ドメイン位置が、「ケース4」を満たすとき、第1の時間周波数リソース内のリソースの一部が図8の部分dに表される。図8のグリッド部分は、第1の時間周波数リソース内のリソースの一部である。任意選択で、ネットワークデバイスは、別のデバイスのサーチスペースを第1の時間周波数リソース内のリソースの一部にマッピングすることを可能な限り回避してもよい。しかしながら、これはネットワークデバイスによって実行されるスケジューリングに特有の制限をもたらす。そのような制限を減らすために、任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペースを端末に通知してもよい。このケースでは、第1の時間周波数リソース内のリソースの一部は、端末のサーチスペースも、別のデバイスのサーチスペースによって占有される時間周波数リソース位置も含まない。言い換えると、「サーチスペースと重複する領域」は、端末のサーチスペースと重複する領域と、別のデバイスのサーチスペースと重複する領域の両方を含み、すなわち、端末のすべての既知のサーチスペースと重複する領域を含む。
【００４４】
第3の解決策では、第1の時間周波数リソース内のリソースの一部は、端末によって既にデコードされた物理ダウンリンク制御チャネルPDCCHと重複する領域以外の第1の時間周波数リソース内の時間周波数リソースを含む。端末によって既にデコードされたPDCCHは、第1の時間周波数リソース内にあってもよく、または第1の時間ドメインリソースの外側にあってもよく、さらに第1の時間周波数リソースと部分的に重複してもよい。端末によって既にデコードされたPDCCHが第1の時間周波数リソース内にあるとき、「端末によって既にデコードされたPDCCHと重複する領域」は、端末によって既にデコードされたPDCCHによって占有される領域のすべてである。端末によって既にデコードされたPDCCHが第1の時間ドメインリソースの外側にあるとき、「端末によって既にデコードされたPDCCHと重複する領域」は存在しない。このケースでは、「端末によって既にデコードされたPDCCHと重複する領域以外の第1の時間周波数リソース内の時間周波数リソース」が、第1の時間周波数リソースである。本発明のこの実施形態では、前述の第1の指示情報および第3の指示情報、ならびに続いて言及される第4の指示情報および第2の指示情報などの言及されたすべての指示情報について、端末によって既にデコードされたPDCCHは、指示情報がDCI内で搬送され、デコードされるという条件で、指示情報を含む。
【００４５】
端末によって既にデコードされたPDCCHが第1の時間周波数リソース内にある一例が、第1の時間周波数リソース内のリソースの一部を説明するために以下で使用される。図9を参照すると、第1の時間周波数リソースの時間ドメイン位置が、「ケース1」を満たすとき、第1の時間周波数リソース内のリソースの一部が図9の部分aに表される。第1の時間周波数リソースの時間ドメイン位置が、「ケース2」を満たすとき、第1の時間周波数リソース内のリソースの一部が図9の部分bに表される。第1の時間周波数リソースの時間ドメイン位置が、「ケース3」を満たすとき、第1の時間周波数リソース内のリソースの一部が図9の部分cに表される。第1の時間周波数リソースの時間ドメイン位置が、「ケース4」を満たすとき、第1の時間周波数リソース内のリソースの一部が図9の部分dに表される。図9のグリッド部分は、第1の時間周波数リソース内のリソースの一部である。任意選択で、ネットワークデバイスは、別のデバイスのPDCCHを第1の時間周波数リソース内のリソースの一部にマッピングすることを可能な限り回避してもよい。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００４６】
第4の解決策では、第1の時間周波数リソース内のリソースの一部は、端末によって既にデコードされたPDCCH以外の制御リソースセットの領域内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「端末によって既にデコードされたPDCCH以外の制御リソースセットの領域内の時間周波数リソース」は、端末によって既にデコードされたPDCCH以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図10を参照すると、第1の時間周波数リソースの時間ドメイン位置が、「ケース1」を満たすとき、第1の時間周波数リソース内のリソースの一部が図10の部分aに表される。第1の時間周波数リソースの時間ドメイン位置が、「ケース2」を満たすとき、第1の時間周波数リソース内のリソースの一部が図10の部分bに表される。第1の時間周波数リソースの時間ドメイン位置が、「ケース3」を満たすとき、第1の時間周波数リソース内のリソースの一部が図10の部分cに表される。第1の時間周波数リソースの時間ドメイン位置が、「ケース4」を満たすとき、第1の時間周波数リソース内のリソースの一部が図10の部分dに表される。図10のグリッド部分は、第1の時間周波数リソース内のリソースの一部である。任意選択で、ネットワークデバイスは、別のデバイスのPDCCHを制御リソースセットにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００４７】
第5の解決策では、第1の時間周波数リソース内のリソースの一部は、端末によって既にデコードされたPDCCH以外のサーチスペースの領域内の時間周波数リソースを含む。サーチスペースは、第1の時間周波数リソース内にあってもよく、または第1の時間ドメインリソースの外側にあってもよく、第1の時間周波数リソースと部分的に重複してもよい。「端末によって既にデコードされたPDCCH以外のサーチスペースの領域内の時間周波数リソース」は、端末によって既にデコードされたPDCCH以外で、第1の時間周波数リソースがサーチスペースと重複する領域内の残りの時間周波数リソースである。サーチスペースが第1の時間周波数リソース内にある一例が、第1の時間周波数リソース内のリソースの一部を説明するために以下で使用される。図11を参照すると、第1の時間周波数リソースの時間ドメイン位置が、「ケース1」を満たすとき、第1の時間周波数リソース内のリソースの一部が図11の部分aに表される。第1の時間周波数リソースの時間ドメイン位置が、「ケース2」を満たすとき、第1の時間周波数リソース内のリソースの一部が図11の部分bに表される。第1の時間周波数リソースの時間ドメイン位置が、「ケース3」を満たすとき、第1の時間周波数リソース内のリソースの一部が図11の部分cに表される。第1の時間周波数リソースの時間ドメイン位置が、「ケース4」を満たすとき、第1の時間周波数リソース内のリソースの一部が図11の部分dに表される。図11のグリッド部分は、第1の時間周波数リソース内のリソースの一部である。任意選択で、ネットワークデバイスは、別のデバイスのPDCCHをサーチスペースにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００４８】
第6の解決策では、第1の時間周波数リソース内のリソースの一部は、サーチスペース以外の制御リソースセット内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「サーチスペース以外の制御リソースセット内の時間周波数リソース」は、サーチスペース以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図12を参照すると、第1の時間周波数リソースの時間ドメイン位置が、「ケース1」を満たすとき、第1の時間周波数リソース内のリソースの一部が図12の部分aに表される。第1の時間周波数リソースの時間ドメイン位置が、「ケース2」を満たすとき、第1の時間周波数リソース内のリソースの一部が図12の部分bに表される。第1の時間周波数リソースの時間ドメイン位置が、「ケース3」を満たすとき、第1の時間周波数リソース内のリソースの一部が図12の部分cに表される。第1の時間周波数リソースの時間ドメイン位置が、「ケース4」を満たすとき、第1の時間周波数リソース内のリソースの一部が図12の部分dに表される。図12のグリッド部分は、第1の時間周波数リソース内のリソースの一部である。任意選択で、ネットワークデバイスは、別のデバイスのサーチスペースをサーチスペースにマッピングすることを可能な限り回避する必要がある。任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペース内の時間周波数リソース位置を端末に通知してもよい。
【００４９】
本発明のこの実施形態では、端末は、前述のケースの1つのみをサポートしてもよく、または前述のケースの少なくとも2つの任意の組み合わせをサポートしてもよい。端末は、事前構成に基づいて、第1の時間周波数リソース内のリソースの一部を直接決定してもよい。例えば、事前構成は、端末が「第2の」解決策を使用することによって第1の時間周波数リソース内のリソースの一部を決定することであり、それによって、端末は「第2の」解決策を使用することによって第1の時間周波数リソース内のリソースの一部を決定する。加えて、ネットワークデバイスは、端末に第1のメッセージを送信してもよく、端末は、ネットワークデバイスによって送信された第1のメッセージを受信し、第1のメッセージは、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。任意選択で、第3の指示情報は、第1の時間周波数リソース内のリソースの一部を決定するために使用される解決策を示す。従って、端末は、第3の指示情報によって示される解決策に従って、第1の時間周波数リソース内のリソースの一部を決定してもよい。第1のメッセージは、RRCシグナリングなどのより高いレイヤのシグナリングであってもよく、またはDCIであってもよい。任意選択で、第1メッセージが第3の指示情報を含むかどうかは、より高いレイヤのシグナリング（RRCシグナリングなど）を使用することによって通知される構成情報であってもよく、またはダウンリンク制御情報DCIを使用することによって通知されてもよく、またはDCI形式に結び付けられてもよい。いくつかのDCI形式は、第3の指示情報を含み、いくつかのDCI形式は含まない。異なるタイプのユーザについて異なる構成があり得る。いくつかのタイプのユーザについて第3の指示情報が存在し、他のタイプのユーザについて第3の指示情報が存在しない。端末は1つのタイプのユーザである。例えば、指示フィールドが第3の指示情報内に構成され、指示フィールドの1つのステータスが、第1の時間周波数リソース内のリソースの一部について異なる解決策に対応し、指示フィールドの別のステータスは、ターゲット時間周波数リソ
ースが第1の時間周波数リソースを含まないことを示すために使用される。例えば、指示フィールドはN個のビットを含み、Nは正の整数である。N＝3と仮定すると、001は、第1の時間周波数リソース内のリソースの一部が、「第1の」解決策で説明されている第1の時間周波数リソース内のリソースの一部であることを示すために使用されてもよく、010は、第1の時間周波数リソース内のリソースの一部が、「第2の」解決策で説明されている第1の時間周波数リソース内のリソースの一部であることを示すために使用されてもよく、011は、第1の時間周波数リソース内のリソースの一部が、「第3の」解決策で説明されている第1の時間周波数リソース内のリソースの一部であることを示すために使用されてもよく、100は、第1の時間周波数リソース内のリソースの一部が、「第4の」解決策で説明されている第1の時間周波数リソース内のリソースの一部であることを示すために使用されてもよく、101は、第1の時間周波数リソース内のリソースの一部が、「第5の」解決策で説明されている第1の時間周波数リソース内のリソースの一部であることを示すために使用されてもよく、110は、第1の時間周波数リソース内のリソースの一部が「第6の」解決策で説明されている第1の時間周波数リソース内のリソースの一部であることを示すために使用されてもよく、111は、データが第1の時間周波数リソースにおいて受信されないことを示すために使用されてもよい。それに応じて、第3の指示情報を受信した後、解析を通じて、第3の指示情報内の指示フィールドの値が001であることを取得するならば、端末は、「第1の」解決策を使用することによって第1の時間周波数リソース内のリソースの一部を決定し、解析を通じて、第3の指示情報内の指示フィールドの値が010であることを取得するならば、端末は、「第2の」解決策を使用することによって第1の時間周波数リソース内のリソースの一部を決定し、解析を通じて、第3の指示情報内の指示フィールドの値が011であることを取得するならば、端末は、「第3の」解決策を使用することによって第1の時間周波数リソース内のリソースの一部を決定し、解析を通じて、第3の指示情報内の指示フィールドの値が100であることを取得するならば、端末は、「第4の」解決策を使用することによって第1の時
間周波数リソース内のリソースの一部を決定し、解析を通じて、第3の指示情報内の指示フィールドの値が101であることを取得するならば、端末は、「第5の」解決策を使用することによって第1の時間周波数リソース内のリソースの一部を決定し、解析を通じて、第3の指示情報内の指示フィールドの値が110であることを取得するならば、端末は、「第6の」解決策を使用することによって第1の時間周波数リソース内のリソースの一部を決定し、または解析を通じて、第3の指示情報内の指示フィールドの値が111であることを取得するならば、端末は、データが第1の時間周波数リソースにおいて受信されないことを知る。同様に、Nは2に等しくてもよく、従って、最大4つの解決策のみが示され得る。例えば、00は、第1の時間周波数リソース内のリソースの一部が、「第1の」解決策で説明されている第1の時間周波数リソース内のリソースの一部であることを示すために使用されてもよく、01は、第1時間周波数リソース内のリソースの一部が、「第2の」解決策で説明されている第1の時間周波数リソース内のリソースの一部であることを示すために使用されてもよく、10は、第1の時間周波数リソース内のリソースの一部が、「第3の」解決策で説明されている第1の時間周波数リソース内のリソースの一部であることを示すために使用されてもよく、11は、データが第1の時間周波数リソースにおいて受信されないことを示すために使用されてもよい。データを受信するために使用され得るすべての第1の時間周波数リソース内のリソースの一部は、前述の6つの解決策の任意の組み合わせを含んでもよく、または別の同様の解決策を含んでもよい。第3の指示情報内の情報フィールド内のビットの数は、サポートされる解決策の数に基づいて決定されてもよく、第3の指示情報の情報フィールドの1つのステータスは、データが第1の時間周波数リソースにおいて受信されないことを示すために使用されてもよい。
【００５０】
端末によって受信された第1のメッセージが第3の指示情報を含まないならば、端末は第1の時間周波数リソースにおいてデータを受信する必要はない。言い換えれば、端末は、第1の時間周波数リソースを決定する必要はない。
【００５１】
第1の時間周波数リソース内のリソースの一部についてのいくつかの任意選択の解決策が、上記で説明されている。任意選択で、異なる条件が満たされるとき、第1の時間周波数リソース内のリソースの一部を決定するための解決策が異なってもよい。例えば、条件1が満たされるならば、第1の時間周波数リソース内のリソースの一部は、「解決策1」で説明されている第1の時間周波数リソース内のリソースの一部であり、条件2が満たされるならば、第1の時間周波数リソース内のリソースの一部は、「解決策2」で説明されている第1の時間周波数リソース内のリソースの一部であり、条件3が満たされるならば、第1の時間周波数リソース内のリソースの一部は、「解決策3」で説明されている第1の時間周波数リソース内のリソースの一部であり、条件4が満たされるならば、第1の時間周波数リソース内のリソースの一部は、「解決策4」で説明されている第1の時間周波数リソース内のリソースの一部であり、または条件5が満たされるならば、第1の時間周波数リソース内のリソースの一部は、「解決策5」で説明されている第1の時間周波数リソース内のリソースの一部である。条件1、条件2、条件3、条件4、および条件5は異なる条件である。これらの条件の具体的な内容は、ここで限定されない。
【００５２】
ステップS203：ネットワークデバイスは、制御リソースセットの時間ドメイン位置およびターゲット周波数ドメイン位置に基づいて第1の時間周波数リソースを決定する。
【００５３】
具体的には、ネットワークデバイスが第1の時間周波数リソースを決定する方式は、端末が第1の時間周波数リソースを決定する方式と同じであり、ネットワークデバイスによって決定された第1の時間周波数リソースおよび端末によって決定された第1の時間周波数リソースは同じ時間周波数リソースでもある。ネットワークデバイスは、ネットワークデバイスにアクセスする各デバイスの制御リソースセットを知っており、従って、ステップS202で端末によって使用される制御リソースセットもネットワークデバイスによって知られていることが理解され得る。加えて、ステップS202で端末によって使用されるターゲット周波数ドメイン位置も、第1の指示情報を使用することによって、ネットワークデバイスによって端末に示される。言い換えれば、ネットワークデバイスは、ターゲット周波数ドメイン位置に関する情報も有する。従って、ネットワークデバイスは、制御リソースセットおよびターゲット周波数ドメイン位置に基づいて第1の時間周波数リソースを決定してもよく、決定された第1の時間周波数リソースは、端末によって決定された第1の時間周波数リソースと同じである。第1の時間周波数リソースの特徴は、ステップS202において既に詳細に説明されており、詳細はここで再び説明されない。ステップS203とステップS202およびS201の順序は、ここで限定されないことが理解され得る。実現可能な解決策では、ステップS203は、S201の前、S201の後かつS202の前、またはS202の後に実行される。
【００５４】
ステップS204：ネットワークデバイスは、ターゲット時間周波数リソースにおいてデータを端末に送信する。
【００５５】
具体的には、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、端末のためにネットワークデバイスによってスケジュールされた時間周波数リソース、例えば、第2の指示情報を使用することによって端末のためにネットワークデバイスによってスケジュールされた時間周波数リソースであってもよい。任意選択で、第2の指示情報および第3の指示情報は、同じ指示情報内の異なるビットフィールドであってもよい。ターゲット時間周波数リソースが、第2の時間周波数リソースおよび第1の時間周波数リソース内のリソースの一部を含むとき、第1の時間周波数リソース内のリソースの一部について複数の可能な解決策があり得る。複数の可能な解決策は、ステップS202で詳細に説明されており、詳細はここで再び説明されない。ターゲット時間周波数リソースに具体的に含まれる部分は、端末およびネットワークデバイス内に事前定義されることが理解され得る。このようにして、ネットワークデバイスおよび端末は、同じ設定に基づいて同じターゲット時間周波数リソースを決定してもよい。代替として、ターゲット時間周波数リソースに含まれる特定の部分は、ネットワークデバイスによって端末に示されてもよい。このようにして、ネットワークデバイスおよび端末が同じターゲット時間周波数リソースを使用することが保証されることも可能である。任意選択で、ここでの「データ」は、シグナリング（または制御情報）以外のデータである。
【００５６】
任意選択で、同じデータブロックの異なる部分が、ターゲット時間周波数リソースに含まれる第2の時間周波数リソースおよび第1の時間周波数リソース内のリソースの一部にマッピングされる。すなわち、リソースの2つの部分についてのデータは共同で完全なデータブロックを形成し、データブロックはトランスポートブロック（transport block、TB）、コードブロックグループ（code block group、CBG）、またはコードブロック（code block、CB）であってもよい。
【００５７】
それに応じて、端末は、ターゲット時間周波数リソースにおいて、ネットワークデバイスによって送信されたデータを受信する。
【００５８】
本発明のこの実施形態では、端末が第2の指示情報に基づいて第2の時間周波数リソースを決定するならば、制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースは分割される。このようにして、端末は、ネットワークデバイスによって別のデバイスに送信されたデータを受信することが防止されることが可能であり、すなわち、データ汚染が防止されることが可能である。
【００５９】
図2で説明された方法では、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【００６０】
図13は、本発明の一実施形態によるデータ受信方法を表す。この方法は、図1に表される通信システム10に基づいて実現されてもよい。この方法は、下記のステップを含むが、これらに限定されない。
【００６１】
ステップS1301：ネットワークデバイスは、第1の指示情報を端末に送信する。
【００６２】
具体的には、第1の指示情報は、ターゲット周波数ドメイン位置を示すために使用される。任意選択で、第1の指示情報は、代替として、第2の時間周波数リソースを示すことによって、ターゲット周波数ドメイン位置を示してもよい。例えば、第1の指示情報が1つの時間周波数リソースを示すならば、時間周波数リソースの周波数ドメイン位置は、ターゲット周波数ドメイン位置である。続く説明の容易さのために、第1の指示情報によって示される時間周波数リソースは、第2の時間周波数リソースと呼ばれる場合がある。第1の指示情報は、第2の時間周波数リソースの周波数パラメータ（例えば、周波数ドメイン開始位置および周波数ドメインの長さ）および時間ドメインパラメータ（例えば、時間ドメイン開始位置および時間ドメインの長さ）を搬送することによって、第2の時間周波数リソースを示してもよく、または第2の時間周波数リソースとの対応関係を有する事前設定された識別子を搬送することによって、第2の時間周波数リソースを示してもよい。代替として、第1の指示情報は、別の方式で第2の時間周波数リソースを示してもよく、第1の指示情報は、送信のためにより高いレイヤのシグナリング内で搬送されてもよく、または送信のためにダウンリンク制御情報DCI内で搬送されてもよい。
【００６３】
本発明のこの実施形態では、第2の時間周波数リソースは、端末がダウンリンクデータを受信するためにネットワークデバイスによってスケジュールされる時間周波数リソースであり得る。通常、第2の時間周波数リソースは、スケジューリング時間単位の最初のT個のシンボルにはない（例えば、スケジューリング時間単位の長さは、1つのサブフレーム、複数のサブフレーム、1つのスロット（slot）、複数のスロット、または複数のシンボルに等しくてもよい）。通常、最初のいくつかのシンボルにおけるリソースが制御情報を搬送し得るので、通常、スケジューリング時間単位は、ネットワークデバイスがスケジューリング情報を1回送信する時間の長さである。Tは正の整数である。例えば、先行技術のDCIと同様に、先行技術のDCIは、データを受信するために端末によって使用される時間周波数リソースを示す。例えば、DCIは、データ部分の時間ドメイン開始位置および時間ドメインの長さならびに周波数ドメイン開始位置および周波数ドメインの長さを示すことによって、時間周波数リソースのセグメントを示してもよい。本発明のこの実施形態における第2の時間周波数リソースは、時間周波数リソースのセグメントであってもよい。
【００６４】
それに応じて、端末は第1の指示情報を受信する。
【００６５】
具体的には、第1の指示情報を受信した後、端末は、ターゲット周波数ドメイン位置を決定するために、解析を通じて第1の指示情報の内容を取得する。例えば、第1の指示情報は、第2の時間周波数リソースを示し、第1の指示情報は、第2の時間周波数リソースの時間ドメインパラメータおよび周波数パラメータを含む。従って、端末は、第2の時間周波数リソースの周波数パラメータに基づいてターゲット周波数ドメイン位置を決定してもよい。別の例では、第1の指示情報は、第2の時間周波数リソースとの対応関係を有する時間周波数リソース識別子を含み、端末は、第2の時間周波数リソースの周波数ドメイン位置が、ターゲット周波数ドメイン位置であることを決定するために、時間周波数リソース識別子に基づいて第2の時間周波数リソースを決定してもよい。
【００６６】
ステップS1302：端末は、制御リソースセットの時間ドメイン位置およびターゲット周波数ドメイン位置に基づいて第1の時間周波数リソースを決定する。
【００６７】
具体的には、第1の時間周波数リソースの周波数ドメイン位置は、ターゲット周波数ドメイン位置と同じである。加えて、第1の時間周波数リソースの時間ドメイン位置は、制御リソースセットの時間ドメイン位置と同じであるか、または制御リソースセットの時間ドメイン位置にN個のシンボルを追加することによって取得される時間ドメイン位置と同じであり、Nは正の整数である。制御リソースセットは、CORESETであってもよく、制御リソースセットに関する情報は、端末およびネットワークデバイス内に事前定義されてもよく、またはシグナリングを使用することによって事前にネットワークデバイスによって端末に通知されてもよい。シグナリングは、RRCシグナリングなどのより高いレイヤのシグナリングであってもよく、またはDCIでもあってもよい。従って、端末は、制御リソースセットの時間ドメイン位置を知っており、従って、ここで、制御リソースセットの時間ドメイン位置に基づいて第1の時間周波数リソースの周波数ドメイン位置を決定し得る。本発明のこの実施形態では、制御リソースセットは、1つの制御リソースセットであってもよく、または複数の制御リソースセットの集合であってもよい。制御リソースセットが、複数の制御リソースセットの集合であるとき、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。下記は、図を参照して、第1の時間周波数リソースのいくつかの可能なケースをリストする。各図の座標において、横軸は時間ドメインを示し、縦軸は周波数ドメインを示す。各図は、第1の時間周波数リソース、「使用不可」領域、第2の時間周波数リソース、制御リソースセット、サーチスペースSS、およびPDCCHを表す。「使用不可」領域は、端末以外のデバイスのために予約された時間周波数リソースである。いくつかのケースは、具体的には下記のとおりである。
【００６８】
ケース1：制御リソースセットは、1つの制御リソースセットであり、第1の時間周波数リソースの時間ドメイン位置は、制御リソースセットの時間ドメイン位置と同じである。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図14に表される。
【００６９】
ケース2：制御リソースセットは、1つの制御リソースセットであり、第1の時間周波数リソースの時間ドメイン位置は、制御リソースセットの時間ドメイン位置にN個のシンボルを追加することによって取得される時間ドメイン位置と同じであり、Nは正の整数である。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図15に表される。
【００７０】
ケース3：制御リソースセットは、複数の制御リソースセットである。複数の制御リソースセットの時間ドメイン位置は、包含関係にあっても、部分的に重複しても、または全く重複しなくてもよい。どのケースであるかにかかわらず、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットであることが決定され得る。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図16に表される。
【００７１】
ケース4：制御リソースセットは、複数の制御リソースセットである。複数の制御リソースセットの時間ドメイン位置は、包含関係にあっても、部分的に重複しても、または全く重複しなくてもよい。どのケースであるかにかかわらず、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置にN個のシンボルを追加することによって取得される時間ドメイン位置と同じであることが決定され得る。第1の時間周波数リソースの周波数ドメイン位置が、第2の時間周波数リソースの周波数ドメイン位置（すなわち、ターゲット周波数ドメイン位置）と同じであるならば、第1の時間周波数リソースは図17に表される。
【００７２】
第1の任意選択の解決策では、制御リソースセットの時間ドメイン位置およびターゲット周波数ドメイン位置に基づいて、端末が第1の時間周波数リソースを具体的にどのように決定するかを指定するために、ルールが端末内に事前構成される。任意選択で、ルールは、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を指定する。例えば、ルールは、第1の時間周波数リソースの時間ドメイン位置が、制御リソースセットの時間ドメイン位置と同じであることを指定する。このようにして、端末は、このルールに従ってケース1の方式で第1の時間周波数リソースを決定してもよい。
【００７３】
第2の任意選択の解決策では、端末が第1の時間周波数リソースを決定する前に、ネットワークデバイスは、第4の指示情報を端末に送信し、それに応じて、端末はネットワークデバイスによって送信された第4の指示情報を受信する。第4の指示情報は、RRCシグナリングなどのより高いレイヤのシグナリングであってもよく、または第4の指示情報はDCIであってもよい。第4の指示情報は、第1の時間周波数リソースの時間ドメイン位置と制御リソースセットの時間ドメイン位置の間の関係、および／または第1の時間周波数リソースの周波数ドメイン位置とターゲット周波数ドメイン位置の間の関係を示すために使用される。例えば、第4の指示情報は、第1の時間周波数リソースの時間ドメイン位置が、制御リソースセットの時間ドメイン位置にN個のシンボルを追加することによって取得される時間ドメイン位置と同じであることを示す。別の例では、第4の指示情報は、第1の時間周波数リソースの時間ドメイン位置が、制御リソースセットの時間ドメイン位置と同じであることを示す。このようにして、端末は、第4の指示情報の指示に従ってケース2の方式で第2の時間周波数ドメインリソースを決定してもよい。任意選択で、第4の指示情報および第1の指示情報は同じ指示情報内で搬送されてもよく、および／または第4の指示情報および第3の指示情報は同じ指示情報内で搬送されてもよい。
【００７４】
第1の時間周波数リソースは上記で説明され、ターゲット時間周波数リソースは以下で説明される。ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、端末のためにネットワークデバイスによってスケジュールされた時間周波数リソース、例えば、第2の指示情報を使用することによって端末のためにネットワークデバイスによってスケジュールされた時間周波数リソースであり得る。
【００７５】
ターゲット時間周波数リソースが、第2の時間周波数リソースおよび第1の時間周波数リソース内のリソースの一部を含むとき、第1の時間周波数リソース内のリソースの一部について下記のいくつかの可能な解決策がある。
【００７６】
第1の解決策では、第1の時間周波数リソース内のリソースの一部は、制御リソースセットと重複する領域以外の第1の時間周波数リソース内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。制御リソースセットが第1の時間周波数リソース内にあるとき、「制御リソースセットと重複する領域」は、制御リソースセットによって占有される領域のすべてである。制御リソースセットが第1の時間ドメインリソースの外側にあるとき、「制御リソースセットと重複する領域」は存在しない。このケースでは、「制御リソースセットと重複する領域以外の第1の時間周波数リソース内の時間周波数リソース」が、第1の時間周波数リソースである。制御リソースセットが第1の時間周波数リソース内にある一例が、第1の時間周波数リソース内のリソースの一部を説明するために以下で使用される。図18を参照すると、第1の時間周波数リソースの時間ドメイン位置が、「ケース1」を満たすとき、第1の時間周波数リソース内のリソースの一部が図18の部分aに表される。第1の時間周波数リソースの時間ドメイン位置が、「ケース2」を満たすとき、第1の時間周波数リソース内のリソースの一部が図18の部分bに表される。第1の時間周波数リソースの時間ドメイン位置が、「ケース3」を満たすとき、第1の時間周波数リソース内のリソースの一部が図18の部分cに表される。第1の時間周波数リソースの時間ドメイン位置が、「ケース4」を満たすとき、第1の時間周波数リソース内のリソースの一部が図18の部分dに表される。図18のグリッド部分は、第1の時間周波数リソース内のリソースの一部である。任意選択で、ネットワークデバイスは、第1の時間周波数リソース内のリソースの一部において別のデバイスの制御リソースセットを送信することを可能な限り回避してもよい。しかしながら、これはネットワークデバイスによって実行されるスケジューリングに特有の制限をもたらす。そのような制限を減らすために、任意選択で、ネットワークデバイスは、シグナリングを使用することによって、別のデバイスの制御リソースセットの時間周波数リソース位置を端末に通知してもよい。このケースでは、第1の時間周波数リソース内のリソースの一部は、端末の制御リソースセットも別のデバイスの制御リソースセットも含まない。言い換えると、「制御リソースセットと重複する領域」は、端末の制御リソースセットと重複する領域と、別のデバイスの制御リソースセットと重複する領域の両方を含み、すなわち、端末のすべての既知の制御リソースセットと重複する領域を含む。
【００７７】
第2の解決策では、第1の時間周波数リソース内のリソースの一部は、サーチスペースと重複する領域以外の第1の時間周波数リソース内の時間周波数リソースを含む。サーチスペースは、第1の時間周波数リソース内にあってもよく、または第1の時間ドメインリソースの外側にあってもよく、さらに第1の時間周波数リソースと部分的に重複してもよい。サーチスペースが第1の時間周波数リソース内にあるとき、「サーチスペースと重複する領域」は、サーチスペースによって占有される領域のすべてである。サーチスペースが第1の時間ドメインリソースの外側にあるとき、「サーチスペースと重複する領域」は存在しない。このケースでは、「サーチスペースと重複する領域以外の第1の時間周波数リソース内の時間周波数リソース」が、第1の時間周波数リソースである。サーチスペースが第1の時間周波数リソース内にある一例が、第1の時間周波数リソース内のリソースの一部を説明するために以下で使用される。図19を参照すると、第1の時間周波数リソースの時間ドメイン位置が、「ケース1」を満たすとき、第1の時間周波数リソース内のリソースの一部が図19の部分aに表される。第1の時間周波数リソースの時間ドメイン位置が、「ケース2」を満たすとき、第1の時間周波数リソース内のリソースの一部が図19の部分bに表される。第1の時間周波数リソースの時間ドメイン位置が、「ケース3」を満たすとき、第1の時間周波数リソース内のリソースの一部が図19の部分cに表される。第1の時間周波数リソースの時間ドメイン位置が、「ケース4」を満たすとき、第1の時間周波数リソース内のリソースの一部が図19の部分dに表される。図19のグリッド部分は、第1の時間周波数リソース内のリソースの一部である。任意選択で、ネットワークデバイスは、別のデバイスのサーチスペースを第1の時間周波数リソース内のリソースの一部にマッピングすることを可能な限り回避してもよい。しかしながら、これはネットワークデバイスによって実行されるスケジューリングに特有の制限をもたらす。そのような制限を減らすために、任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペースを端末に通知してもよい。このケースでは、第1の時間周波数リソース内のリソースの一部は、端末のサーチスペースも、別のデバイスのサーチスペースによって占有される時間周波数リソース位置も含まない。言い換えると、「サーチスペースと重複する領域」は、端末のサーチスペースと重複する領域と、別のデバイスのサーチスペースと重複する領域の両方を含み、すなわち、端末のすべての既知のサーチスペースと重複する領域を含む。
【００７８】
第3の解決策では、第1の時間周波数リソース内のリソースの一部は、端末によって既にデコードされた物理ダウンリンク制御チャネルPDCCHと重複する領域以外の第1の時間周波数リソース内の時間周波数リソースを含む。端末によって既にデコードされたPDCCHは、第1の時間周波数リソース内にあってもよく、または第1の時間ドメインリソースの外側にあってもよく、さらに第1の時間周波数リソースと部分的に重複してもよい。端末によって既にデコードされたPDCCHが第1の時間周波数リソース内にあるとき、「端末によって既にデコードされたPDCCHと重複する領域」は、端末によって既にデコードされたPDCCHによって占有される領域のすべてである。端末によって既にデコードされたPDCCHが第1の時間ドメインリソースの外側にあるとき、「端末によって既にデコードされたPDCCHと重複する領域」は存在しない。このケースでは、「端末によって既にデコードされたPDCCHと重複する領域以外の第1の時間周波数リソース内の時間周波数リソース」が、第1の時間周波数リソースである。本発明のこの実施形態では、前述の第1の指示情報および第3の指示情報、ならびに続いて言及される第4の指示情報および第2の指示情報などの言及されたすべての指示情報について、端末によって既にデコードされたPDCCHは、指示情報がDCI内で搬送され、デコードされるという条件で、指示情報を含む。
【００７９】
端末によって既にデコードされたPDCCHが第1の時間周波数リソース内にある一例が、第1の時間周波数リソース内のリソースの一部を説明するために以下で使用される。図20を参照すると、第1の時間周波数リソースの時間ドメイン位置が、「ケース1」を満たすとき、第1の時間周波数リソース内のリソースの一部が図20の部分aに表される。第1の時間周波数リソースの時間ドメイン位置が、「ケース2」を満たすとき、第1の時間周波数リソース内のリソースの一部が図20の部分bに表される。第1の時間周波数リソースの時間ドメイン位置が、「ケース3」を満たすとき、第1の時間周波数リソース内のリソースの一部が図20の部分cに表される。第1の時間周波数リソースの時間ドメイン位置が、「ケース4」を満たすとき、第1の時間周波数リソース内のリソースの一部が図20の部分dに表される。図20のグリッド部分は、第1の時間周波数リソース内のリソースの一部である。任意選択で、ネットワークデバイスは、別のデバイスのPDCCHを第1の時間周波数リソース内のリソースの一部にマッピングすることを可能な限り回避してもよい。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００８０】
第4の解決策では、第1の時間周波数リソース内のリソースの一部は、端末によって既にデコードされたPDCCH以外の制御リソースセットの領域内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「端末によって既にデコードされたPDCCH以外の制御リソースセットの領域内の時間周波数リソース」は、端末によって既にデコードされたPDCCH以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図21を参照すると、第1の時間周波数リソースの時間ドメイン位置が、「ケース1」を満たすとき、第1の時間周波数リソース内のリソースの一部が図21の部分aに表される。第1の時間周波数リソースの時間ドメイン位置が、「ケース2」を満たすとき、第1の時間周波数リソース内のリソースの一部が図21の部分bに表される。第1の時間周波数リソースの時間ドメイン位置が、「ケース3」を満たすとき、第1の時間周波数リソース内のリソースの一部が図21の部分cに表される。第1の時間周波数リソースの時間ドメイン位置が、「ケース4」を満たすとき、第1の時間周波数リソース内のリソースの一部が図21の部分dに表される。図21のグリッド部分は、第1の時間周波数リソース内のリソースの一部である。任意選択で、ネットワークデバイスは、別のデバイスのPDCCHを制御リソースセットにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００８１】
第5の解決策では、第1の時間周波数リソース内のリソースの一部は、端末によって既にデコードされたPDCCH以外のサーチスペースの領域内の時間周波数リソースを含む。サーチスペースは、第1の時間周波数リソース内にあってもよく、または第1の時間ドメインリソースの外側にあってもよく、第1の時間周波数リソースと部分的に重複してもよい。「端末によって既にデコードされたPDCCH以外のサーチスペースの領域内の時間周波数リソース」は、端末によって既にデコードされたPDCCH以外で、第1の時間周波数リソースがサーチスペースと重複する領域内の残りの時間周波数リソースである。サーチスペースが第1の時間周波数リソース内にある一例が、第1の時間周波数リソース内のリソースの一部を説明するために以下で使用される。図11を参照すると、第1の時間周波数リソースの時間ドメイン位置が、「ケース1」を満たすとき、第1の時間周波数リソース内のリソースの一部が図22の部分aに表される。第1の時間周波数リソースの時間ドメイン位置が、「ケース2」を満たすとき、第1の時間周波数リソース内のリソースの一部が図22の部分bに表される。第1の時間周波数リソースの時間ドメイン位置が、「ケース3」を満たすとき、第1の時間周波数リソース内のリソースの一部が図22の部分cに表される。第1の時間周波数リソースの時間ドメイン位置が、「ケース4」を満たすとき、第1の時間周波数リソース内のリソースの一部が図22の部分dに表される。図22のグリッド部分は、第1の時間周波数リソース内のリソースの一部である。任意選択で、ネットワークデバイスは、別のデバイスのPDCCHをサーチスペースにマッピングすることを可能な限り回避する必要がある。任意選択で、ネットワークデバイスが別のデバイスのPDCCHを第1の時間周波数リソース内のリソースの一部にマッピングするならば、ネットワークデバイスは、シグナリングを使用することによって別のデバイスのPDCCHの時間周波数リソース位置を端末に通知してもよい。
【００８２】
第6の解決策では、第1の時間周波数リソース内のリソースの一部は、サーチスペース以外の制御リソースセット内の時間周波数リソースを含む。制御リソースセットは、第1の時間周波数リソース内にあってもよく、または第1の時間ドメインリソースの外側にあってもよく、さらに第1の時間周波数リソースと部分的に重複してもよい。「サーチスペース以外の制御リソースセット内の時間周波数リソース」は、サーチスペース以外で、第1の時間周波数リソースが制御リソースセットと重複する領域内の残りの時間周波数リソースである。制御リソースセットが第1の時間周波数リソース内にある一例が、第1の時間周波数リソース内のリソースの一部を説明するために以下で使用される。図23を参照すると、第1の時間周波数リソースの時間ドメイン位置が、「ケース1」を満たすとき、第1の時間周波数リソース内のリソースの一部が図23の部分aに表される。第1の時間周波数リソースの時間ドメイン位置が、「ケース2」を満たすとき、第1の時間周波数リソース内のリソースの一部が図23の部分bに表される。第1の時間周波数リソースの時間ドメイン位置が、「ケース3」を満たすとき、第1の時間周波数リソース内のリソースの一部が図23の部分cに表される。第1の時間周波数リソースの時間ドメイン位置が、「ケース4」を満たすとき、第1の時間周波数リソース内のリソースの一部が図23の部分dに表される。図23のグリッド部分は、第1の時間周波数リソース内のリソースの一部である。任意選択で、ネットワークデバイスは、別のデバイスのサーチスペースをサーチスペースにマッピングすることを可能な限り回避する必要がある。任意選択で、ネットワークデバイスが別のデバイスのサーチスペースを第1の時間周波数リソース内のリソースの一部にマッピングするならば、ネットワークデバイスは、シグナリングを使用することによって別のデバイスのサーチスペースの時間周波数リソース位置を端末に通知してもよい。
【００８３】
本発明のこの実施形態では、第1の時間周波数リソース内のリソースの一部を決定するために、使用されるべき1つ以上の解決策が端末およびネットワークデバイス内に事前構成され得る。このようにして、端末は、構成に基づいて第1の時間周波数リソース内のリソースの一部を直接決定してもよい。例えば、端末の構成が、「第2の」解決策を使用することによって第1の時間周波数リソース内のリソースの一部を決定することであるならば、端末は「第2の」解決策を使用することによって第1の時間周波数リソース内のリソースの一部を決定する。加えて、ネットワークデバイスは、端末に第1のメッセージを送信してもよく、端末は、ネットワークデバイスによって送信された第1のメッセージを受信し、第1のメッセージは、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。任意選択で、第3の指示情報は、第1の時間周波数リソース内のリソースの一部を決定するために使用される解決策を示す。従って、端末は、第3の指示情報によって示される解決策に従って、第1の時間周波数リソース内のリソースの一部を決定してもよい。第1のメッセージは、RRCシグナリングなどのより高いレイヤのシグナリングであってもよく、またはDCIであってもよい。任意選択で、第1メッセージが第3の指示情報を含むかどうかは、より高いレイヤのシグナリング（RRCシグナリングなど）を使用することによって通知される構成情報であってもよく、またはダウンリンク制御情報DCIを使用することによって通知されてもよく、またはDCI形式に結び付けられてもよい。いくつかのDCI形式は使用可能であり、いくつかのDCI形式は使用不可である。異なるタイプのユーザについて異なる構成があり得る。いくつかのタイプのユーザについて第3の指示情報が存在し、他のタイプのユーザについて第3の指示情報が存在しない。端末は1つのタイプのユーザである。例えば、指示フィールドが第3の指示情報内に構成され、指示フィールドの異なるステータスが、第1の時間周波数リソース内のリソースの一部について異なる解決策に対応し、指示フィールドの1つのステータスは、ターゲッ
ト時間周波数リソースが第1の時間周波数リソースを含まないことを示すために使用される。例えば、指示フィールドはN個のビットを含み、Nは正の整数である。N＝3と仮定すると、001は、第1の時間周波数リソース内のリソースの一部が、「第1の」解決策で説明されている第1の時間周波数リソース内のリソースの一部であることを示すために使用されてもよく、010は、第1の時間周波数リソース内のリソースの一部が、「第2の」解決策で説明されている第1の時間周波数リソース内のリソースの一部であることを示すために使用されてもよく、011は、第1の時間周波数リソース内のリソースの一部が、「第3の」解決策で説明されている第1の時間周波数リソース内のリソースの一部であることを示すために使用されてもよく、100は、第1の時間周波数リソース内のリソースの一部が、「第4の」解決策で説明されている第1の時間周波数リソース内のリソースの一部であることを示すために使用されてもよく、101は、第1の時間周波数リソース内のリソースの一部が、「第5の」解決策で説明されている第1の時間周波数リソース内のリソースの一部であることを示すために使用されてもよく、110は、第1の時間周波数リソース内のリソースの一部が「第6の」解決策で説明されている第1の時間周波数リソース内のリソースの一部であることを示すために使用されてもよく、111は、データが第1の時間周波数リソースにおいて受信されないことを示すために使用されてもよい。それに応じて、第3の指示情報を受信した後、解析を通じて、第3の指示情報内の指示フィールドの値が001であることを取得するならば、端末は、「第1の」解決策を使用することによって第1の時間周波数リソース内のリソースの一部を決定し、解析を通じて、第3の指示情報内の指示フィールドの値が010であることを取得するならば、端末は、「第2の」解決策を使用することによって第1の時間周波数リソース内のリソースの一部を決定し、解析を通じて、第3の指示情報内の指示フィールドの値が011であることを取得するならば、端末は、「第3の」解決策を使用することによって第1の時間周波数リソース内のリソースの一部を決定し、解析を通じて、第3の指示情報内の指示フィールドの値が100であることを取得するならば、端末は、「第4の」解決策を使用すること
によって第1の時間周波数リソース内のリソースの一部を決定し、解析を通じて、第3の指示情報内の指示フィールドの値が101であることを取得するならば、端末は、「第5の」解決策を使用することによって第1の時間周波数リソース内のリソースの一部を決定し、解析を通じて、第3の指示情報内の指示フィールドの値が110であることを取得するならば、端末は、「第6の」解決策を使用することによって第1の時間周波数リソース内のリソースの一部を決定し、または解析を通じて、第3の指示情報内の指示フィールドの値が111であることを取得するならば、端末は、データが第1の時間周波数リソースにおいて受信されないことを知る。同様に、Nは2に等しくてもよく、従って、最大4つの解決策のみが示され得る。例えば、00は、第1の時間周波数リソース内のリソースの一部が、「第1の」解決策で説明されている第1の時間周波数リソース内のリソースの一部であることを示すために使用されてもよく、01は、第1時間周波数リソース内のリソースの一部が、「第2の」解決策で説明されている第1の時間周波数リソース内のリソースの一部であることを示すために使用されてもよく、10は、第1の時間周波数リソース内のリソースの一部が、「第3の」解決策で説明されている第1の時間周波数リソース内のリソースの一部であることを示すために使用されてもよく、11は、データが第1の時間周波数リソースにおいて受信されないことを示すために使用されてもよい。データを受信するために使用され得るすべての第1の時間周波数リソース内のリソースの一部は、前述の6つの解決策の任意の組み合わせを含んでもよく、または別の同様の解決策を含んでもよい。第3の指示情報内の情報フィールド内のビットの数は、サポートされる解決策の数に基づいて決定されてもよく、第3の指示情報内の情報フィールド内の1つのステータスは、データが第1の時間周波数リソースにおいて受信されないことを示すために使用されてもよい。
【００８４】
端末によって受信された第1のメッセージが第3の指示情報を含まないならば、端末は第1の時間周波数リソースにおいてデータを受信する必要はない。言い換えれば、ユーザが、第1の時間周波数リソースを決定する必要はない。
【００８５】
第1の時間周波数リソース内のリソースの一部についてのいくつかの任意選択の解決策が、上記で説明されている。任意選択で、異なる条件が満たされるとき、第1の時間周波数リソース内のリソースの一部を決定するための解決策が異なってもよい。例えば、条件1が満たされるならば、第1の時間周波数リソース内のリソースの一部は、「解決策1」で説明されている第1の時間周波数リソース内のリソースの一部であり、条件2が満たされるならば、第1の時間周波数リソース内のリソースの一部は、「解決策2」で説明されている第1の時間周波数リソース内のリソースの一部であり、条件3が満たされるならば、第1の時間周波数リソース内のリソースの一部は、「解決策3」で説明されている第1の時間周波数リソース内のリソースの一部であり、条件4が満たされるならば、第1の時間周波数リソース内のリソースの一部は、「解決策4」で説明されている第1の時間周波数リソース内のリソースの一部であり、または条件5が満たされるならば、第1の時間周波数リソース内のリソースの一部は、「解決策5」で説明されている第1の時間周波数リソース内のリソースの一部である。条件1、条件2、条件3、条件4、および条件5は異なる条件である。これらの条件の具体的な内容は、ここで限定されない。
【００８６】
ステップS1303：ネットワークデバイスは、制御リソースセットの時間ドメイン位置およびターゲット周波数ドメイン位置に基づいて第1の時間周波数リソースを決定する。
【００８７】
具体的には、ネットワークデバイスが第1の時間周波数リソースを決定する方式は、端末が第1の時間周波数リソースを決定する方式と同じであり、ネットワークデバイスによって決定された第1の時間周波数リソースおよび端末によって決定された第1の時間周波数リソースは同じ時間周波数リソースでもある。ネットワークデバイスは、ネットワークデバイスにアクセスする各デバイスの制御リソースセットを知っており、従って、ステップS1302で端末によって使用される制御リソースセットもネットワークデバイスによって知られていることが理解され得る。加えて、ステップS1302で端末によって使用されるターゲット周波数ドメイン位置も、第1の指示情報を使用することによって、ネットワークデバイスによって端末に示される。言い換えれば、ネットワークデバイスは、ターゲット周波数ドメイン位置に関する情報も有する。従って、ネットワークデバイスは、制御リソースセットおよびターゲット周波数ドメイン位置に基づいて第1の時間周波数リソースを決定してもよく、決定された第1の時間周波数リソースは、端末によって決定された第1の時間周波数リソースと同じである。第1の時間周波数リソースの特徴は、ステップS1302において既に詳細に説明されており、詳細はここで再び説明されない。ステップS1303とステップS1302およびS1301の順序は、ここで限定されないことが理解され得る。実現可能な解決策では、ステップS1303は、S1301の前、S1301の後かつS1302の前、またはS1302の後に実行される。
【００８８】
ステップS1304：ネットワークデバイスは、ターゲット時間周波数リソースにおいてデータを端末に送信する。
【００８９】
具体的には、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。第2の時間周波数リソースは、ステップS1301において既に説明されており、詳細はここで再び説明されない。ターゲット時間周波数リソースが、第2の時間周波数リソースおよび第1の時間周波数リソース内のリソースの一部を含むとき、第1の時間周波数リソース内のリソースの一部について複数の可能な解決策があり得る。複数の可能な解決策は、ステップS1302で詳細に説明されており、詳細はここで再び説明されない。ターゲット時間周波数リソースに具体的に含まれる部分は、端末およびネットワークデバイス内に事前定義されることが理解され得る。このようにして、ネットワークデバイスおよび端末は、同じ構成に基づいて同じターゲット時間周波数リソースを決定してもよい。代替として、ターゲット時間周波数リソースに含まれる特定の部分は、ネットワークデバイスによって端末に示されてもよい。このようにして、ネットワークデバイスおよび端末が同じターゲット時間周波数リソースを使用することが保証されることも可能である。任意選択で、ここでの「データ」は、シグナリング（または制御情報）以外のデータである。
【００９０】
任意選択で、同じデータブロックの異なる部分が、ターゲット時間周波数リソースに含まれる第2の時間周波数リソースおよび第1の時間周波数リソース内のリソースの一部にマッピングされる。すなわち、リソースの2つの部分についてのデータは共同で完全なデータブロックを形成し、データブロックはトランスポートブロックTB、コードブロックグループCBG、またはコードブロックCBであってもよい。それに応じて、端末は、ターゲット時間周波数リソースにおいて、ネットワークデバイスによって送信されたデータを受信する。
【００９１】
本発明のこの実施形態では、第1の指示情報が、第2の時間周波数リソースを示すことによってターゲット周波数ドメイン位置を示すとき、端末が解析を通じて第2の時間周波数リソースを取得した後、同じデータブロックの異なる部分は、ターゲット時間周波数リソースに含まれる第2の時間周波数リソースおよび第1の時間周波数リソース内のリソースの一部にマッピングされる。すなわち、リソースの2つの部分についてのデータは共同で完全なデータブロックを形成し、データブロックはトランスポートブロックTB、コードブロックグループCBG、またはコードブロックCBであってもよい。任意選択で、第3の指示情報および第1の指示情報は、同じ指示情報の異なるビットフィールド、例えば、同じDCI内の異なるビットフィールドである。このようにして、制御情報によって占有されるオーバーヘッドが減らされることが可能である。
【００９２】
加えて、制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースが分割され、端末は第1の時間周波数リソース内のターゲット時間周波数リソースにおいてデータを受信する。このようにして、端末は、ネットワークデバイスによって別のデバイスに送信されたデータを受信することが防止されることが可能であり、すなわち、データ汚染が防止されることが可能である。
【００９３】
図13で説明された方法では、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【００９４】
図24は、本発明の一実施形態による端末240の概略構造図である。端末240は、受信ユニット2401および処理ユニット2402を含むことが可能であり、端末240は、前述の方法を実現することが可能である。
【００９５】
受信ユニット2401は、第1の指示情報を受信するように構成され、第1の指示情報は、ターゲット周波数ドメイン位置を示すために使用される。処理ユニット2402は、制御リソースセットの時間ドメイン位置およびターゲット周波数ドメイン位置に基づいて第1の時間周波数リソースを決定するように構成され、第1の時間周波数リソースの周波数ドメイン位置はターゲット周波数ドメイン位置と同じであり、第1の時間周波数リソースの時間ドメイン位置は制御リソースセットの時間ドメイン位置と同じであるか、または第1の時間周波数リソースの時間ドメイン位置は制御リソースセットの時間ドメイン位置およびN個のシンボルの時間ドメイン位置の合計と同じであり、Nは正の整数である。受信ユニット2401は、ターゲット時間周波数リソースにおいてデータを受信するようにさらに構成され、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。
【００９６】
任意選択の解決策では、第1の時間周波数リソース内のターゲット時間周波数リソースにおいてデータを受信する前に、受信ユニット2401は、ネットワークデバイスによって送信された第1のメッセージを受信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【００９７】
別の任意選択の解決策では、処理ユニット2402が制御リソースセットの時間ドメイン位置およびターゲット周波数ドメイン位置に基づいて第1の時間周波数リソースを決定する前に、受信ユニット2401は、ネットワークデバイスによって送信された第4の指示情報を受信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。
【００９８】
各ユニットの実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【００９９】
図25は、本発明の一実施形態によるネットワークデバイス250の概略構造図である。ネットワークデバイス250は、送信ユニット2501、処理ユニット2502、および受信ユニット2503を含むことが可能であり、ネットワークデバイス250は、前述の方法を実現することが可能である。
【０１００】
送信ユニット2501は、第1の指示情報を端末に送信するように構成され、第1の指示情報は、ターゲット周波数ドメイン位置を示すために使用される。処理ユニット2502は、制御リソースセットの時間ドメイン位置およびターゲット周波数ドメイン位置に基づいて第1の時間周波数リソースを決定するように構成され、第1の時間周波数リソースの周波数ドメイン位置はターゲット周波数ドメイン位置と同じであり、第1の時間周波数リソースの時間ドメイン位置は制御リソースセットの時間ドメイン位置と同じであるか、または第1の時間周波数リソースの時間ドメイン位置は制御リソースセットの時間ドメイン位置およびN個のシンボルの時間ドメイン位置の合計と同じであり、Nは正の整数である。受信ユニット2503は、ターゲット時間周波数リソースにおいてデータを受信するように構成され、ターゲット時間周波数リソースは、第2の時間周波数リソースおよび第1の時間周波数リソース内のリソースの一部を含むか、またはターゲット時間周波数リソースは、第2の時間周波数リソースを含むが、第1の時間周波数リソースを含まない。
【０１０１】
任意選択の解決策では、受信ユニット2503がターゲット時間周波数リソースにおいてデータを受信する前に、送信ユニット2501は、第1のメッセージを端末に送信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０１０２】
別の任意選択の解決策では、受信ユニット2503がターゲット時間周波数リソースにおいてデータを受信する前に、送信ユニット2501は、第4の指示情報を端末に送信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示されてもよい。このようにして、端末のためにスケジュールされたターゲット時間周波数リソースは、より大きな範囲を有することが可能であり、それによりリソース利用を効果的に向上させる。
【０１０３】
各ユニットの実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【０１０４】
図26は、本発明の一実施形態による端末260を表す。端末260は、プロセッサ2601、メモリ2602、およびトランシーバ2603を含む。プロセッサ2601、メモリ2602、およびトランシーバ2603は、バスを使用することによって互いに接続されている。
【０１０５】
端末260のプロセッサ2601は、メモリ2602に記憶されたプログラムコードを読み取って、下記の動作、すなわち、
トランシーバ2603を使用することによって第1の指示情報を受信する動作であって、第1の指示情報が、ターゲット周波数ドメイン位置を示すために使用される、動作と、制御リソースセットの時間ドメイン位置およびターゲット周波数ドメイン位置に基づいて第1の時間周波数リソースを決定する動作であって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または第1の時間周波数リソースの時間ドメイン位置が、制御リソースセットの時間ドメイン位置およびN個のシンボルの時間ドメイン位置の合計と同じであり、Nが正の整数である、動作と、トランシーバ2603を使用することによってターゲット時間周波数リソースにおいてデータを受信する動作であって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、動作と、を実行するように構成される。
【０１０６】
任意選択の解決策では、プロセッサ2601が、トランシーバ2603を使用することによって第1の時間周波数リソース内のターゲット時間周波数リソースにおいてデータを受信する前に、プロセッサ2601は、トランシーバ2603を使用することによって、ネットワークデバイスによって送信された第1のメッセージを受信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０１０７】
別の任意選択の解決策では、第1のメッセージは、第2の指示情報をさらに含み、第2の指示情報は、第2の時間周波数リソースを示すために使用される。このようにして、制御情報によって占有されるリソースのオーバーヘッドが減らされることが可能である。任意選択で、第1のメッセージが第3の指示情報を含むかどうかは、より高いレイヤのシグナリング（RRCシグナリングなど）を使用することによって示されてもよく、またはダウンリンク制御情報DCIの情報を使用することによって示されてもよく、またはDCI形式を使用することによって示されてもよい。いくつかのDCI形式について第3の指示情報が存在する場合があり、他のDCI形式について第3の指示情報が存在しない場合がある。代替として、異なるタイプのユーザについて異なる構成があり得る。いくつかのタイプのユーザについて第3の指示情報が存在する場合があり、他のタイプのユーザについて第3の指示情報が存在しない場合がある。端末は1つのタイプのユーザである。
【０１０８】
別の任意選択の解決策では、ターゲット時間周波数リソースは、第2の時間周波数リソースおよび第1の時間周波数リソース内のリソースの一部を含み、第1の時間周波数リソース内のリソースの一部は、制御リソースセットと重複する領域以外の第1の時間周波数リソース内の時間周波数リソースを含み、または第1の時間周波数リソース内のリソースの一部は、サーチスペースと重複する領域以外の第1の時間周波数リソース内の時間周波数リソースを含み、または第1の時間周波数リソース内のリソースの一部は、端末によって既にデコードされた物理ダウンリンク制御チャネルPDCCHと重複する領域以外の第1の時間周波数リソース内の時間周波数リソースを含み、または第1の時間周波数リソース内のリソースの一部は、端末によって既にデコードされたPDCCH以外の制御リソースセット内の時間周波数リソースを含み、または第1の時間周波数リソース内のリソースの一部は、端末によって既にデコードされたPDCCH以外のサーチスペース内の時間周波数リソースを含み、または第1の時間周波数リソース内のリソースの一部は、サーチスペース以外の制御リソースセット内の時間周波数リソースを含む。第1の時間周波数リソース内のいくつかの特定のリソースは、端末およびネットワークデバイス内に事前構成されてもよく、またはネットワークデバイスによって端末に送信された第1のメッセージに含まれる第3の指示情報の第1のステータスを使用することによって端末に通知されてもよいことが理解され得る。任意選択で、第3の指示情報はM個の情報ビットを含み、Mは正の整数である。M個の情報ビットの第1のステータスは、第1の時間周波数リソース内のリソースの一部の一ケースに対応する。Mの値は、端末によってサポートされる第1の時間周波数リソース内のリソースの一部のケースの数に関連する。任意選択で、端末によってサポートされる第1の時間周波数リソース内のリソースの一部のすべてのケースは、より高いレイヤのシグナリングを使用することによって構成されるか、または事前設定される。
【０１０９】
別の任意選択の解決策では、プロセッサ2601が制御リソースセットの時間ドメイン位置およびターゲット周波数ドメイン位置に基づいて第1の時間周波数リソースを決定する前に、プロセッサ2601は、ネットワークデバイスによって送信された第4の指示情報を、トランシーバ2603を使用することによって受信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示されてもよい。このようにして、端末のためにスケジュールされたターゲット時間周波数リソースは、より大きな範囲を有することが可能であり、それによりリソース利用を効果的に向上させる。
【０１１０】
別の任意選択の解決策では、制御リソースセットは、複数の制御リソースセットを含み、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットが、複数の制御リソースセット内の先頭の開始時間ドメイン位置を有する制御リソースセットであり、第2の制御リソースセットが、複数の制御リソースセット内の末尾の時間ドメイン位置を有する制御リソースセットである。
【０１１１】
別の任意選択の解決策では、ターゲット周波数ドメイン位置は、第2の時間周波数リソースの周波数ドメイン位置であり、第1の指示情報は、第2の時間周波数リソースを示すことによってターゲット周波数ドメイン位置を示す。
【０１１２】
別の任意選択の解決策では、第1の時間周波数リソースおよび第2の時間周波数リソースは時間ドメインにおいて不連続である。制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースは分割されることが理解され得る。このようにして、端末は、ネットワークデバイスによって別のデバイスに送信されたデータを受信することが防止されることが可能であり、すなわち、データ汚染が防止されることが可能である。
【０１１３】
各動作の実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【０１１４】
さらに、本発明の一実施形態は装置をさらに提供する。装置は、前述の端末のチップ、例えばベースバンドプロセッサであってもよい。装置は、プロセッサおよびメモリを含む。プロセッサは、メモリに記憶されたプログラムコードを読み取って、前述の方法における動作を実行するように構成される。この実施形態におけるメモリは、チップ内の記憶コンポーネントであってもよいことが留意されるべきである。前述の端末260に含まれるメモリ2603は、プロセッサ2601内のメモリであってもよく、またはプロセッサ2601とは独立した記憶チップであってもよい。
【０１１５】
図27は、本発明の一実施形態によるネットワークデバイス270を表す。ネットワークデバイス270は、プロセッサ2701、メモリ2702、およびトランシーバ2703を含む。プロセッサ2701、メモリ2702、およびトランシーバ2703は、バスを使用することによって互いに接続される。
【０１１６】
ネットワークデバイス270内のプロセッサ2701は、メモリ2702に記憶されたプログラムコードを読み取って、下記の動作、すなわち、トランシーバ2703を使用することによって第1の指示情報を端末に送信する動作であって、第1の指示情報が、ターゲット周波数ドメイン位置を示すために使用される、動作と、制御リソースセットの時間ドメイン位置およびターゲット周波数ドメイン位置に基づいて第1の時間周波数リソースを決定する動作であって、第1の時間周波数リソースの周波数ドメイン位置が、ターゲット周波数ドメイン位置と同じであり、第1の時間周波数リソースの時間ドメイン位置が、制御リソースセットの時間ドメイン位置と同じであるか、または第1の時間周波数リソースの時間ドメイン位置が、制御リソースセットの時間ドメイン位置およびN個のシンボルの時間ドメイン位置の合計と同じであり、Nが正の整数である、動作と、トランシーバ2703を使用することによってターゲット時間周波数リソースにおいてデータを受信する動作であって、ターゲット時間周波数リソースが、第2の時間周波数リソースおよび第1の時間周波数リソース内のリソースの一部を含むか、またはターゲット時間周波数リソースが、第2の時間周波数リソースを含むが、第1の時間周波数リソースは含まない、動作と、を実行するように構成される。
【０１１７】
前述の動作を実行することによって、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【０１１８】
任意選択の解決策では、プロセッサ2701が、トランシーバ2703を使用することによってターゲット時間周波数リソースにおいてデータを受信する前に、プロセッサ2701は、トランシーバ2703を使用することによって、第1のメッセージを端末に送信するようにさらに構成され、第1のメッセージが、第3の指示情報を含み、第3の指示情報の第1のステータスが、第1の時間周波数リソース内のリソースの一部を示すか、または第3の指示情報の第2のステータスが、ターゲット時間周波数リソースが第1の時間周波数リソースを含まないことを示す。
【０１１９】
別の任意選択の解決策では、第1のメッセージは、第2の指示情報をさらに含み、第2の指示情報は、第2の時間周波数リソースを示すために使用される。このようにして、制御情報によって占有されるリソースのオーバーヘッドが減らされることが可能である。任意選択で、第1のメッセージが第3の指示情報を含むかどうかは、より高いレイヤのシグナリング（RRCシグナリングなど）を使用することによって示されてもよく、またはダウンリンク制御情報DCIの情報を使用することによって示されてもよく、またはDCI形式を使用することによって示されてもよい。いくつかのDCI形式について第3の指示情報が存在する場合があり、他のDCI形式について第3の指示情報が存在しない場合がある。代替として、異なるタイプのユーザについて異なる構成があり得る。いくつかのタイプのユーザについて第3の指示情報が存在する場合があり、他のタイプのユーザについて第3の指示情報が存在しない場合がある。端末は1つのタイプのユーザである。
【０１２０】
別の任意選択の解決策では、ターゲット時間周波数リソースは、第2の時間周波数リソースおよび第1の時間周波数リソース内のリソースの一部を含み、第1の時間周波数リソース内のリソースの一部は、制御リソースセットと重複する領域以外の第1の時間周波数リソース内の時間周波数リソースを含み、または第1の時間周波数リソース内のリソースの一部は、サーチスペースと重複する領域以外の第1の時間周波数リソース内の時間周波数リソースを含み、または第1の時間周波数リソース内のリソースの一部は、端末によって既にデコードされた物理ダウンリンク制御チャネルPDCCHと重複する領域以外の第1の時間周波数リソース内の時間周波数リソースを含み、または第1の時間周波数リソース内のリソースの一部は、端末によって既にデコードされたPDCCH以外の制御リソースセット内の時間周波数リソースを含み、または第1の時間周波数リソース内のリソースの一部は、端末によって既にデコードされたPDCCH以外のサーチスペース内の時間周波数リソースを含み、または第1の時間周波数リソース内のリソースの一部は、サーチスペース以外の制御リソースセット内の時間周波数リソースを含む。第1の時間周波数リソース内のいくつかの特定のリソースは、事前構成されてもよく、またはネットワークデバイスによって端末に送信された第1のメッセージに含まれる第3の指示情報の第1のステータスを使用することによって端末に通知されてもよいことが理解され得る。任意選択で、第3の指示情報はM個の情報ビットを含み、Mは正の整数である。M個の情報ビットの第1のステータスは、第1の時間周波数リソース内のリソースの一部の一ケースに対応する。Mの値は、端末によってサポートされる第1の時間周波数リソース内のリソースの一部のケースの数に関連する。任意選択で、端末によってサポートされる第1の時間周波数リソース内のリソースの一部のすべてのケースは、より高いレイヤのシグナリングを使用することによって構成されるか、または事前設定される。
【０１２１】
別の任意選択の解決策では、プロセッサ2701がトランシーバ2703を使用することによってターゲット時間周波数リソースにおいてデータを受信する前に、プロセッサ2701は、トランシーバ2703を使用することによって第4の指示情報を端末に送信するようにさらに構成され、端末は、ネットワークデバイスによって送信された第4の指示情報を受信し、第4の指示情報は、第1の時間周波数リソースの時間ドメイン位置と制御リソースセットの時間ドメイン位置の間の関係を示すために使用され、例えば、第4の指示情報は、第1の時間周波数リソースの時間ドメイン位置が、制御リソースセットの時間ドメイン位置と同じであることを示すために使用されるか、または第4の指示情報は、第1の時間周波数リソースの時間ドメイン位置が、制御リソースセットの時間ドメイン位置およびN個のシンボルの時間ドメイン位置の合計と同じであることを示すために使用される。ネットワークデバイスは、アクセスしている各デバイスのリソース使用ステータスを知ることが理解され得る。比較的多数のアイドルリソースがあるとき、第1の時間周波数リソースがより大きな範囲を有するように、第1の時間周波数リソースの時間ドメイン位置と制御リソースセットの時間ドメイン位置の間の関係が示されてもよい。このようにして、端末のためにスケジュールされたターゲット時間周波数リソースは、より大きな範囲を有することが可能であり、それによりリソース利用を効果的に向上させる。
【０１２２】
別の任意選択の解決策では、制御リソースセットは、複数の制御リソースセットを含み、制御リソースセットの時間ドメイン開始位置は、第1の制御リソースセットの時間ドメイン開始位置と同じであり、制御リソースセットの時間ドメイン終了位置は、第2の制御リソースセットの時間ドメイン終了位置と同じであり、第1の制御リソースセットは、複数の制御リソースセット内の先頭の開始時間ドメイン位置を有する制御リソースセットであり、第2の制御リソースセットは、複数の制御リソースセット内の末尾の時間ドメイン位置を有する制御リソースセットである。
【０１２３】
別の任意選択の解決策では、ターゲット周波数ドメイン位置は、第2の時間周波数リソースの周波数ドメイン位置であり、第1の指示情報は、第2の時間周波数リソースを示すことによってターゲット周波数ドメイン位置を示す。
【０１２４】
別の任意選択の解決策では、第1の時間周波数リソースおよび第2の時間周波数リソースは時間ドメインにおいて不連続である。制御リソースセットの時間ドメイン位置および第2の時間周波数リソースの時間ドメイン位置が不連続であるとき、すなわち、第2の時間周波数リソースの時間ドメイン位置と制御リソースセットの時間ドメイン位置の間の時間ドメイン位置における時間周波数リソースが、データを受信するために別のデバイスによって使用されるとき、端末によって使用される時間周波数リソースが別のデバイスによって使用される時間周波数リソースから分離され得るように、第1の時間周波数リソースは分割されることが理解され得る。このようにして、端末は、ネットワークデバイスによって別のデバイスに送信されたデータを受信することが防止されることが可能であり、すなわち、データ汚染が防止されることが可能である。
【０１２５】
各ユニットの実装については、前述の方法の実施形態をさらに参照されたく、前述の方法の実施形態の効果が達成されることが可能であることが留意されるべきである。具体的な内容については、前述の説明を参照されたく、詳細はここで再び説明されない。
【０１２６】
メモリ2602およびメモリ2702はそれぞれ、ランダムアクセスメモリ（英語：Random Access Memory、略してRAM）、リードオンリメモリ（英語：Read-Only Memory、略してROM）、消去可能プログラマブル・リードオンリメモリ（英語：Erasable Programmable Read Only Memory、略してEPROM）、またはコンパクトディスク・リードオンリメモリ（英語：Compact Disc Read-Only Memory、略してCD-ROM）を含むが、これらに限定されない。メモリ2602またはメモリ2702は、関連する命令および関連するデータを記憶するように構成される。トランシーバ2603およびトランシーバ2703は、データを受信および送信するように構成される。
【０１２７】
プロセッサ2601およびプロセッサ2701はそれぞれ、1つ以上の中央処理ユニット（英語：Central Processing Unit、略してCPU）であってもよい。プロセッサ2601が1つのCPUであるとき、CPUはシングルコアCPUまたはマルチコアCPUであってもよい。
【０１２８】
結論として、本発明の実施形態の実装を通じて、ネットワークデバイスは、ターゲット周波数ドメイン位置を示すために端末に第1の指示情報を送信し、端末は、ターゲット周波数ドメイン位置および制御リソースセットの時間ドメイン位置に基づいて第1の時間周波数リソースを決定し、次に第1の時間周波数リソースの範囲内で、データを送信するために使用される1つのターゲット時間周波数リソースを決定する。制御チャネルの信頼性への影響を回避するために、ターゲット時間周波数リソースと、端末によって既にデコードに成功した制御チャネルとの間に交わりはない。加えて、端末によって使用される時間周波数リソースが別のデバイスによって使用される時間周波数リソースから分離され得るように、第1の時間周波数リソースが分割されてもよい。このようにして、端末は、ネットワークデバイスによって別のデバイスに送信されたデータを受信することが防止されることが可能であり、すなわち、データ汚染が防止されることが可能である。加えて、スケジューリング時間単位内の最初のいくつかのシンボルにおいて使用されていない時間周波数リソースは、データを送信するために十分に使用され、それによりリソース利用を向上させる。
【０１２９】
この技術分野の当業者は、実施形態における方法のプロセスのすべてまたはいくつかが、関連するハードウェアに命令するコンピュータプログラムによって実現され得ることを理解し得る。プログラムは、コンピュータ読み取り可能な記憶媒体に記憶されてもよい。プログラムが実行されるとき、実施形態における方法のプロセスが実行される。前述の記憶媒体は、ROM、またはランダムアクセスメモリRAM、磁気ディスク、または光ディスクなどの、プログラムコードを記憶することができる任意の媒体を含む。
【符号の説明】
【０１３０】
10  通信システム
101  ネットワークデバイス
102  端末
240  端末
250  ネットワークデバイス
260  端末
270  ネットワークデバイス
2401  受信ユニット
2402  処理ユニット
2501  送信ユニット
2502  処理ユニット
2503  受信ユニット
2601  プロセッサ
2602  メモリ
2603  トランシーバ
2701  プロセッサ
2702  メモリ
2703  トランシーバ
【手続補正２】
【補正対象書類名】特許請求の範囲
【補正対象項目名】全文
【補正方法】変更
【補正の内容】
【特許請求の範囲】
【請求項１】
データ受信方法であって、
第1の指示情報を受信するステップであって、前記第1の指示情報が、ターゲット周波数ドメイン位置を示すために使用される、ステップと、
制御リソースセットの時間ドメイン位置および前記ターゲット周波数ドメイン位置に基づいて第1の時間周波数リソースを決定するステップであって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じである、ステップと、
ターゲット時間周波数リソースにおいてデータを受信するステップであって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、ステップと、
を含むデータ受信方法。
【請求項２】
ターゲット時間周波数リソースにおいてデータを受信する前記ステップの前に、前記方法が、
ネットワークデバイスによって送信された第1のメッセージを受信するステップであって、前記第1のメッセージが、第3の指示情報を含み、前記第3の指示情報のステータスが、前記ターゲット時間周波数リソースが前記第1の時間周波数リソースを含まないことを示す、ステップをさらに含む、請求項1に記載の方法。
【請求項３】
前記第1のメッセージが、第2の指示情報をさらに含み、前記第2の指示情報が、前記第2の時間周波数リソースを示すために使用される、請求項2に記載の方法。
【請求項４】
前記ターゲット時間周波数リソースが、前記第2の時間周波数リソースおよび前記第1の時間周波数リソース内のリソースの前記一部を含み、
前記第1の時間周波数リソース内のリソースの前記一部が、端末によって既にデコードされた物理ダウンリンク制御チャネルと重複する領域以外の前記第1の時間周波数リソース内の時間周波数リソースを含む、請求項1、2、または3に記載の方法。
【請求項５】
制御リソースセットの時間ドメイン位置および前記ターゲット周波数ドメイン位置に基づいて第1の時間周波数リソースを決定する前記ステップの前に、前記方法が、
基地局によって送信された第4の指示情報を受信するステップであって、前記第4の指示情報が、前記第1の時間周波数リソースの前記時間ドメイン位置が前記制御リソースセットの前記時間ドメイン位置と同じであることを示すために使用される、ステップをさらに含む、請求項1から4のいずれか一項に記載の方法。
【請求項６】
前記制御リソースセットが、複数の制御リソースセットを含み、
前記制御リソースセットの時間ドメイン開始位置が、第1の制御リソースセットの時間ドメイン開始位置と同じであり、前記制御リソースセットの時間ドメイン終了位置が、第2の制御リソースセットの時間ドメイン終了位置と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項1から5のいずれか一項に記載の方法。
【請求項７】
前記ターゲット周波数ドメイン位置が、前記第2の時間周波数リソースの周波数ドメイン位置であり、前記第1の指示情報が、前記第2の時間周波数リソースを示すことによって前記ターゲット周波数ドメイン位置を示す、請求項1または2または4から6のいずれか一項に記載の方法。
【請求項８】
前記第1の時間周波数リソースおよび前記第2の時間周波数リソースが、時間ドメインにおいて不連続である、請求項1から7のいずれか一項に記載の方法。
【請求項９】
データ送信方法であって、
第1の指示情報を端末に送信するステップであって、前記第1の指示情報が、ターゲット周波数ドメイン位置を示すために使用される、ステップと、
デバイスにより、制御リソースセットの時間ドメイン位置および前記ターゲット周波数ドメイン位置に基づいて第1の時間周波数リソースを決定するステップであって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じである、ステップと、
ターゲット時間周波数リソースにおいてデータを送信するステップであって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、ステップと、
を含むデータ送信方法。
【請求項１０】
ターゲット時間周波数リソースにおいてデータを送信する前記ステップの前に、前記方法が、
第1のメッセージを前記端末に送信するステップであって、前記第1のメッセージが、第3の指示情報を含み、前記第3の指示情報のステータスが、前記ターゲット時間周波数リソースが前記第1の時間周波数リソースを含まないことを示す、ステップをさらに含む、請求項9に記載の方法。
【請求項１１】
前記第1のメッセージが、第2の指示情報をさらに含み、前記第2の指示情報が、前記第2の時間周波数リソースを示すために使用される、請求項10に記載の方法。
【請求項１２】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記端末のための物理ダウンリンク制御チャネルと重複する領域以外の前記第1の時間周波数リソース内の時間周波数リソースを含む、請求項9から11のいずれか一項に記載の方法。
【請求項１３】
ターゲット時間周波数リソースにおいてデータを送信する前記ステップの前に、前記方法が、
第4の指示情報を前記端末に送信するステップであって、前記第4の指示情報が、前記第1の時間周波数リソースの前記時間ドメイン位置が前記制御リソースセットの前記時間ドメイン位置と同じであることを示すために使用される、ステップをさらに含む、請求項9から12のいずれか一項に記載の方法。
【請求項１４】
前記制御リソースセットが、複数の制御リソースセットを含み、
前記制御リソースセットの時間ドメイン開始位置が、第1の制御リソースセットの時間ドメイン開始位置と同じであり、前記制御リソースセットの時間ドメイン終了位置が、第2の制御リソースセットの時間ドメイン終了位置と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項9から13のいずれか一項に記載の方法。
【請求項１５】
前記ターゲット周波数ドメイン位置が、前記第2の時間周波数リソースの周波数ドメイン位置であり、前記第1の指示情報が、前記第2の時間周波数リソースを示すことによって前記ターゲット周波数ドメイン位置を示す、請求項9または10または12から14のいずれか一項に記載の方法。
【請求項１６】
前記第1の時間周波数リソースおよび前記第2の時間周波数リソースが、時間ドメインにおいて不連続である、請求項9から15のいずれか一項に記載の方法。
【請求項１７】
プロセッサおよびメモリを含むデータ受信装置であって、前記メモリが、命令を記憶するように構成され、前記命令が前記プロセッサによって実行されるとき、以下の動作、すなわち、
第1の指示情報を受信する動作であって、前記第1の指示情報が、ターゲット周波数ドメイン位置を示すために使用される、動作と、
制御リソースセットの時間ドメイン位置および前記ターゲット周波数ドメイン位置に基づいて第1の時間周波数リソースを決定する動作であって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じである、動作と、
ターゲット時間周波数リソースにおいてデータを受信する動作であって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、動作と、
が実現される、データ受信装置。
【請求項１８】
前記命令が前記プロセッサによって実行されるとき、以下の動作、すなわち、
前記第1の時間周波数リソース内の前記ターゲット時間周波数リソースにおいて前記データを受信する前に、ネットワークデバイスによって送信された第1のメッセージを受信する動作であって、前記第1のメッセージが、第3の指示情報を含み、前記第3の指示情報のステータスが、前記ターゲット時間周波数リソースが前記第1の時間周波数リソースを含まないことを示す、動作がさらに実現される、請求項17に記載の装置。
【請求項１９】
前記第1のメッセージが、第2の指示情報をさらに含み、前記第2の指示情報が、前記第2の時間周波数リソースを示すために使用される、請求項18に記載の装置。
【請求項２０】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記装置によって既にデコードされた物理ダウンリンク制御チャネルと重複する領域以外の前記第1の時間周波数リソース内の時間周波数リソースを含む、請求項17、18、または19に記載の装置。
【請求項２１】
前記命令が前記プロセッサによって実行されるとき、以下の動作、すなわち、
前記制御リソースセットの前記時間ドメイン位置および前記ターゲット周波数ドメイン位置に基づいて前記第1の時間周波数リソースを決定する前に、
基地局によって送信された第4の指示情報を受信する動作であって、前記第4の指示情報が、前記第1の時間周波数リソースの前記時間ドメイン位置が前記制御リソースセットの前記時間ドメイン位置と同じであることを示すために使用される、動作がさらに実現される、請求項17から20のいずれか一項に記載の装置。
【請求項２２】
前記制御リソースセットが、複数の制御リソースセットを含み、
前記制御リソースセットの時間ドメイン開始位置が、第1の制御リソースセットの時間ドメイン開始位置と同じであり、前記制御リソースセットの時間ドメイン終了位置が、第2の制御リソースセットの時間ドメイン終了位置と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項17から21のいずれか一項に記載の装置。
【請求項２３】
装置であって、前記装置が、プロセッサおよびメモリを含み、前記メモリが、命令を記憶するように構成され、前記メモリ内の前記命令が前記プロセッサによって実行されるとき、以下の動作、すなわち、
トランシーバを使用することによって第1の指示情報を端末に送信する動作であって、前記第1の指示情報が、ターゲット周波数ドメイン位置を示すために使用される、動作と、
制御リソースセットの時間ドメイン位置および前記ターゲット周波数ドメイン位置に基づいて第1の時間周波数リソースを決定する動作であって、前記第1の時間周波数リソースの周波数ドメイン位置が、前記ターゲット周波数ドメイン位置と同じであり、前記第1の時間周波数リソースの時間ドメイン位置が、前記制御リソースセットの前記時間ドメイン位置と同じである、動作と、
前記トランシーバを使用することによってターゲット時間周波数リソースにおいてデータを送信する動作であって、前記ターゲット時間周波数リソースが、第2の時間周波数リソースおよび前記第1の時間周波数リソース内のリソースの一部を含むか、または前記ターゲット時間周波数リソースが、第2の時間周波数リソースを含むが、前記第1の時間周波数リソースは含まない、動作と、
が実現される、装置。
【請求項２４】
前記命令が前記プロセッサによって実行されるとき、以下の動作、すなわち、
前記ターゲット時間周波数リソースにおいて前記データを送信する前に、第1のメッセージを送信する動作であって、前記第1のメッセージが、第3の指示情報を含み、前記第3の指示情報のステータスが、前記ターゲット時間周波数リソースが前記第1の時間周波数リソースを含まないことを示す、動作がさらに実現される、請求項23に記載の装置。
【請求項２５】
前記第1のメッセージが、第2の指示情報をさらに含み、前記第2の指示情報が、前記第2の時間周波数リソースを示すために使用される、請求項24に記載の装置。
【請求項２６】
前記ターゲット時間周波数リソースが、前記第2の時間周波数リソースおよび前記第1の時間周波数リソース内のリソースの前記一部を含み、
前記第1の時間周波数リソース内のリソースの前記一部が、前記端末のための物理ダウンリンク制御チャネルと重複する領域以外の前記第1の時間周波数リソース内の時間周波数リソースを含む、請求項23から25のいずれか一項に記載の装置。
【請求項２７】
前記命令が前記プロセッサによって実行されるとき、以下の動作、すなわち、
前記ターゲット時間周波数リソースにおいて前記データを送信する前に、
第4の指示情報を送信する動作であって、前記第4の指示情報が、前記第1の時間周波数リソースの前記時間ドメイン位置が前記制御リソースセットの前記時間ドメイン位置と同じであることを示すために使用される、動作がさらに実現される、請求項23から26のいずれか一項に記載の装置。
【請求項２８】
前記制御リソースセットが、複数の制御リソースセットを含み、
前記制御リソースセットの時間ドメイン開始位置が、第1の制御リソースセットの時間ドメイン開始位置と同じであり、前記制御リソースセットの時間ドメイン終了位置が、第2の制御リソースセットの時間ドメイン終了位置と同じであり、前記第1の制御リソースセットが、前記複数の制御リソースセット内の先頭の開始時間ドメイン位置を有する制御リソースセットであり、前記第2の制御リソースセットが、前記複数の制御リソースセット内の末尾の時間ドメイン位置を有する制御リソースセットである、請求項23から27のいずれか一項に記載の装置。
【請求項２９】
記憶媒体であって、前記記憶媒体が、命令を記憶するように構成され、前記命令が端末のプロセッサにおいて実行されるとき、前記端末は請求項1から8のいずれか一項に記載の方法を実行する、記憶媒体。
【請求項３０】
記憶媒体であって、前記記憶媒体が、命令を記憶するように構成され、前記命令がネットワークデバイスのプロセッサにおいて実行されるとき、前記ネットワークデバイスは請求項9から16のいずれか一項に記載の方法を実行する、記憶媒体。
【請求項３１】
命令を含むコンピュータプログラムであって、前記命令がコンピュータにおいて実行されるとき、前記コンピュータが請求項1から8のいずれか一項に記載の方法を実行することが可能にされる、コンピュータプログラム。
【請求項３２】
命令を含むコンピュータプログラムであって、前記命令がコンピュータにおいて実行されるとき、前記コンピュータが請求項9から16のいずれか一項に記載の方法を実行することが可能にされる、コンピュータプログラム。
【国際調査報告】
2020523927.tif 000030
2020523927.tif 000031
2020523927.tif 000032
2020523927.tif 000033